(57)【特許請求の範囲】
【請求項１】
Ｖ２Ｖベースのリソース割り当て方法であって、
基地局が、第１ユーザ装置により送信されたリソース要求メッセージを受信するステップと、
前記基地局が、前記リソース要求メッセージに従って、前記第１ユーザ装置に対応するレベルタイプを識別するステップと、
前記基地局が、前記第１ユーザ装置に対応する前記レベルタイプが高優先度タイプであることを識別し、且つ第１リソースプールにおいてそれぞれ同じサイズを有するアイドルＶ２Ｖリソースブロックの量が、第１プリセットしきい値より小さいか、又は前記第１ユーザ装置と変調及び符号化方法により送信されるデータの量に従って前記基地局により計算される必要なリソースブロックの量が、第１リソースプール内のアイドルＶ２Ｖリソースブロックの量より大きい場合には、前記第１リソースプールにおいて第２ユーザ装置により占有されているＶ２Ｖリソースから、又は前記高優先度タイプ以外の別のタイプに対応する第２リソースプールから、Ｖ２Ｖリソースを前記第１ユーザ装置に割り当てるステップであって、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である、ステップと、
を具備することを特徴とするＶ２Ｖベースのリソース割り当て方法。
【請求項２】
前記高優先度タイプ以外の別のタイプに対応する第２リソースプールからＶ２Ｖリソースを前記第１ユーザ装置に割り当てる前記ステップは、
前記第２リソースプールにおいてそれぞれ同じサイズを有するアイドルＶ２Ｖリソースブロックの量が第２プリセットしきい値より小さくないと判定するか、又は前記第１ユーザ装置と前記変調及び符号化方法により送信されるデータの前記量に従って、前記基地局により計算される前記必要なリソースブロックの前記量が前記第２リソースプール内のアイドルＶ２Ｖリソースブロックの量より大きくないと判定する場合には、前記基地局により、前記第２リソースプールから前記Ｖ２Ｖリソースを前記第１ユーザ装置に割り当てるステップ
を具備することを特徴とする請求項１に記載の方法。
【請求項３】
前記方法は、
前記基地局により、第２の指示メッセージを前記第２ユーザ装置に送信するステップであって、前記第２の指示メッセージは、前記第２リソースプールにおいて前記第１ユーザ装置に割り当てられている前記Ｖ２Ｖリソースの位置情報を搬送し、前記第２の指示メッセージは、前記Ｖ２Ｖリソースの前記位置情報に従って、前記第２リソースプールにおいて前記第１ユーザ装置に割り当てられている前記Ｖ２Ｖリソース以外の他のＶ２Ｖリソースから、前記Ｖ２Ｖリソースを取得するように前記第２ユーザ装置に指示するために使用される、ステップ
をさらに具備することを特徴とする請求項２に記載の方法。
【請求項４】
Ｖ２Ｖリソースを前記第１ユーザ装置に割り当てる前記ステップの後に、前記方法は、
プリセット時間ごとに、前記第１リソースプールにおいてそれぞれ同じサイズを有する前記アイドルＶ２Ｖリソースブロックの前記量が前記第１プリセットしきい値より小さくないと判定するか、又はプリセット時間ごとに、前記第１ユーザ装置と前記変調及び符号化方法により送信されるデータの前記量に従って前記基地局により計算される前記必要なリソースブロックの前記量が、前記第１リソースプール内の前記アイドルＶ２Ｖリソースブロックの前記量より大きくないと判定する場合には、前記基地局により、前記第１リソースプールから前記Ｖ２Ｖリソースを前記第１ユーザ装置に割り当てるステップと、第３の指示メッセージを前記第１ユーザ装置に送信するステップであって、前記第３の指示メッセージは、前記第２リソースプールにおいて占有されているＶ２Ｖリソースを解放するように前記第１ユーザ装置に指示するために使用される、ステップ
をさらに具備することを特徴とする請求項２又は３に記載の方法。
【請求項５】
前記方法は、
前記基地局により、第４の指示メッセージを前記第２ユーザ装置に送信するステップであって、前記第４の指示メッセージは、前記第１ユーザ装置により解放された前記Ｖ２Ｖリソースの位置情報を搬送し、前記第４の指示メッセージは、前記第１ユーザ装置が前記第２リソースプールにおいて占有されているＶ２Ｖリソースを解放した後に、前記Ｖ２Ｖリソースの前記位置情報に従って、前記第２リソースプールから前記Ｖ２Ｖリソースを取得するように前記第２ユーザ装置に指示するために使用される、ステップ
をさらに具備することを特徴とする請求項４に記載の方法。
【請求項６】
前記第１リソースプールにおいて第２ユーザ装置により占有されているＶ２ＶリソースからＶ２Ｖリソースを前記第１ユーザ装置に割り当てる前記ステップは、
前記第１リソースプール内のＶ２Ｖリソースが前記第２ユーザ装置により占有されていると判定する場合には、前記基地局により、第１の指示メッセージを前記第２ユーザ装置に送信するステップであって、前記第１の指示メッセージは、前記第２ユーザ装置に、前記第１リソースプールにおいて占有されているＶ２Ｖリソースを解放するように指示するために使用される、ステップと、
前記基地局により、前記第２ユーザ装置により解放された前記Ｖ２Ｖリソースから、前記Ｖ２Ｖリソースを前記第１ユーザ装置に割り当てるステップと、
を具備することを特徴とする請求項１から５のいずれか一項に記載の方法。
【請求項７】
Ｖ２Ｖベースのリソース割り当て方法であって、
第１ユーザ装置により、リソース要求メッセージを基地局に送信するステップであって、前記リソース要求メッセージは、前記第１ユーザ装置に対応するレベルタイプを識別するように、前記基地局に指示するために使用される、ステップと、
前記第１ユーザ装置により、前記基地局から、前記基地局により割り当てられたＶ２Ｖリソースを取得するステップであって、前記割り当てられたＶ２Ｖリソースは、前記基地局が、前記第１ユーザ装置に対応する前記レベルタイプが高優先度タイプであり、且つ第１リソースプールにおいてそれぞれ同じサイズを有するアイドルＶ２Ｖリソースブロックの量が、第１プリセットしきい値より小さいか、又は第１ユーザ装置と変調及び符号化方法により送信されるデータの量に従って前記基地局により計算される必要なリソースブロックの量が前記第１リソースプール内のアイドルＶ２Ｖリソースブロックの量より大きい、と判定される場合に、前記第１リソースプールにおいて第２ユーザ装置により占有されているＶ２Ｖリソースから、又は前記高優先度タイプ以外の別のタイプに対応する第２リソースプールから、前記基地局により割り当てられたＶ２Ｖリソースであり、前記第１リソースプールは、前記高優先度タイプに対応するリソースプールであり、前記第２ユーザ装置は、前記高優先度タイプ以外の別のタイプのユーザ装置である、ステップと、
前記第１ユーザ装置により、前記割り当てられたＶ２Ｖリソースに従って、Ｖ２Ｖデータを送信するステップと、
を具備することを特徴とするＶ２Ｖベースのリソース割り当て方法。
【請求項８】
前記基地局から、前記第１ユーザ装置により、前記基地局により割り当てられたＶ２Ｖリソースを取得する前記ステップの後に、前記方法は、
前記基地局により送信された第３の指示メッセージを、前記第１ユーザ装置により受信するステップであって、前記第３の指示メッセージは、前記基地局が、プリセット時間ごとに、前記第１リソースプールにおいてそれぞれ同じサイズを有する前記アイドルＶ２Ｖリソースブロックの前記量が前記第１プリセットしきい値より小さくないか、又は前記第１ユーザ装置と前記変調及び符号化方法により送信されるデータの前記量に従って前記基地局により計算される前記必要なリソースブロックの前記量が、前記第１リソースプール内の前記アイドルＶ２Ｖリソースブロックの前記量より大きくない、と判定する場合に、前記基地局により生成されるメッセージである、ステップと、
前記第３の指示メッセージに従って、前記第２リソースプールにおいて占有されている前記Ｖ２Ｖリソースを、前記第１ユーザ装置により解放するステップ及び前記第１リソースプールから前記基地局により割り当てられた前記Ｖ２Ｖリソースを受信するステップと、
をさらに具備することを特徴とする請求項７に記載の方法。
【請求項９】
Ｖ２Ｖベースのリソース割り当て方法であって、
基地局により送信された第１の指示メッセージを、第２ユーザ装置により受信するステップであって、前記第１の指示メッセージは、前記基地局が第１リソースプール内のＶ２Ｖリソースがすでに前記第２ユーザ装置により占有されていることを判定する場合に、前記基地局により生成されるメッセージであり、前記第１リソースプールは、高優先度タイプに対応するリソースプールである、ステップと、
前記第１の指示メッセージに従って、前記第１リソースプールにおいて占有されている前記Ｖ２Ｖリソースを、前記第２ユーザ装置により解放するステップと、
を具備し、
前記第１の指示メッセージは、高優先度タイプである第１ユーザ装置がリソース要求メッセージを送信した際に、第１リソースプールにおいてそれぞれ同じサイズを有するアイドルＶ２Ｖリソースブロックの量が第１プリセットしきい値より小さいか、又は必要なリソースブロックの量が第１リソースプール内のアイドルＶ２Ｖリソースのブロックの量より大きい場合に送信されるものであることを特徴とするＶ２Ｖベースのリソース割り当て方法。
【請求項１０】
前記方法は、
前記第２ユーザ装置により、前記基地局により送信された第２の指示メッセージを受信するステップであって、前記第２の指示メッセージは、前記基地局が、第２リソースプールにおいてそれぞれ同じサイズを有するアイドルＶ２Ｖリソースブロックの量が第２プリセットしきい値より小さくないか、又は第１ユーザ装置と変調及び符号化方法により送信されるデータの量に従って、前記基地局により計算される必要なリソースブロックの量が前記第２リソースプール内のアイドルＶ２Ｖリソースブロックの量より大きくない、と判定する場合に、前記基地局により生成されるメッセージであり、前記第２の指示メッセージは、前記基地局により前記第２リソースプールにおける前記第１ユーザ装置に割り当てられたＶ２Ｖリソースの位置情報を搬送し、前記第２リソースプールは、前記高優先度タイプ以外の別のタイプに対応するリソースプールであり、前記第１ユーザ装置は、前記高優先度タイプのユーザ装置である、ステップと、
前記第２の指示メッセージにおける前記Ｖ２Ｖリソースの前記位置情報に従って、前記第２ユーザ装置により、前記第２リソースプールにおいて前記第１ユーザ装置により占有されている前記Ｖ２Ｖリソース以外の他のＶ２Ｖリソースから、前記Ｖ２Ｖリソースを取得するステップと、
をさらに具備することを特徴とする請求項９に記載の方法。
【請求項１１】
前記方法は、
前記基地局により送信された第４の指示メッセージを、前記第２ユーザ装置により受信するステップであって、前記第４の指示メッセージは、前記基地局が、前記第１リソースプールにおいてそれぞれ同じサイズを有するアイドルＶ２Ｖリソースブロックの量が、第１プリセットしきい値より小さくないか、又は前記第１ユーザ装置と変調及び符号化方法により送信されるデータの量に従って、前記基地局により計算される必要なリソースブロックの量が前記第１リソースプール内のアイドルＶ２Ｖリソースブロックの量より大きくない、と判定する場合に、前記基地局により生成されるメッセージであり、前記第４の指示メッセージは、前記第１ユーザ装置により解放されたＶ２Ｖリソースの位置情報を搬送する、ステップと、
前記第１ユーザ装置が、第２リソースプールにおいて占有されている前記Ｖ２Ｖリソースを解放した後に、前記第４の指示メッセージにおける前記Ｖ２Ｖリソースの前記位置情報に従って、前記第２ユーザ装置により、前記Ｖ２Ｖリソースを前記第２リソースプールから取得するステップと、
をさらに具備することを特徴とする請求項１０に記載の方法。
【請求項１２】
Ｖ２Ｖベースのリソース割り当て装置であって、
第１ユーザ装置により送信されたリソース要求メッセージを受信するように構成されたトランシーバモジュールと、
前記トランシーバモジュールにより受信された前記リソース要求メッセージに従って、前記第１ユーザ装置に対応するレベルタイプを識別するように構成された識別モジュールと、
前記識別モジュールが、前記第１ユーザ装置に対応するレベルタイプが高優先度タイプであり、且つ第１リソースプールにおいてそれぞれ同じサイズを有するアイドルＶ２Ｖリソースブロックの量が、第１プリセットしきい値より小さいか、又は前記識別モジュールが、前記第１ユーザ装置と変調及び符号化方法により送信されるデータの量に従って計算される必要なリソースブロックの量が前記第１リソースプール内のアイドルＶ２Ｖリソースブロックの量より大きい、と識別する場合に、前記第１リソースプールにおいて第２ユーザ装置により占有されているＶ２Ｖリソースから、又は前記高優先度タイプ以外の別のタイプに対応する第２リソースプールから、Ｖ２Ｖリソースを前記第１ユーザ装置に割り当てるように構成された割り当てモジュールであって、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である、割り当てモジュールと、
を具備することを特徴とするＶ２Ｖベースのリソース割り当て装置。
【請求項１３】
前記割り当てモジュールは、
前記第２リソースプールにおいてそれぞれ同じサイズを有するアイドルＶ２Ｖリソースブロックの量が第２プリセットしきい値より小さくないかどうかを判定するか、又は前記第１ユーザ装置と前記変調及び符号化方法により送信されるデータの前記量に従って計算される前記必要なリソースブロックの前記量が前記第２リソースプール内のアイドルＶ２Ｖリソースブロックの量より大きくないかどうかを判定するように構成された判定ユニットと、
前記判定ユニットが、前記第２リソースプールにおいてそれぞれ同じサイズを有する前記アイドルＶ２Ｖリソースブロックの前記量が前記第２プリセットしきい値より小さくないと判定する場合に、又は前記判定ユニットが、前記第１ユーザ装置と前記変調及び符号化方法により送信されるデータの前記量に従って計算される前記必要なリソースブロックの前記量が前記第２リソースプール内の前記アイドルＶ２Ｖリソースブロックの前記量より大きくないと判定する場合に、前記第２リソースプールから前記Ｖ２Ｖリソースを前記第１ユーザ装置に割り当てるように構成された割り当てユニットと、
を具備することを特徴とする請求項１２に記載の装置。
【請求項１４】
前記トランシーバモジュールは、第２の指示メッセージを前記第２ユーザ装置に送信するようにさらに構成されており、前記第２の指示メッセージは、前記第２リソースプールにおいて前記第１ユーザ装置に割り当てられている前記Ｖ２Ｖリソースの位置情報を搬送し、前記第２の指示メッセージは、前記Ｖ２Ｖリソースの前記位置情報に従って、前記第２リソースプールにおいて前記第１ユーザ装置に割り当てられている前記Ｖ２Ｖリソース以外の他のＶ２Ｖリソースから、前記Ｖ２Ｖリソースを取得するように前記第２ユーザ装置に指示するために使用される
ことを特徴とする請求項１３に記載の装置。
【請求項１５】
前記装置は、判定モジュールをさらに具備し、
前記判定モジュールは、プリセット時間ごとに、前記第１リソースプールにおいてそれぞれ同じサイズを有する前記アイドルＶ２Ｖリソースブロックの前記量が前記第１プリセットしきい値より小さくないかどうかを判定するか、又はプリセット時間ごとに、前記第１ユーザ装置と前記変調及び符号化方法により送信されるデータの前記量に従って計算される前記必要なリソースブロックの前記量が前記第１リソースプール内の前記アイドルＶ２Ｖリソースブロックの前記量より小さいかどうかを判定するように構成されており、
前記割り当てモジュールは、前記判定モジュールが前記第１リソースプールにおいてそれぞれ同じサイズを有する前記アイドルＶ２Ｖリソースブロックの前記量が前記第１プリセットしきい値より小さくないと判定する場合か、又は前記判定モジュールが、前記第１ユーザ装置と前記変調及び符号化方法により送信されるデータの前記量に従って計算される前記必要なリソースブロックの前記量が前記第１リソースプール内の前記アイドルＶ２Ｖリソースブロックの前記量より小さいと判定する場合に、前記第１リソースプールから前記Ｖ２Ｖリソースを前記第１ユーザ装置に割り当てるようにさらに構成されており、
前記トランシーバモジュールは、前記判定モジュールが、前記第１リソースプールにおいてそれぞれ同じサイズを有する前記アイドルＶ２Ｖリソースブロックの前記量が前記第１プリセットしきい値より小さくないと判定する場合に、又は前記判定モジュールが、前記第１ユーザ装置と前記変調及び符号化方法により送信されるデータの前記量に従って計算される前記必要なリソースブロックの前記量が前記第１リソースプール内の前記アイドルＶ２Ｖリソースブロックの前記量より小さいと判定する場合に、第３の指示メッセージを前記第１ユーザ装置に送信するようにさらに構成されており、前記第３の指示メッセージは、前記第２リソースプールにおいて占有されているＶ２Ｖリソースを解放するように前記第１ユーザ装置に指示するために使用される
ことを特徴とする請求項１３又は１４に記載の装置。
【請求項１６】
前記トランシーバモジュールは、第４の指示メッセージを前記第２ユーザ装置に送信するようにさらに構成されており、前記第４の指示メッセージは、前記第１ユーザ装置により解放された前記Ｖ２Ｖリソースの位置情報を搬送し、前記第４の指示メッセージは、前記第１ユーザ装置が前記第２リソースプールにおいて占有されているＶ２Ｖリソースを解放した後に、前記Ｖ２Ｖリソースの前記位置情報に従って、前記第２リソースプールから前記Ｖ２Ｖリソースを取得するように前記第２ユーザ装置に指示するために使用される
ことを特徴とする請求項１５に記載の装置。
【請求項１７】
前記割り当てモジュールは、
前記第１リソースプール内のＶ２Ｖリソースが前記第２ユーザ装置により占有されているかどうかを判定するように構成された判定ユニットと、
前記判定ユニットが、前記第１リソースプール内の前記Ｖ２Ｖリソースが前記第２ユーザ装置により占有されていると判定する場合に、第１の指示メッセージを前記第２ユーザ装置に送信するように構成された送信ユニットであって、前記第１の指示メッセージは、前記第２ユーザ装置に、前記第１リソースプールにおいて占有されているＶ２Ｖリソースを解放するように指示するために使用される、送信ユニットと、
前記送信ユニットが前記第１の指示メッセージを送信した後に、前記第２ユーザ装置により解放された前記Ｖ２Ｖリソースから、前記Ｖ２Ｖリソースを、前記第１ユーザ装置に割り当てるように構成された割り当てユニットと、
を具備することを特徴とする請求項１２から１６のいずれか一項に記載の装置。
【請求項１８】
第１ユーザ装置に適用されるＶ２Ｖベースのリソース割り当て装置であって、
リソース要求メッセージを基地局に送信するように構成されているトランシーバモジュールであって、前記リソース要求メッセージは、前記第１ユーザ装置に対応するレベルタイプを識別するように、前記基地局に指示するために使用される、トランシーバモジュールと、
前記トランシーバモジュールが前記リソース要求メッセージを前記基地局に送信した後に、前記基地局から、前記基地局により割り当てられたＶ２Ｖリソースを取得するように構成されている取得モジュールであって、前記割り当てられたＶ２Ｖリソースは、前記基地局が、前記第１ユーザ装置に対応する前記レベルタイプが高優先度タイプであり、且つ第１リソースプールにおいてそれぞれ同じサイズを有するアイドルＶ２Ｖリソースブロックの量が、第１プリセットしきい値より小さいか、又は前記第１ユーザ装置と変調及び符号化方法により送信されるデータの量に従って前記基地局により計算される必要なリソースブロックの量が前記第１リソースプール内のアイドルＶ２Ｖリソースブロックの量より大きい、と判定する場合に、前記第１リソースプールにおいて第２ユーザ装置により占有されているＶ２Ｖリソースから、又は前記高優先度タイプ以外の別のタイプに対応する第２リソースプールから、前記基地局により割り当てられたＶ２Ｖリソースであり、前記第１リソースプールは、前記高優先度タイプに対応するリソースプールであり、前記第２ユーザ装置は、前記高優先度タイプ以外の別のタイプのユーザ装置である、取得モジュールと、
を具備し、
前記トランシーバモジュールは、前記取得モジュールにより取得された前記Ｖ２Ｖリソースに従って、Ｖ２Ｖデータを送信するようにさらに構成されている
ことを特徴とするＶ２Ｖベースのリソース割り当て装置。
【請求項１９】
前記トランシーバモジュールは、前記基地局により送信された第３の指示メッセージを受信するようにさらに構成され、前記第３の指示メッセージは、前記基地局が、プリセット時間ごとに、前記第１リソースプールにおいてそれぞれ同じサイズを有する前記アイドルＶ２Ｖリソースブロックの前記量が前記第１プリセットしきい値より小さくないか、又は前記第１ユーザ装置と前記変調及び符号化方法により送信されるデータの前記量に従って前記基地局により計算される前記必要なリソースブロックの前記量が前記第１リソースプール内の前記アイドルＶ２Ｖリソースブロックの前記量より小さいと判定する場合に、前記基地局により生成されるメッセージであり、
前記装置は、処理モジュールをさらに具備し、
前記処理モジュールは、前記トランシーバモジュールにより受信された前記第３の指示メッセージに従って、前記第２リソースプールにおいて占有されている前記Ｖ２Ｖリソースを解放するように構成されており、
前記トランシーバモジュールは、前記基地局により割り当てられた前記Ｖ２Ｖリソースを前記第１リソースプールから受信するようにさらに構成されている
ことを特徴とする請求項１８に記載の装置。
【請求項２０】
第２ユーザ装置に適用されるＶ２Ｖベースのリソース割り当て装置であって、
基地局により送信された第１の指示メッセージを受信するように構成されたトランシーバモジュールであって、前記第１の指示メッセージは、前記基地局が第１リソースプール内のＶ２Ｖリソースがすでに前記第２ユーザ装置により占有されていることを判定する場合に、前記基地局により生成されるメッセージであり、前記第１リソースプールは、高優先度タイプに対応するリソースプールである、トランシーバモジュールと、
前記トランシーバモジュールにより受信された前記第１の指示メッセージに従って、前記第１リソースプールにおいて占有されている前記Ｖ２Ｖリソースを解放するように構成された処理モジュールと、
を具備し、
前記第１の指示メッセージは、高優先度タイプである第１ユーザ装置がリソース要求メッセージを送信した際に、第１リソースプールにおいてそれぞれ同じサイズを有するアイドルＶ２Ｖリソースブロックの量が第１プリセットしきい値より小さいか、又は必要なリソースブロックの量が第１リソースプール内のアイドルＶ２Ｖリソースのブロックの量より大きい場合に送信されるものであことを特徴とするＶ２Ｖベースのリソース割り当て装置。
【請求項２１】
前記トランシーバモジュールは、前記基地局により送信された第２の指示メッセージを受信するようにさらに構成され、前記第２の指示メッセージは、前記基地局が、第２リソースプールにおいてそれぞれ同じサイズを有するアイドルＶ２Ｖリソースブロックの量が第２プリセットしきい値より小さくないか、又は第１ユーザ装置と変調及び符号化方法により送信されるデータの量に従って、前記基地局により計算される必要なリソースブロックの量が前記第２リソースプール内のアイドルＶ２Ｖリソースブロックの量より小さい、と判定する場合に、前記基地局により生成されるメッセージであり、前記第２の指示メッセージは、前記基地局により前記第２リソースプールにおける前記第１ユーザ装置に割り当てられたＶ２Ｖリソースの位置情報を搬送し、前記第２リソースプールは、前記高優先度タイプ以外の別のタイプに対応するリソースプールであり、前記第１ユーザ装置は、前記高優先度タイプのユーザ装置であり、
前記装置は、取得モジュールをさらに具備し、
前記取得モジュールは、前記トランシーバモジュールにより受信された前記第２の指示メッセージにおける前記Ｖ２Ｖリソースの前記位置情報に従って、前記第２リソースプールにおいて前記第１ユーザ装置により占有されている前記Ｖ２Ｖリソース以外の他のＶ２Ｖリソースから前記Ｖ２Ｖリソースを取得するように構成されている
ことを特徴とする請求項２０に記載の装置。
【請求項２２】
前記トランシーバモジュールは、前記基地局により送信された第４の指示メッセージを受信するようにさらに構成されており、前記第４の指示メッセージは、前記基地局が、前記第１リソースプールにおいてそれぞれ同じサイズを有するアイドルＶ２Ｖリソースブロックの量が、第１プリセットしきい値より小さくないか、又は前記第１ユーザ装置と変調及び符号化方法により送信されるデータの量に従って、前記基地局により計算される必要なリソースブロックの量が前記第１リソースプール内のアイドルＶ２Ｖリソースブロックの量より小さいと判定する場合に、前記基地局により生成されるメッセージであり、前記第４の指示メッセージは、前記第１ユーザ装置により解放されたＶ２Ｖリソースの位置情報を搬送し、
前記装置は、取得モジュールをさらに具備し、
前記取得モジュールは、前記第１ユーザ装置が、第２リソースプールにおいて占有されている前記Ｖ２Ｖリソースを解放した後、前記トランシーバモジュールにより受信された前記第４の指示メッセージにおける前記Ｖ２Ｖリソースの前記位置情報に従って、前記第２リソースプールから前記Ｖ２Ｖリソースを取得するように構成されている
ことを特徴とする請求項２１に記載の装置。
【請求項２３】
基地局であって、
第１ユーザ装置により送信されたリソース要求メッセージを受信するように構成されている受信器と、
前記受信器により受信された前記リソース要求メッセージに従って、前記第１ユーザ装置に対応するレベルタイプを識別するように構成されたプロセッサと、
を具備し、
前記プロセッサは、前記第１ユーザ装置に対応するレベルタイプが高優先度タイプであることを識別し、且つ第１リソースプールにおいてそれぞれ同じサイズを有するアイドルＶ２Ｖリソースブロックの量が、第１プリセットしきい値より小さいか、又は前記第１ユーザ装置と変調及び符号化方法により送信されるデータの量に従って計算される必要なリソースブロックの量が前記第１リソースプール内のアイドルＶ２Ｖリソースブロックの量より大きい場合、Ｖ２Ｖリソースを、前記第１リソースプールにおいて第２ユーザ装置により占有されているＶ２Ｖリソースから、又は前記高優先度タイプ以外の別のタイプに対応する第２リソースプールから、前記第１ユーザ装置に割り当てるようにさらに構成されており、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である
ことを特徴とする基地局。
【請求項２４】
前記プロセッサは、前記第２リソースプールにおいてそれぞれ同じサイズを有するアイドルＶ２Ｖリソースブロックの量が第２プリセットしきい値より小さくないと判定する場合、又は前記第１ユーザ装置と前記変調及び符号化方法により送信されるデータの前記量に従って計算される前記必要なリソースブロックの前記量が前記第２リソースプール内のアイドルＶ２Ｖリソースブロックの量より大きくないと判定する場合、前記第２リソースプールから前記Ｖ２Ｖリソースを前記第１ユーザ装置に割り当てるようにさらに構成されている
ことを特徴とする請求項２３に記載の基地局。
【請求項２５】
前記基地局の送信器は、第２の指示メッセージを前記第２ユーザ装置に送信するようにさらに構成されており、前記第２の指示メッセージは、前記第２リソースプールにおいて前記第１ユーザ装置に割り当てられている前記Ｖ２Ｖリソースの位置情報を搬送し、前記第２の指示メッセージは、前記Ｖ２Ｖリソースの前記位置情報に従って、前記第２リソースプールにおいて前記第１ユーザ装置に割り当てられている前記Ｖ２Ｖリソース以外の他のＶ２Ｖリソースから、前記Ｖ２Ｖリソースを取得するように前記第２ユーザ装置に指示するために使用される
ことを特徴とする請求項２４に記載の基地局。
【請求項２６】
前記プロセッサは、プリセット時間ごとに、前記第１リソースプールにおいてそれぞれ同じサイズを有する前記アイドルＶ２Ｖリソースブロックの前記量が前記第１プリセットしきい値より小さくないと判定する場合か、又はプリセット時間ごとに、前記第１ユーザ装置と前記変調及び符号化方法により送信されるデータの前記量に従って計算される前記必要なリソースブロックの前記量が、前記第１リソースプール内の前記アイドルＶ２Ｖリソースブロックの前記量より小さいと判定する場合に、前記第１リソースプールから前記Ｖ２Ｖリソースを前記第１ユーザ装置に割り当てるようにさらに構成され、
前記送信器は、前記プロセッサが、前記第１リソースプールにおいてそれぞれ同じサイズを有する前記アイドルＶ２Ｖリソースブロックの前記量が前記第１プリセットしきい値より小さくないと判定する場合、又は前記プロセッサが、前記第１ユーザ装置と前記変調及び符号化方法により送信されるデータの前記量に従って計算される前記必要なリソースブロックの前記量が前記第１リソースプール内の前記アイドルＶ２Ｖリソースブロックの前記量より小さいと判定する場合に、第３の指示メッセージを前記第１ユーザ装置に送信するようにさらに構成されており、前記第３の指示メッセージは、前記第２リソースプールにおいて占有されているＶ２Ｖリソースを解放するように前記第１ユーザ装置に指示するために使用される
ことを特徴とする請求項２５に記載の基地局。
【請求項２７】
前記送信器は、第４の指示メッセージを前記第２ユーザ装置に送信するようにさらに構成されており、前記第４の指示メッセージは、前記第１ユーザ装置により解放された前記Ｖ２Ｖリソースの位置情報を搬送し、前記第４の指示メッセージは、前記第１ユーザ装置が前記第２リソースプールにおいて占有されているＶ２Ｖリソースを解放した後に、前記Ｖ２Ｖリソースの前記位置情報に従って、前記第２リソースプールから前記Ｖ２Ｖリソースを取得するように前記第２ユーザ装置に指示するために使用される
ことを特徴とする請求項２６に記載の基地局。
【請求項２８】
前記プロセッサは、前記第１リソースプール内のＶ２Ｖリソースが前記第２ユーザ装置により占有されているかどうかを判定するようにさらに構成されており、
前記基地局は、送信器をさらに具備し、
前記送信器は、前記プロセッサが、前記第１リソースプール内の前記Ｖ２Ｖリソースがすでに前記第２ユーザ装置により占有されていると判定する場合、第１の指示メッセージを前記第２ユーザ装置に送信するように構成されており、前記第１の指示メッセージは、前記第２ユーザ装置に、前記第１リソースプールにおいて占有されているＶ２Ｖリソースを解放するように指示するために使用され、
前記プロセッサは、前記送信器が前記第１の指示メッセージを送信した後、前記第２ユーザ装置により解放された前記Ｖ２Ｖリソースから、前記Ｖ２Ｖリソースを、前記第１ユーザ装置に割り当てるようにさらに構成されている
ことを特徴とする請求項２３から２７のいずれか一項に記載の基地局。
【請求項２９】
第１ユーザ装置であって、
リソース要求メッセージを基地局に送信するように構成されている送信器であって、前記リソース要求メッセージは、前記第１ユーザ装置に対応するレベルタイプを識別するように、前記基地局に指示するために使用される、送信器と、
前記送信器が前記リソース要求メッセージを送信した後に、前記基地局から、前記基地局により割り当てられたＶ２Ｖリソースを取得するように構成されている受信器であって、前記割り当てられたＶ２Ｖリソースは、前記基地局が、前記第１ユーザ装置に対応する前記レベルタイプが高優先度タイプであり、且つ第１リソースプールにおいてそれぞれ同じサイズを有するアイドルＶ２Ｖリソースブロックの量が、第１プリセットしきい値より小さいか、又は前記第１ユーザ装置と変調及び符号化方法により送信されるデータの量に従って前記基地局により計算される必要なリソースブロックの量が、前記第１リソースプール内のアイドルＶ２Ｖリソースブロックの量より大きい、と判定する場合に、前記第１リソースプールにおいて第２ユーザ装置により占有されているＶ２Ｖリソースから、又は前記高優先度タイプ以外の別のタイプに対応する第２リソースプールから、前記基地局により割り当てられたＶ２Ｖリソースであり、前記第１リソースプールは、前記高優先度タイプに対応するリソースプールであり、前記第２ユーザ装置は、前記高優先度タイプ以外の別のタイプのユーザ装置である、受信器と、
を具備し、
前記送信器は、前記受信器により受信された前記Ｖ２Ｖリソースに従ってＶ２Ｖデータを送信するようにさらに構成されている
ことを特徴とする第１ユーザ装置。
【請求項３０】
前記受信器は、前記基地局により送信された第３の指示メッセージを受信するようにさらに構成され、前記第３の指示メッセージは、前記基地局が、前記第１リソースプールにおいてそれぞれ同じサイズを有する前記アイドルＶ２Ｖリソースブロックの前記量が前記第１プリセットしきい値より小さくないか、又は前記第１ユーザ装置と前記変調及び符号化方法により送信されるデータの前記量に従って前記基地局により計算される前記必要なリソースブロックの前記量が前記第１リソースプール内の前記アイドルＶ２Ｖリソースブロックの前記量より少ない、とプリセット時間ごとに判定する場合に前記基地局により生成されるメッセージであり、
前記第１ユーザ装置は、前記受信器により受信された前記第３の指示メッセージに従って前記第２リソースプールにおいて占有されている前記Ｖ２Ｖリソースを解放するように構成されているプロセッサをさらに具備し、
前記受信器は、前記基地局により割り当てられた前記Ｖ２Ｖリソースを、前記第１リソースプールから受信するようにさらに構成されている
ことを特徴とする請求項２９に記載の第１ユーザ装置。
【請求項３１】
第２ユーザ装置であって、
基地局により送信された第１の指示メッセージを受信するように構成された受信器であって、前記第１の指示メッセージは、前記基地局が第１リソースプール内のＶ２Ｖリソースがすでに前記第２ユーザ装置により占有されていることを判定する場合に、前記基地局により生成されるメッセージであり、前記第１リソースプールは、高優先度タイプに対応するリソースプールである、受信器と、
前記受信器により受信された前記第１の指示メッセージに従って、前記第１リソースプールにおいて占有されている前記Ｖ２Ｖリソースを解放するように構成されているプロセッサと、
を具備し、
前記第１の指示メッセージは、高優先度タイプである第１ユーザ装置がリソース要求メッセージを送信した際に、第１リソースプールにおいてそれぞれ同じサイズを有するアイドルＶ２Ｖリソースブロックの量が第１プリセットしきい値より小さいか、又は必要なリソースブロックの量が第１リソースプール内のアイドルＶ２Ｖリソースのブロックの量より大きい場合に送信されるものであることを特徴とする第２ユーザ装置。
【請求項３２】
前記受信器は、前記基地局により送信された第２の指示メッセージを受信するようにさらに構成され、前記第２の指示メッセージは、第２リソースプールにおいてそれぞれ同じサイズを有するアイドルＶ２Ｖリソースブロックの量が第２プリセットしきい値より小さくないか、又は第１ユーザ装置と変調及び符号化方法により送信されるデータの量に従って、前記基地局により計算される必要なリソースブロックの量が前記第２リソースプール内のアイドルＶ２Ｖリソースブロックの量より小さい、と前記基地局が判定する場合に、前記基地局により生成されるメッセージであり、前記第２の指示メッセージは、前記基地局により前記第２リソースプールにおける前記第１ユーザ装置に割り当てられたＶ２Ｖリソースの位置情報を搬送し、前記第２リソースプールは、前記高優先度タイプ以外の別のタイプに対応するリソースプールであり、前記第１ユーザ装置は、前記高優先度タイプのユーザ装置であり、
前記プロセッサは、前記受信器により受信された前記第２の指示メッセージにおける前記Ｖ２Ｖリソースの前記位置情報に従って、前記第２リソースプールにおいて前記第１ユーザ装置により占有されている前記Ｖ２Ｖリソース以外の他のＶ２Ｖリソースから、前記Ｖ２Ｖリソースを取得するように構成されている
ことを特徴とする請求項３１に記載の第２ユーザ装置。
【請求項３３】
前記受信器は、前記基地局により送信された第４の指示メッセージを受信するようにさらに構成され、前記第４の指示メッセージは、前記第１リソースプールにおいてそれぞれ同じサイズを有するアイドルＶ２Ｖリソースブロックの量が、第１プリセットしきい値より小さくないか、又は前記第１ユーザ装置と変調及び符号化方法により送信されるデータの量に従って、前記基地局により計算される必要なリソースブロックの量が前記第１リソースプール内のアイドルＶ２Ｖリソースブロックの量より小さい、と前記基地局が判定する場合に、前記基地局により生成されるメッセージであり、前記第４の指示メッセージは、前記第１ユーザ装置により解放されたＶ２Ｖリソースの位置情報を搬送し、
前記プロセッサは、前記第１ユーザ装置が、前記第２リソースプールにおいて占有されている前記Ｖ２Ｖリソースを解放した後、前記受信器により受信された前記第４の指示メッセージにおける前記Ｖ２Ｖリソースの前記位置情報に従って、前記第２リソースプールから前記Ｖ２Ｖリソースを取得するようにさらに構成されている
ことを特徴とする請求項３２に記載の第２ユーザ装置。
【請求項３４】
命令が記録されたコンピュータ可読記憶媒体であって、前記命令は、コンピュータに請求項１から１１のいずれか一項の方法を実施させることを特徴とするコンピュータ可読記憶媒体。
【請求項３５】
請求項１から１１のいずれか一項の方法をコンピュータに実施させるためのプログラム。
【発明の詳細な説明】
【技術分野】
【０００１】
本発明の実施形態は、無線通信技術に関連し、特に、Ｖ２Ｖベースのリソース割り当て方法及び装置に関する。
【背景技術】
【０００２】
車両から車両(Vehicle to Vehicle, 略してV2V)通信技術において、ユーザ装置は、車載インテリジェント端末デバイスを使用して接続され、ユーザ装置間の相互通信を実現するために、無線アドホック通信ネットワークを形成する。ユーザ装置は、Ｖ２Ｖ技術を使用することにより、セキュリティ関連メッセージを時間内に送信または受信でき、例えば、ユーザ装置の速度、場所、運転方向、又は緊急ブレーキなどのユーザ装置のセキュリティ関連メッセージを周辺のユーザ装置に例えばブロードキャストでき、道路交通の利用効率を向上させるとともに車両運転の安全性を確保する。
【０００３】
従来技術では、ユーザ装置は、ユーザ装置の機能及び／又は実行されるタスクに応じて、高優先度タイプのユーザ装置と低優先度タイプのユーザ装置に分類され得る。例えば、緊急タスクを実行するように構成されているユーザ装置は、高優先度タイプのユーザ装置、例えば、救急車、又は消防車に分類される。高優先度タイプのユーザ装置と低優先度タイプのユーザ装置の双方とも、Ｖ２Ｖ通信技術を使用してセキュリティ関連メッセージを送信する際に、まずＶ２Ｖリソースを取得する必要がある。しかし、Ｖ２Ｖリソースが不十分である場合には、高優先度タイプのユーザ装置は、Ｖ２Ｖリソースを取得できないことがある。その結果、高優先度タイプのユーザ装置のメッセージは時間内に送信されることができず、さらに、高優先度タイプのユーザ装置のサービス品質を保証することができない。
【発明の概要】
【課題を解決するための手段】
【０００４】
本発明の実施形態は、高優先度のユーザ装置のサービス品質を保証するために、Ｖ２Ｖベースのリソース割り当て方法及び装置を提供する。
【０００５】
第１の態様によれば、本発明の実施形態は、Ｖ２Ｖベースのリソース割り当て方法を提供し、
基地局により、第１ユーザ装置により送信されたリソース要求メッセージを受信するステップと、
前記基地局により、前記リソース要求メッセージに従って、前記第１ユーザ装置に対応するレベルタイプを識別するステップと、
前記基地局が、前記第１ユーザ装置に対応する前記レベルタイプが高優先度タイプであって、且つ第１リソースプールにおいて同じサイズを有するアイドルＶ２Ｖリソースのブロックの量が、第１プリセットしきい値より小さいか、叉は前記第１ユーザ装置と変調及び符号化方法により送信されるデータの量に従って、前記基地局により計算される必要なリソースブロックの量が前記第１リソースプール内のアイドルＶ２Ｖリソースのブロックの量より大きい、と識別する場合には、前記第１リソースプールにおいて第２ユーザ装置により占有されているＶ２Ｖリソースから、又は前記高優先度タイプ以外の別のタイプに対応する第２リソースプールから、Ｖ２Ｖリソースを前記第１ユーザ装置に割り当てるステップであって、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である、ステップと、
を含む。
【０００６】
第１の態様に関連し、第１の態様の第１の可能な実施様式において、前記第１リソースプールにおいて第２ユーザ装置により占有されているＶ２ＶリソースからＶ２Ｖリソースを前記第１ユーザ装置に割り当てる前記ステップは、
前記第１リソースプール内のＶ２Ｖリソースが前記第２ユーザ装置により占有されていると判定する場合には、前記基地局により、第１の指示メッセージを前記第２ユーザ装置に送信するステップであって、前記第１の指示メッセージは、前記第２ユーザ装置に、前記第１リソースプールにおいて占有されているＶ２Ｖリソースを解放するように指示するために使用される、ステップと、
前記基地局により、前記第２ユーザ装置により解放された前記Ｖ２Ｖリソースから、前記Ｖ２Ｖリソースを前記第１ユーザ装置に割り当てるステップと、
を含む。
【０００７】
第１の態様に関連し、第１の態様の第２の可能な実施様式において、前記高優先度タイプ以外の別のタイプに対応する第２リソースプールからＶ２Ｖリソースを前記第１ユーザ装置に割り当てる前記ステップは、
前記第２リソースプールにおいて同じサイズを有するアイドルＶ２Ｖリソースのブロックの量が第２プリセットしきい値より小さくないと判定するか、又は前記第１ユーザ装置と前記変調及び符号化方法により送信されるデータの前記量に従って、前記基地局により計算される前記必要なリソースブロックの前記量が前記第２リソースプール内のアイドルＶ２Ｖリソースのブロックの量より小さいと判定する場合には、前記基地局により、前記第２リソースプールから前記Ｖ２Ｖリソースを前記第１ユーザ装置に割り当てるステップ
を含む。
【０００８】
第１の態様の第２の可能な実施様式に関連し、第１の態様の第３の可能な実施様式において、前記方法は、
前記基地局により、第２の指示メッセージを前記第２ユーザ装置に送信するステップであって、前記第２の指示メッセージは、前記第２リソースプールにおいて前記第１ユーザ装置に割り当てられている前記Ｖ２Ｖリソースの位置情報を搬送し、前記第２の指示メッセージは、前記Ｖ２Ｖリソースの前記位置情報に従って、前記第２リソースプールにおいて前記第１ユーザ装置に割り当てられている前記Ｖ２Ｖリソース以外の他のＶ２Ｖリソースから、前記Ｖ２Ｖリソースを取得するように前記第２ユーザ装置に指示するために使用される、ステップ
をさらに含む。
【０００９】
第１の態様の第２の可能な実施様式、又は第１の態様の第３の可能な実施様式に関連し、第１の態様の第４の可能な実施様式において、Ｖ２Ｖリソースを前記第１ユーザ装置に割り当てる前記ステップの後に、前記方法は、
プリセット時間ごとに、前記第１リソースプールにおいて同じサイズを有する前記アイドルＶ２Ｖリソースのブロックの前記量が前記第１プリセットしきい値より小さくないと判定するか、又はプリセット時間ごとに、前記第１ユーザ装置と前記変調及び符号化方法により送信されるデータの前記量に従って前記基地局により計算される前記必要なリソースブロックの前記量が、前記第１リソースプール内の前記アイドルＶ２Ｖリソースのブロックの前記量より小さいと判定する場合には、前記基地局により、前記第１リソースプールから前記Ｖ２Ｖリソースを前記第１ユーザ装置に割り当てるステップと、第３の指示メッセージを前記第１ユーザ装置に送信するステップであって、前記第３の指示メッセージは、前記第２リソースプールにおいて占有されているＶ２Ｖリソースを解放するように前記第１ユーザ装置に指示するために使用される、ステップ
をさらに含む。
【００１０】
第１の態様の第４の可能な実施様式に関連し、第１の態様の第５の可能な実施様式において、前記方法は、
前記基地局により、第４の指示メッセージを前記第２ユーザ装置に送信するステップであって、前記第４の指示メッセージは、前記第１ユーザ装置により解放された前記Ｖ２Ｖリソースの前記位置情報を搬送し、前記第４の指示メッセージは、前記第１ユーザ装置が前記第２リソースプールにおいて占有されているＶ２Ｖリソースを解放した後に、前記Ｖ２Ｖリソースの前記位置情報に従って、前記第２リソースプールから前記Ｖ２Ｖリソースを取得するように前記第２ユーザ装置に指示するために使用される、ステップ
をさらに含む。
【００１１】
第２の態様によれば、本発明の実施形態は、Ｖ２Ｖベースのリソース割り当て方法を提供し、
ユーザ装置により、リソース要求メッセージを基地局に送信するステップであって、前記リソース要求メッセージは、前記ユーザ装置に対応するレベルタイプを識別するように、前記基地局に指示するために使用される、ステップと、
前記ユーザ装置により、前記基地局から、前記基地局により割り当てられたＶ２Ｖリソースを取得するステップであって、前記割り当てられたＶ２Ｖリソースは、前記基地局が、前記ユーザ装置に対応する前記レベルタイプが高優先度タイプであり、且つ第１リソースプールにおいて同じサイズを有するアイドルＶ２Ｖリソースのブロックの量が、第１プリセットしきい値より小さいか、又は前記ユーザ装置と変調及び符号化方法により送信されるデータの量に従って前記基地局により計算される必要なリソースブロックの量が前記第１リソースプール内のアイドルＶ２Ｖリソースのブロックの量より大きい、と判定される場合に、前記第１リソースプールにおいて第２ユーザ装置により占有されているＶ２Ｖリソースから、又は前記高優先度タイプ以外の別のタイプに対応する第２リソースプールから、前記基地局により割り当てられたＶ２Ｖリソースであり、前記第１リソースプールは、前記高優先度タイプに対応するリソースプールであり、前記第２ユーザ装置は、前記高優先度タイプ以外の別のタイプのユーザ装置である、ステップと、
前記ユーザ装置により、前記割り当てられたＶ２Ｖリソースに従って、Ｖ２Ｖデータを送信するステップと、
を含む。
【００１２】
第２の態様に関連し、第２の態様の第１の可能な実施様式において、前記基地局から、前記ユーザ装置により、前記基地局により割り当てられたＶ２Ｖリソースを取得する前記ステップの後に、前記方法は、
前記基地局により送信された第３の指示メッセージを、前記ユーザ装置により受信するステップであって、前記第３の指示メッセージは、前記基地局が、プリセット時間ごとに、前記第１リソースプールにおいて同じサイズを有する前記アイドルＶ２Ｖリソースのブロックの前記量が前記第１プリセットしきい値より小さくないか、又は前記第１ユーザ装置と前記変調及び符号化方法により送信されるデータの前記量に従って前記基地局により計算される前記必要なリソースブロックの前記量が、前記第１リソースプール内の前記アイドルＶ２Ｖリソースのブロックの前記量より小さい、と判定する場合に、前記基地局により生成されるメッセージである、ステップと、
前記第３の指示メッセージに従って、前記第２リソースプールにおいて占有されている前記Ｖ２Ｖリソースを、前記ユーザ装置により解放するステップ及び前記第１リソースプールから前記基地局により割り当てられた前記Ｖ２Ｖリソースを受信するステップと、
をさらに含む。
【００１３】
第３の態様によれば、本発明の実施形態は、Ｖ２Ｖベースのリソース割り当て方法を提供し、
基地局により送信された第１の指示メッセージを、ユーザ装置により受信するステップであって、前記第１の指示メッセージは、前記基地局が第１リソースプール内のＶ２Ｖリソースがすでに前記ユーザ装置により占有されていることを判定する場合に、前記基地局により生成されるメッセージであり、前記第１リソースプールは、前記高優先度タイプに対応するリソースプールである、ステップと、
前記第１の指示メッセージに従って、前記第１リソースプールにおいて占有されている前記Ｖ２Ｖリソースを、前記ユーザ装置により解放するステップと、
を含む。
【００１４】
第３の態様に関連し、第３の態様の第１の可能な実施様式において、前記方法は、
前記ユーザ装置により、前記基地局により送信された第２の指示メッセージを受信するステップであって、前記第２の指示メッセージは、前記基地局が、第２リソースプールにおいて同じサイズを有するアイドルＶ２Ｖリソースのブロックの量が第２プリセットしきい値より小さくないか、又は前記第１ユーザ装置と変調及び符号化方法により送信されるデータの量に従って、前記基地局により計算される必要なリソースブロックの量が前記第２リソースプール内のアイドルＶ２Ｖリソースのブロックの量より小さい、と判定する場合に、前記基地局により生成されるメッセージであり、前記第２の指示メッセージは、前記基地局により前記第２リソースプールにおける前記第１ユーザ装置に割り当てられたＶ２Ｖリソースの位置情報を搬送し、前記第２リソースプールは、前記高優先度タイプ以外の別のタイプに対応するリソースプールであり、前記第１ユーザ装置は、前記高優先度タイプのユーザ装置である、ステップと、
前記第２の指示メッセージにおける前記Ｖ２Ｖリソースの前記位置情報に従って、前記ユーザ装置により、前記第２リソースプールにおいて前記第１ユーザ装置により占有されている前記Ｖ２Ｖリソース以外の他のＶ２Ｖリソースから、前記Ｖ２Ｖリソースを取得するステップと、
をさらに含む。
【００１５】
第３の態様に関連し、第３の態様の第２の可能な実施様式において、前記方法は、
前記基地局により送信された第４の指示メッセージを、前記ユーザ装置により受信するステップであって、前記第４の指示メッセージは、前記基地局が、前記第１リソースプールにおいて同じサイズを有するアイドルＶ２Ｖリソースのブロックの量が、第１プリセットしきい値より小さくないか、又は前記第１ユーザ装置と変調及び符号化方法により送信されるデータの量に従って、前記基地局により計算される必要なリソースブロックの量が前記第１リソースプール内のアイドルＶ２Ｖリソースのブロックの量より小さい、と判定する場合に、前記基地局により生成されるメッセージであり、前記第４の指示メッセージは、前記第１ユーザ装置により解放されたＶ２Ｖリソースの位置情報を搬送する、ステップと、
前記第１ユーザ装置が、前記第２リソースプールにおいて占有されている前記Ｖ２Ｖリソースを解放した後に、前記第４の指示メッセージにおける前記Ｖ２Ｖリソースの前記位置情報に従って、前記ユーザ装置により、前記Ｖ２Ｖリソースを第２リソースプールから取得するステップと、
をさらに含む。
【００１６】
第４の態様によれば、本発明の実施形態は、Ｖ２Ｖベースのリソース割り当て装置を提供し、
第１ユーザ装置により送信されたリソース要求メッセージを受信するように構成されたトランシーバモジュールと、
前記トランシーバモジュールにより送信された前記リソース要求メッセージに従って、前記第１ユーザ装置に対応するレベルタイプを識別するように構成された識別モジュールと、
前記識別モジュールが、前記第１ユーザ装置に対応するレベルタイプが高優先度タイプであり、且つ第１リソースプールにおいて同じサイズを有するアイドルＶ２Ｖリソースのブロックの量が、第１プリセットしきい値より小さいと識別する場合か、又は前記識別モジュールが、前記第１ユーザ装置と変調及び符号化方法により送信されるデータの量に従って計算される必要なリソースブロックの量が前記第１リソースプール内のアイドルＶ２Ｖリソースのブロックの量より大きいと識別する場合に、前記第１リソースプールにおいて第２ユーザ装置により占有されているＶ２Ｖリソースから、又は前記高優先度タイプ以外の別のタイプに対応する第２リソースプールから、Ｖ２Ｖリソースを前記第１ユーザ装置に割り当てるように構成された割り当てモジュールであって、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である、割り当てモジュールと、
を含む。
【００１７】
第４の態様に関連し、第４の態様の第１の可能な実施様式において、前記割り当てモジュールは、
前記第１リソースプール内のＶ２Ｖリソースが前記第２ユーザ装置により占有されているかどうかを判定するように構成された判定ユニットと、
前記判定ユニットが、前記第１リソースプール内の前記Ｖ２Ｖリソースが前記第２ユーザ装置により占有されていると判定する場合に、第１の指示メッセージを前記第２ユーザ装置に送信するように構成された送信ユニットであって、前記第１の指示メッセージは、前記第２ユーザ装置に、前記第１リソースプールにおいて占有されているＶ２Ｖリソースを解放するように指示するために使用される、送信ユニットと、
前記送信ユニットが前記第１の指示メッセージを送信した後に、前記第２ユーザ装置により解放された前記Ｖ２Ｖリソースから、前記Ｖ２Ｖリソースを、前記第１ユーザ装置に割り当てるように構成された割り当てユニットと、
を含む。
【００１８】
第４の態様に関連し、第４の態様の第２の可能な実施様式において、前記割り当てモジュールは、
前記第２リソースプールにおいて同じサイズを有するアイドルＶ２Ｖリソースのブロックの量が第２プリセットしきい値より小さくないかどうかを判定するか、又は前記第１ユーザ装置と前記変調及び符号化方法により送信されるデータの前記量に従って計算される前記必要なリソースブロックの前記量が前記第２リソースプール内のアイドルＶ２Ｖリソースのブロックの量より小さいかどうかを判定するように構成された判定ユニットと、
前記判定ユニットが、前記第２リソースプールにおいて同じサイズを有する前記アイドルＶ２Ｖリソースのブロックの前記量が前記第２プリセットしきい値より小さくないと判定する場合に、又は前記判定ユニットが、前記第１ユーザ装置と前記変調及び符号化方法により送信されるデータの前記量に従って計算される前記必要なリソースブロックの前記量が前記第２リソースプール内の前記アイドルＶ２Ｖリソースのブロックの前記量より小さいと判定する場合に、前記第２リソースプールから前記Ｖ２Ｖリソースを前記第１ユーザ装置に割り当てるように構成された割り当てユニットと、
を含む。
【００１９】
第４の態様の第２の可能な実施様式に関連し、第４の態様の第３の可能な実施様式において、前記トランシーバモジュールは、第２の指示メッセージを前記第２ユーザ装置に送信するようにさらに構成されており、前記第２の指示メッセージは、前記第２リソースプールにおいて前記第１ユーザ装置に割り当てられている前記Ｖ２Ｖリソースの位置情報を搬送し、前記第２の指示メッセージは、前記Ｖ２Ｖリソースの前記位置情報に従って、前記第２リソースプールにおいて前記第１ユーザ装置に割り当てられている前記Ｖ２Ｖリソース以外の他のＶ２Ｖリソースから、前記Ｖ２Ｖリソースを取得するように前記第２ユーザ装置に指示するために使用される。
【００２０】
第４の態様の第２の可能な実施様式、又は第４の態様の第３の可能な実施様式に関連し、第４の態様の第４の可能な実施様式において、前記装置は、判定モジュールをさらに具備し、
前記判定モジュールは、プリセット時間ごとに、前記第１リソースプールにおいて同じサイズを有する前記アイドルＶ２Ｖリソースのブロックの前記量が前記第１プリセットしきい値より小さくないかどうかを判定するか、又はプリセット時間ごとに、前記第１ユーザ装置と前記変調及び符号化方法により送信されるデータの前記量に従って計算される前記必要なリソースブロックの前記量が前記第１リソースプール内の前記アイドルＶ２Ｖリソースのブロックの前記量より小さいかどうかを判定するように構成されており、
前記割り当てモジュールは、前記判定モジュールが前記第１リソースプールにおいて同じサイズを有する前記アイドルＶ２Ｖリソースのブロックの前記量が前記第１プリセットしきい値より小さくないと判定する場合か、又は前記判定モジュールが、前記第１ユーザ装置と前記変調及び符号化方法により送信されるデータの前記量に従って計算される前記必要なリソースブロックの前記量が前記第１リソースプール内の前記アイドルＶ２Ｖリソースのブロックの前記量より小さいと判定する場合に、前記第１リソースプールから前記Ｖ２Ｖリソースを前記第１ユーザ装置に割り当てるようにさらに構成されており、
前記トランシーバモジュールは、前記判定モジュールが、前記第１リソースプールにおいて同じサイズを有する前記アイドルＶ２Ｖリソースのブロックの前記量が前記第１プリセットしきい値より小さくないと判定する場合に、又は前記判定モジュールが、前記第１ユーザ装置と前記変調及び符号化方法により送信されるデータの前記量に従って計算される前記必要なリソースブロックの前記量が前記第１リソースプール内の前記アイドルＶ２Ｖリソースのブロックの前記量より小さいと判定する場合に、第３の指示メッセージを前記第１ユーザ装置に送信するようにさらに構成されており、前記第３の指示メッセージは、前記第２リソースプールにおいて占有されているＶ２Ｖリソースを解放するように前記第１ユーザ装置に指示するために使用される。
【００２１】
第４の態様の第４の可能な実施様式に関連し、第４の態様の第５の可能な実施様式において、前記トランシーバモジュールは、第４の指示メッセージを前記第２ユーザ装置に送信するようにさらに構成されており、前記第４の指示メッセージは、前記第１ユーザ装置により解放された前記Ｖ２Ｖリソースの前記位置情報を搬送し、前記第４の指示メッセージは、前記第１ユーザ装置が前記第２リソースプールにおいて占有されているＶ２Ｖリソースを解放した後に、前記Ｖ２Ｖリソースの前記位置情報に従って、前記第２リソースプールから前記Ｖ２Ｖリソースを取得するように前記第２ユーザ装置に指示するために使用される。
【００２２】
第５の態様によれば、本発明の実施形態は、Ｖ２Ｖベースのリソース割り当て装置を提供し、
リソース要求メッセージを基地局に送信するように構成されているトランシーバモジュールであって、前記リソース要求メッセージは、前記ユーザ装置に対応するレベルタイプを識別するように、前記基地局に指示するために使用される、トランシーバモジュールと、
前記トランシーバモジュールが前記リソース要求メッセージを前記基地局に送信した後に、前記基地局から、前記基地局により割り当てられたＶ２Ｖリソースを取得するように構成されている取得モジュールであって、前記割り当てられたＶ２Ｖリソースは、前記基地局が、前記ユーザ装置に対応する前記レベルタイプが高優先度タイプであり、且つ第１リソースプールにおいて同じサイズを有するアイドルＶ２Ｖリソースのブロックの量が、第１プリセットしきい値より小さいか、又は前記ユーザ装置と変調及び符号化方法により送信されるデータの量に従って前記基地局により計算される必要なリソースブロックの量が前記第１リソースプール内のアイドルＶ２Ｖリソースのブロックの量より大きい、と判定する場合に、前記第１リソースプールにおいて第２ユーザ装置により占有されているＶ２Ｖリソースから、又は前記高優先度タイプ以外の別のタイプに対応する第２リソースプールから、前記基地局により割り当てられたＶ２Ｖリソースであり、前記第１リソースプールは、前記高優先度タイプに対応するリソースプールであり、前記第２ユーザ装置は、前記高優先度タイプ以外の別のタイプのユーザ装置である、取得モジュールと、
を含み、
前記トランシーバモジュールは、前記取得モジュールにより取得された前記Ｖ２Ｖリソースに従って、Ｖ２Ｖデータを送信するようにさらに構成されている。
【００２３】
第５の態様に関連し、第５の態様の第１の可能な実施様式において、前記トランシーバモジュールは、前記基地局により送信された第３の指示メッセージを受信するようにさらに構成され、前記第３の指示メッセージは、前記基地局が、プリセット時間ごとに、前記第１リソースプールにおいて同じサイズを有する前記アイドルＶ２Ｖリソースのブロックの前記量が前記第１プリセットしきい値より小さくないか、又は前記第１ユーザ装置と前記変調及び符号化方法により送信されるデータの前記量に従って前記基地局により計算される前記必要なリソースブロックの前記量が前記第１リソースプール内の前記アイドルＶ２Ｖリソースのブロックの前記量より小さいと判定する場合に、前記基地局により生成されるメッセージであり、
前記装置は、処理モジュールをさらに具備し、
前記処理モジュールは、前記トランシーバモジュールにより受信された前記第３の指示メッセージに従って、前記第２リソースプールにおいて占有されている前記Ｖ２Ｖリソースを解放するように構成されており、
前記トランシーバモジュールは、前記基地局により割り当てられた前記Ｖ２Ｖリソースを前記第１リソースプールから受信するようにさらに構成されている。
【００２４】
第６の態様によれば、本発明の実施形態は、Ｖ２Ｖベースのリソース割り当て装置を提供し、
基地局により送信された第１の指示メッセージを受信するように構成されたトランシーバモジュールであって、前記第１の指示メッセージは、前記基地局が第１リソースプール内のＶ２Ｖリソースがすでに前記ユーザ装置により占有されていることを判定する場合に、前記基地局により生成されるメッセージであり、前記第１リソースプールは、前記高優先度タイプに対応するリソースプールである、トランシーバモジュールと、
前記トランシーバモジュールにより受信された前記第１の指示メッセージに従って、前記第１リソースプールにおいて占有されている前記Ｖ２Ｖリソースを解放するように構成された処理モジュールと、
を含む。
【００２５】
第６の態様に関連し、第６の態様の第１の可能な実施様式において、前記トランシーバモジュールは、前記基地局により送信された第２の指示メッセージを受信するようにさらに構成され、前記第２の指示メッセージは、前記基地局が、第２リソースプールにおいて同じサイズを有するアイドルＶ２Ｖリソースのブロックの量が第２プリセットしきい値より小さくないか、又は前記第１ユーザ装置と変調及び符号化方法により送信されるデータの量に従って、前記基地局により計算される必要なリソースブロックの量が前記第２リソースプール内のアイドルＶ２Ｖリソースのブロックの量より小さい、と判定する場合に、前記基地局により生成されるメッセージであり、前記第２の指示メッセージは、前記基地局により前記第２リソースプールにおける前記第１ユーザ装置に割り当てられたＶ２Ｖリソースの位置情報を搬送し、前記第２リソースプールは、前記高優先度タイプ以外の別のタイプに対応するリソースプールであり、前記第１ユーザ装置は、前記高優先度タイプのユーザ装置であり、
前記装置は、取得モジュールをさらに具備し、
前記取得モジュールは、前記トランシーバモジュールにより受信された前記第２の指示メッセージにおける前記Ｖ２Ｖリソースの前記位置情報に従って、前記第２リソースプールにおいて前記第１ユーザ装置により占有されている前記Ｖ２Ｖリソース以外の他のＶ２Ｖリソースから前記Ｖ２Ｖリソースを取得するように構成されている。
【００２６】
第６の態様に関連し、第６の態様の第２の可能な実施様式において、前記トランシーバモジュールは、前記基地局により送信された第４の指示メッセージを受信するようにさらに構成されており、前記第４の指示メッセージは、前記基地局が、前記第１リソースプールにおいて同じサイズを有するアイドルＶ２Ｖリソースのブロックの量が、第１プリセットしきい値より小さくないか、又は前記第１ユーザ装置と変調及び符号化方法により送信されるデータの量に従って、前記基地局により計算される必要なリソースブロックの量が前記第１リソースプール内のアイドルＶ２Ｖリソースのブロックの量より小さいと判定する場合に、前記基地局により生成されるメッセージであり、前記第４の指示メッセージは、前記第１ユーザ装置により解放されたＶ２Ｖリソースの位置情報を搬送し、
前記装置は、取得モジュールをさらに具備し、
前記取得モジュールは、前記第１ユーザ装置が、前記第２リソースプールにおいて占有されている前記Ｖ２Ｖリソースを解放した後、前記トランシーバモジュールにより受信された前記第４の指示メッセージにおける前記Ｖ２Ｖリソースの前記位置情報に従って、第２リソースプールから前記Ｖ２Ｖリソースを取得するように構成されている。
【００２７】
第７の態様によれば、本発明の実施形態は、基地局を提供し、
第１ユーザ装置により送信されたリソース要求メッセージを受信するように構成されている受信器と、
前記受信器により受信された前記リソース要求メッセージに従って、前記第１ユーザ装置に対応するレベルタイプを識別するように構成されたプロセッサと、
を含み、
前記プロセッサは、前記第１ユーザ装置に対応するレベルタイプが高優先度タイプであり、且つ第１リソースプールにおいて同じサイズを有するアイドルＶ２Ｖリソースのブロックの量が、第１プリセットしきい値より小さいことを識別する場合、又は前記第１ユーザ装置と変調及び符号化方法により送信されるデータの量に従って計算される必要なリソースブロックの量が前記第１リソースプール内のアイドルＶ２Ｖリソースのブロックの量より大きいことを識別する場合、Ｖ２Ｖリソースを、前記第１リソースプールにおいて第２ユーザ装置により占有されているＶ２Ｖリソースから、又は前記高優先度タイプ以外の別のタイプに対応する第２リソースプールから、前記第１ユーザ装置に割り当てるようにさらに構成されており、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である
【００２８】
第７の態様に関連し、第７の態様の第１の可能な実施様式において、前記プロセッサは、前記第１リソースプール内のＶ２Ｖリソースが前記第２ユーザ装置により占有されているかどうかを判定するようにさらに構成されており、
前記基地局は、送信器をさらに含み、
前記送信器は、前記プロセッサが、前記第１リソースプール内の前記Ｖ２Ｖリソースがすでに前記第２ユーザ装置により占有されていると判定する場合、第１の指示メッセージを前記第２ユーザ装置に送信するように構成されており、前記第１の指示メッセージは、前記第２ユーザ装置に、前記第１リソースプールにおいて占有されているＶ２Ｖリソースを解放するように指示するために使用され、
前記プロセッサは、前記送信器が前記第１の指示メッセージを送信した後、前記第２ユーザ装置により解放された前記Ｖ２Ｖリソースから、前記Ｖ２Ｖリソースを、前記第１ユーザ装置に割り当てるようにさらに構成されている。
【００２９】
第７の態様に関連し、第７の態様の第２の可能な実施様式において、前記プロセッサは、前記第２リソースプールにおいて同じサイズを有するアイドルＶ２Ｖリソースのブロックの量が第２プリセットしきい値より小さくないと判定する場合、又は前記第１ユーザ装置と前記変調及び符号化方法により送信されるデータの前記量に従って計算される前記必要なリソースブロックの前記量が前記第２リソースプール内のアイドルＶ２Ｖリソースのブロックの量より小さいと判定する場合、前記第２リソースプールから前記Ｖ２Ｖリソースを前記第１ユーザ装置に割り当てるようにさらに構成されている。
【００３０】
第７の態様の第２の可能な実施様式に関連し、第７の態様の第３の可能な実施様式において、前記トランシーバモジュールは、第２の指示メッセージを前記第２ユーザ装置に送信するようにさらに構成されており、前記第２の指示メッセージは、前記第２リソースプールにおいて前記第１ユーザ装置に割り当てられている前記Ｖ２Ｖリソースの位置情報を搬送し、前記第２の指示メッセージは、前記Ｖ２Ｖリソースの前記位置情報に従って、前記第２リソースプールにおいて前記第１ユーザ装置に割り当てられている前記Ｖ２Ｖリソース以外の他のＶ２Ｖリソースから、前記Ｖ２Ｖリソースを取得するように前記第２ユーザ装置に指示するために使用される。
【００３１】
第７の態様の第２の可能な実施様式、又は第７の態様の第３の可能な実施様式に関連し、第７の態様の第４の可能な実施様式において、前記プロセッサは、プリセット時間ごとに、前記第１リソースプールにおいて同じサイズを有する前記アイドルＶ２Ｖリソースのブロックの前記量が前記第１プリセットしきい値より小さくないと判定する場合か、又はプリセット時間ごとに、前記第１ユーザ装置と前記変調及び符号化方法により送信されるデータの前記量に従って計算される前記必要なリソースブロックの前記量が、前記第１リソースプール内の前記アイドルＶ２Ｖリソースのブロックの前記量より小さいと判定する場合に、前記第１リソースプールから前記Ｖ２Ｖリソースを前記第１ユーザ装置に割り当てるようにさらに構成され、
前記送信器は、前記プロセッサが、前記第１リソースプールにおいて同じサイズを有する前記アイドルＶ２Ｖリソースのブロックの前記量が前記第１プリセットしきい値より小さくないか、又は前記第１ユーザ装置と前記変調及び符号化方法により送信されるデータの前記量に従って計算される前記必要なリソースブロックの前記量が前記第１リソースプール内の前記アイドルＶ２Ｖリソースのブロックの前記量より小さいと判定する場合に、第３の指示メッセージを前記第１ユーザ装置に送信するようにさらに構成されており、前記第３の指示メッセージは、前記第２リソースプールにおいて占有されているＶ２Ｖリソースを解放するように前記第１ユーザ装置に指示するために使用される。
【００３２】
第７の態様の第４の可能な実施様式に関連し、第７の態様の第５の可能な実施様式において、前記送信器は、第４の指示メッセージを前記第２ユーザ装置に送信するようにさらに構成されており、前記第４の指示メッセージは、前記第１ユーザ装置により解放された前記Ｖ２Ｖリソースの前記位置情報を搬送し、前記第４の指示メッセージは、前記第１ユーザ装置が前記第２リソースプールにおいて占有されているＶ２Ｖリソースを解放した後に、前記Ｖ２Ｖリソースの前記位置情報に従って、前記第２リソースプールから前記Ｖ２Ｖリソースを取得するように前記第２ユーザ装置に指示するために使用される。
【００３３】
第８の態様によれば、本発明の実施形態は、ユーザ装置を提供し、
リソース要求メッセージを基地局に送信するように構成されている送信器であって、前記リソース要求メッセージは、前記ユーザ装置に対応するレベルタイプを識別するように、前記基地局に指示するために使用される、送信器と、
前記送信器が前記リソース要求メッセージを送信した後に、前記基地局から、前記基地局により割り当てられたＶ２Ｖリソースを取得するように構成されている受信器であって、前記割り当てられたＶ２Ｖリソースは、前記基地局が、前記ユーザ装置に対応する前記レベルタイプが高優先度タイプであり、且つ第１リソースプールにおいて同じサイズを有するアイドルＶ２Ｖリソースのブロックの量が、第１プリセットしきい値より小さいか、又は前記ユーザ装置と変調及び符号化方法により送信されるデータの量に従って前記基地局により計算される必要なリソースブロックの量が、前記第１リソースプール内のアイドルＶ２Ｖリソースのブロックの量より大きい、と判定する場合に、前記第１リソースプールにおいて第２ユーザ装置により占有されているＶ２Ｖリソースから、又は前記高優先度タイプ以外の別のタイプに対応する第２リソースプールから、前記基地局により割り当てられたＶ２Ｖリソースであり、前記第１リソースプールは、前記高優先度タイプに対応するリソースプールであり、前記第２ユーザ装置は、前記高優先度タイプ以外の別のタイプのユーザ装置である、受信器と、
を含み、
前記送信器は、前記受信器により受信された前記Ｖ２Ｖリソースに従ってＶ２Ｖデータを送信するようにさらに構成されている。
【００３４】
第８の態様に関連し、第８の態様の第１の可能な実施様式において、前記受信器は、前記基地局により送信された第３の指示メッセージを受信するようにさらに構成され、前記第３の指示メッセージは、前記基地局が、前記第１リソースプールにおいて同じサイズを有する前記アイドルＶ２Ｖリソースのブロックの前記量が前記第１プリセットしきい値より小さくないか、又は前記第１ユーザ装置と前記変調及び符号化方法により送信されるデータの前記量に従って前記基地局により計算される前記必要なリソースブロックの前記量が前記第１リソースプール内の前記アイドルＶ２Ｖリソースのブロックの前記量より少ない、とプリセット時間ごとに判定する場合に前記基地局により生成されるメッセージであり、
プロセッサは、前記受信器により受信された前記第３の指示メッセージに従って前記第２リソースプールにおいて占有されている前記Ｖ２Ｖリソースを解放するように構成されており、
前記受信器は、前記基地局により割り当てられた前記Ｖ２Ｖリソースを、前記第１リソースプールから受信するようにさらに構成されている。
【００３５】
第９の態様によれば、本発明の実施形態は、ユーザ装置を提供し、
基地局により送信された第１の指示メッセージを受信するように構成された受信器であって、前記第１の指示メッセージは、前記基地局が第１リソースプール内のＶ２Ｖリソースがすでに前記ユーザ装置により占有されていることを判定する場合に、前記基地局により生成されるメッセージであり、前記第１リソースプールは、前記高優先度タイプに対応するリソースプールである、受信器と、
前記受信器により受信された前記第１の指示メッセージに従って、前記第１リソースプールにおいて占有されている前記Ｖ２Ｖリソースを解放するように構成されているプロセッサと、
を含む。
【００３６】
第９の態様に関連し、第９の態様の第１の可能な実施様式において、前記受信器は、前記基地局により送信された第２の指示メッセージを受信するようにさらに構成され、前記第２の指示メッセージは、第２リソースプールにおいて同じサイズを有するアイドルＶ２Ｖリソースのブロックの量が第２プリセットしきい値より小さくないか、又は前記第１ユーザ装置と変調及び符号化方法により送信されるデータの量に従って、前記基地局により計算される必要なリソースブロックの量が前記第２リソースプール内のアイドルＶ２Ｖリソースのブロックの量より小さい、と前記基地局が判定する場合に、前記基地局により生成されるメッセージであり、前記第２の指示メッセージは、前記基地局により前記第２リソースプールにおける前記第１ユーザ装置に割り当てられたＶ２Ｖリソースの位置情報を搬送し、前記第２リソースプールは、前記高優先度タイプ以外の別のタイプに対応するリソースプールであり、前記第１ユーザ装置は、前記高優先度タイプのユーザ装置であり、
前記プロセッサは、前記受信器により受信された前記第２の指示メッセージにおける前記Ｖ２Ｖリソースの前記位置情報に従って、前記第２リソースプールにおいて前記第１ユーザ装置により占有されている前記Ｖ２Ｖリソース以外の他のＶ２Ｖリソースから、前記Ｖ２Ｖリソースを取得するように構成されている。
【００３７】
第９の態様に関連し、第９の態様の第２の可能な実施様式において、前記受信器は、前記基地局により送信された第４の指示メッセージを受信するようにさらに構成され、前記第４の指示メッセージは、前記第１リソースプールにおいて同じサイズを有するアイドルＶ２Ｖリソースのブロックの量が、第１プリセットしきい値より小さくないか、又は前記第１ユーザ装置と変調及び符号化方法により送信されるデータの量に従って、前記基地局により計算される必要なリソースブロックの量が前記第１リソースプール内のアイドルＶ２Ｖリソースのブロックの量より小さい、と前記基地局が判定する場合に、前記基地局により生成されるメッセージであり、前記第４の指示メッセージは、前記第１ユーザ装置により解放されたＶ２Ｖリソースの位置情報を搬送し、
前記プロセッサは、前記第１ユーザ装置が、前記第２リソースプールにおいて占有されている前記Ｖ２Ｖリソースを解放した後、前記受信器により受信された前記第４の指示メッセージにおける前記Ｖ２Ｖリソースの前記位置情報に従って、前記第２リソースプールから前記Ｖ２Ｖリソースを取得するようにさらに構成されている。
【００３８】
本発明の実施形態において提供されるＶ２Ｖベースのリソース割り当て方法及び装置によると、基地局は、第１ユーザ装置により送信されたリソース要求メッセージを受信し、前記リソース要求メッセージに従って、前記第１ユーザ装置に対応するレベルタイプを識別し、前記第１ユーザ装置に対応するレベルタイプが高優先度タイプであり、且つ第１リソースプールにおいて同じサイズを有するアイドルＶ２Ｖリソースのブロックの量が、第１プリセットしきい値より小さいか、又は前記第１ユーザ装置と変調及び符号化方法により送信されるデータの量に従って前記基地局により計算される、必要なリソースブロックの量が、第１リソースプール内のアイドルＶ２Ｖリソースのブロックの量より大きい、と識別される場合には、前記第１リソースプールにおいて第２ユーザ装置により占有されているＶ２Ｖリソースから、又は前記高優先度タイプ以外の別のタイプに対応する第２リソースプールから、Ｖ２Ｖリソースを前記第１ユーザ装置に割り当て、前記Ｖ２Ｖリソースは、前記第１ユーザ装置によりＶ２Ｖデータを送信するために使用され、前記第１リソースプールは、前記高優先度タイプに対応するリソースプールであり、前記第２ユーザ装置は、前記高優先度タイプ以外の別のタイプのユーザ装置である。前記第１リソースプールにおいて同じサイズを有する前記アイドルＶ２Ｖリソースのブロックの前記量が前記第１プリセットしきい値より小さいか、又は前記第１ユーザ装置と前記変調及び符号化方法により送信されるデータの前記量に従って前記基地局により計算される前記必要なリソースブロックの前記量が前記第１リソースプール内の前記アイドルＶ２Ｖリソースのブロックの前記量より大きい場合には、前記Ｖ２Ｖリソースは、前記第１リソースプールにおいて前記第２ユーザ装置により占有されている前記Ｖ２Ｖリソースから、又は前記第２リソースプールから、前記第１ユーザ装置のためにスケジューリングされ、これにより、高優先度タイプのユーザ装置のサービス品質を保証できないという技術的問題を解決し、Ｖ２Ｖリソースが不足している場合に、前記高優先度タイプのユーザ装置がＶ２Ｖリソースを取得できないという従来技術における問題を回避することが可能となる。したがって、Ｖ２Ｖリソースが不足している場合には、前記高優先度タイプのユーザ装置が優先的にＶ２Ｖリソースを取得し得、これにより、前記高優先度タイプのユーザ装置のメッセージが時間内に送信されることができ、高優先度のユーザ装置のサービス品質をより良く確保できる。
【００３９】
本発明の実施形態におけるまたは従来技術における技術的解決策をより明確に説明するために、以下で実施形態又は従来技術を説明するために必要な添付の図面について簡単に説明する。以下の説明における添付の図面は本発明のいくつかの実施形態を示すものにすぎず、それでもなお、当業者が創造的な努力なしにこれらの添付の図面から他の図面を得ることができることは明らかである。
【図面の簡単な説明】
【００４０】
【図１】図１は、本発の実施形態によるＶ２Ｖベースのリソース割当方法の概略フローチャートである。
【図２】図２は、本発明の別の実施形態によるＶ２Ｖベースのリソース割当方法の概略フローチャートである。
【図３】図３は、本発明のさらに他の実施形態によるＶ２Ｖベースのリソース割当方法の概略フローチャートである。
【図４】図４は、本発明のさらに別の実施形態によるＶ２Ｖベースのリソース割当方法の概略フローチャートである。
【図５】図５は、本発明のさらに別の実施形態によるＶ２Ｖベースのリソース割当方法の概略フローチャートである。
【図６】図６は、本発明のさらに別の実施形態によるＶ２Ｖベースのリソース割当方法の概略フローチャートである。
【図７】図７は、本発明のさらに別の実施形態によるＶ２Ｖベースのリソース割当方法の概略フローチャートである。
【図８】図８は、本発明のさらに別の実施形態によるＶ２Ｖベースのリソース割当方法の概略フローチャートである。
【図９】図９は、本発明のさらに別の実施形態によるＶ２Ｖベースのリソース割当方法の概略フローチャートである。
【図１０】図１０は、本発明のさらに別の実施形態によるＶ２Ｖベースのリソース割当方法の概略フローチャートである。
【図１１】図１１は、本発明のさらに別の実施形態によるＶ２Ｖベースのリソース割当方法の概略フローチャートである。
【図１２】図１２は、本発明の実施形態によるＶ２Ｖベースのリソース割当装置の概略構成図である。
【図１３】図１３は、本発明の他の実施例によるＶ２Ｖベースのリソース割当装置の概略構成図である。
【図１４】図１４は、本発明のさらに他の実施形態によるＶ２Ｖベースのリソース割当装置の概略構成図である。
【図１５】図１５は、本発明のさらに別の実施形態によるＶ２Ｖベースのリソース割当装置の概略構成図である。
【図１６】図１６は、本発明のさらに別の実施形態によるＶ２Ｖベースのリソース割当装置の概略構成図である。
【図１７】図１７は、本発明のさらに別の実施形態によるＶ２Ｖベースのリソース割当装置の概略構成図である。
【図１８】図１８は、本発明のさらに別の実施形態によるＶ２Ｖベースのリソース割当装置の概略構成図である。
【図１９】図１９は、本発明のさらに別の実施形態によるＶ２Ｖベースのリソース割当装置の概略構成図である。
【図２０】図２０は、本発明の実施形態による基地局の構造概略図である。
【図２１】図２１は、本発明の他の実施形態による基地局の構造概略図である。
【図２２】図２２は、本発明の実施形態によるユーザ装置の構造概略図である。
【図２３】図２３は、本発明の他の実施形態によるユーザ装置の構造概略図である。
【図２４】図２４は、本発明の実施形態によるユーザ装置の構造概略図である。
【発明を実施するための形態】
【００４１】
本発明の実施形態における添付の図面を参照しながら、本発明の実施形態における技術的解決策について以下で明確かつ完全に説明する。説明する実施形態は、本発明の実施形態のすべてではなく、一部にすぎないことは明らかである。創造的な努力なしに本発明の実施形態に基づいて当業者によって得られるすべての他の実施形態は、本発明の保護範囲内に入るものである。
【００４２】
図１は、本発の実施形態によるＶ２Ｖベースのリソース割当方法の概略フローチャートである。本発明のこの実施形態は、Ｖ２Ｖベースのリソース割り当て方法を提供する。方法は、Ｖ２Ｖベースのリソース割り当て方法を実行する任意の装置により実行され得る。装置は、ソフトウェア手段及び／又はハードウェア手段により実装され得る。この実施形態において、装置は、基地局に統合されてもよい。図１に示されているように、この実施形態における方法は、以下のステップを含み得る。
【００４３】
ステップ１０１：基地局は、第１ユーザ装置により送信されたリソース要求メッセージを受信する。
【００４４】
この実施形態において、第１ユーザ装置は、例えば、車両であり得る。リソース要求メッセージを基地局に送信する前に、第１ユーザ装置は、基地局が、ＲＲＣ接続確立要求メッセージに従って第１ユーザ装置との接続を確立できるように、最初に、無線リソース制御(Radio Resource Control, 略してRRC)接続確立要求メッセージを基地局に送信する必要がある。基地局が第１ユーザ装置への接続を正常に確立した後、基地局は、第１ユーザ装置に識別情報を割り当てることができる。識別情報は、例えば、セル無線ネットワーク・テンポラリ識別子(Cell Radio Network Temporary Identifier, 略してC-RNTI)であってもよい。第１ユーザ装置は、基地局がＶ２Ｖリソースを第１ユーザ装置に割り当てられるように、基地局により割り当てられた識別情報に従って、リソース要求メッセージを基地局に送信する。
【００４５】
ステップ１０２：基地局は、リソース要求メッセージに従って、第１ユーザ装置に対応するレベルタイプを識別する。
【００４６】
この実施形態において、第１ユーザ装置により送信されたリソース要求メッセージを受信した後、基地局は、リソース要求メッセージに従って、第１ユーザ装置に対応するレベルタイプを識別する。具体的な実装プロセスでは、第１ユーザ装置は、ＲＲＣ接続確立要求メッセージに、ユーザ装置のレベルタイプを識別するために使用されるユーザ装置識別子情報(identifier information)を追加し、ＲＲＣ接続確立要求メッセージを基地局に送信してもよく、又は第１ユーザ装置と基地局が接続を確立した後、ユーザ装置識別子情報を他のＲＲＣシグナリングに追加し、このＲＲＣシグナリングを基地局に報告してもよく、又はユーザ装置識別子情報をリソース要求メッセージに追加し、リソース要求メッセージを基地局に送信してもよい。第１ユーザ装置がユーザ装置識別子情報をリソース要求メッセージに追加し、リソース要求メッセージを基地局に送信する場合には、第１ユーザ装置は、バッファステータス報告(buffer status Report, 略してBSR)に対応するサブヘッダを使用することにより、リソース要求メッセージを報告し得る。具体的には、論理チャネルＩＤ(Logical Channel ID, 略してLCID)は、第１ユーザ装置により報告されるＢＳＲにおける識別子である。ＬＣＩＤにおけるＲは、予約ビットであり、ユーザ装置識別子情報は、Ｒビットに書き込まれ、基地局に報告され得る。第１ユーザ装置がユーザ装置識別子情報を基地局に報告する様式は、この実施形態に特に限定されない。さらに、ユーザ装置のレベルタイプは、高優先度タイプ及び高優先度タイプ以外の別のタイプを含み得るが、これに限定されない。
【００４７】
ステップ１０３：基地局が、第１ユーザ装置に対応するレベルタイプが高優先度タイプであると識別し、且つ第１リソースプールにおいて同じサイズを有するアイドルＶ２Ｖリソースのブロックの量が、第１プリセットしきい値より小さいか、又は第１ユーザ装置と変調及び符号化方法により送信されるデータの量に従って基地局により計算される、必要なリソースブロックの量が、第１リソースプール内のアイドルＶ２Ｖリソースのブロックの量より大きい場合には、基地局は、第１リソースプールにおいて第２ユーザ装置により占有されているＶ２Ｖリソースから、又は高優先度タイプ以外の別のタイプに対応する第２リソースプールから、Ｖ２Ｖリソースを第１ユーザ装置に割り当て、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。
【００４８】
この実施形態において、ユーザ装置は、高優先度タイプのユーザ装置と高優先度タイプ以外の別のタイプのユーザ装置に分類され得る。例えば、高優先度タイプのユーザ装置は、緊急時に使用されるユーザ装置、例えば、消防車や救急車であり、又は高優先度のセキュリティ関連メッセージを他のユーザ装置に送信する別のタイプのユーザ装置であり得る。ユーザ装置のタイプは、配信前に予め設定されてもよく、または後で設定されてもよい。高優先度タイプ以外の別のタイプのユーザ装置が高優先度のセキュリティ関連メッセージを送信する場合、ユーザ装置は、ユーザ装置のレベルタイプ識別するために使用されるユーザ装置識別子情報を基地局に報告する必要があるだけでなく、メッセージのレベルタイプを識別するために使用されるメッセージ識別子情報を基地局に報告する必要があることに留意すべきである。基地局がメッセージ識別子情報を受信し、メッセージが高優先度のメッセージであることを識別する場合には、基地局は、高優先度タイプ以外の別のタイプのユーザ装置を、高優先度タイプのユーザ装置として一時的に見なしてもよい。
【００４９】
さらに、基地局のカバレージ下で、基地局は、Ｖ２Ｖリソースを、高優先度タイプに対応する第１リソースプール内のＶ２Ｖリソースと、高優先度タイプ以外の別のタイプに対応する第２リソースプールのＶ２Ｖリソースに分類され得る。高優先度タイプのユーザ装置は、第１リソースプール内のＶ２Ｖリソースを使用して、Ｖ２Ｖデータを送信する、すなわち、セキュリティ関連メッセージを別のユーザ装置に送信し、高優先度タイプ以外の別のタイプのユーザ装置は、第２リソースプール内のＶ２Ｖリソースを使用して、Ｖ２Ｖデータを送信する。
【００５０】
基地局が、第１ユーザ装置が高優先度タイプのユーザ装置であることを識別する場合、基地局は、第１リソースプールにおいて同じサイズを有するアイドルＶ２Ｖリソースのブロックの量が第１プリセットしきい値より小さいかどうか、又は第１ユーザ装置と変調及び符号化方法により送信されるデータの量に従って基地局により計算される必要なリソースブロックの量が第１リソースプール内のアイドルＶ２Ｖリソースのブロックの量より大きいかどうか、を検出し、第１リソースプールにおいて同じサイズを有するアイドルＶ２Ｖリソースのブロックの量が第１プリセットしきい値より小さいか、又は必要なリソースブロックの量が第１リソースプール内のアイドルＶ２Ｖリソースのブロックの量より大きい場合には、第１リソースプールにおいて第２高優先度タイプ以外の別のタイプのユーザ装置により占有されているＶ２Ｖリソースから、又は第２リソースプールから、アイドルＶ２Ｖリソースを選択し、アイドルＶ２Ｖリソースを第１ユーザ装置に割り当てる。基地局により割り当てられたＶ２Ｖリソースを受信した後、第１ユーザ装置は、割り当てられたＶ２Ｖリソースに従って、別のユーザ装置とのＶ２Ｖ通信を実行し、これにより、第１ユーザ装置のメッセージが時間内に送信されることができることを保証する。第１リソースプール内のアイドルＶ２Ｖリソースブロックのサイズは、同じであっても違っていてもよいことに留意すべきである。第１プリセットしきい値は、実際の状況に応じて設定することができ、第１プリセットしきい値の具体的な値は、本発明において特に限定されない。
【００５１】
本発明のこの実施形態において提供されるＶ２Ｖベースのリソース割り当て方法によると、基地局は、第１ユーザ装置により送信されたリソース要求メッセージを受信し、リソース要求メッセージに従って、第１ユーザ装置に対応するレベルタイプを識別し、第１ユーザ装置に対応するレベルタイプが高優先度タイプであることが識別され、第１リソースプールにおいて同じサイズを有するアイドルＶ２Ｖリソースのブロックの量が、第１プリセットしきい値より小さいか、又は第１ユーザ装置と変調及び符号化方法により送信されるデータの量に従って基地局により計算される、必要なリソースブロックの量が、第１リソースプール内のアイドルＶ２Ｖリソースのブロックの量より大きい場合には、第１ユーザ装置は、第１リソースプールにおいて第２ユーザ装置により占有されているＶ２Ｖリソースから、又は高優先度タイプ以外の別のタイプに対応する第２リソースプールから、Ｖ２Ｖリソースを割り当て、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい場合には、Ｖ２Ｖリソースは、第１リソースプールにおいて第２ユーザ装置により占有されているＶ２Ｖリソースから、又は第２リソースプールから、第１ユーザ装置に対してスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。
【００５２】
[0075] 必要に応じて、前述の方法の実施形態では、基地局が、第１ユーザ装置に対応するレベルタイプが高優先度タイプであることを識別し、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくないならば、基地局は、第１リソースプールからＶ２Ｖリソースを第１ユーザ装置に割り当てる。
【００５３】
具体的には、基地局が第１ユーザ装置により送信されたリソース要求メッセージを受信し、リソース要求メッセージに従って、第１ユーザ装置に対応するレベルタイプが高優先度タイプであることを識別する場合、基地局は、アイドルリソーステーブルを照会し、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくないことが判定された場合には、第１リソースプールからアイドルＶ２Ｖリソースを選択し、アイドルＶ２Ｖリソースを第１ユーザ装置に割り当て、第１ユーザ装置の識別情報、ユーザ装置識別子情報、及び第１リソースプールにおいて割り当てられたＶ２Ｖリソースの位置情報をリソース割り当てテーブルに記録し、基地局が次回、リソースを割り当てられるように、アイドルリソーステーブルにおけるＶ２Ｖリソースの関連する記録を削除する。
【００５４】
図２は、本発明の別の実施形態によるＶ２Ｖベースのリソース割当方法の概略フローチャートである。図１に示されている実施形態に基づき、この実施形態では、第１リソースプールにおいて第２ユーザ装置により占有されているＶ２Ｖリソースから、Ｖ２Ｖリソースを第１ユーザ装置に割り当てる実施形態を詳細に説明する。図２に示されているように、この実施形態における方法は、以下のステップを含み得る。
【００５５】
ステップ２０１：第１リソースプール内のＶ２Ｖリソースが既に第２ユーザ装置により占有されていると判定されたならば、基地局は、第１の指示メッセージを第２ユーザ装置に送信し、第１の指示メッセージは、第２ユーザ装置に、第１リソースプールにおいて占有されているＶ２Ｖリソースを解放するように指示するために使用される。
【００５６】
この実施形態において、基地局のカバレージ下で、第１ユーザ装置は、基地局によるスケジューリングの様式で、第１リソースプール内のＶ２Ｖリソースを取得し、第２ユーザ装置は、コンテンションの様式で、第２リソースプール内のＶ２Ｖリソースを取得する。第２リソースプール内のＶ２Ｖリソースが不十分である場合、すなわち、第２リソースプールにおいて同じサイズを有するアイドルＶ２Ｖリソースのブロックの量が第２プリセットしきい値より小さい場合には、第２ユーザ装置は、リソース要求メッセージを基地局に送信する様式で、基地局に、第１リソースプールからＶ２Ｖリソースを第２ユーザ装置に割り当てるように要求し得る。第２ユーザ装置と基地局が接続を確立する処理及び２ユーザ装置がユーザ装置のタイプを識別するために使用されるユーザ装置識別子情報を基地局に報告する様式は、第１ユーザ装置のそれらと同様であり、詳細はここでは再度説明しない。基地局が、第２ユーザ装置に対応するタイプが、高優先度タイプ以外の別のタイプであることを識別する場合、基地局は、アイドルリソーステーブルを照会することにより、第１リソースプールにおいて同じサイズを有するアイドルＶ２Ｖリソースのブロックの量が第１プリセットしきい値より小さいかどうかを判定するか、又はアイドルリソーステーブルを照会することにより、第１ユーザ装置と変調及び符号化方法により送信されるデータの量に従って計算される必要なリソースブロックの量が第１リソースプール内のアイドルＶ２Ｖリソースのブロックの量より大きいかどうかを判定する。第１リソースプールにおいて同じサイズを有するアイドルＶ２Ｖリソースのブロックの量が第１プリセットしきい値より小さいか、又は必要なリソースブロックの計算される量が第１リソースプール内のアイドルＶ２Ｖリソースのブロックの量より大きい場合には、基地局は、リソース割り当て拒否メッセージを第２ユーザ装置に送信する。リソース割り当て拒否メッセージを受信した後、第２ユーザ装置は、第２リソースプール内のＶ２Ｖリソースの競争(contend)を再試行するが、第２リソースプール内のＶ２Ｖリソースが不十分である場合に、第２ユーザ装置が頻繁にリソース要求メッセージを基地局に送信することからリソースの無駄な消費が生じる、ということを回避するために、その後プリセット時間期間内は、第２ユーザ装置はリソース要求メッセージを基地局に送信できない。第２プリセットしきい値とプリセット時間期間は、実際の状況に応じて設定することができ、本実施形態では特に限定されない。第１リソースプールにおいて同じサイズを有するアイドルＶ２Ｖリソースのブロックの量が第１プリセットしきい値より小さくないか、又は必要なリソースブロックの計算される量が第１リソースプール内のアイドルＶ２Ｖリソースのブロックの量より小さいことを、基地局が照会することにより分かる場合には、基地局は、アイドルＶ２ＶリソースからＶ２Ｖリソースを選択し、第２ユーザ装置が、割り当てられたＶ２Ｖリソースに従ってＶ２Ｖデータを送信できるように、Ｖ２Ｖリソースを第２ユーザ装置に割り当てる。さらに、基地局は、第２ユーザ装置の識別情報、ユーザ装置識別子情報、及び割り当てられた第１リソースプール内のＶ２Ｖリソースの位置情報を、リソース割り当てテーブルに記録し、基地局が次回リソースを割り当てる際に、基地局が照会(query)を実行できるように、アイドルリソーステーブルにおけるＶ２Ｖリソースの関連する記録を削除する。
【００５７】
この場合において、第１ユーザ装置が、Ｖ２Ｖリソースを割り当てるように基地局に要求するためのリソース要求メッセージを基地局に送信する場合には、基地局が、第１ユーザ装置に対応するレベルタイプが高優先度タイプであることを識別する場合、基地局は、第１リソースプールにおいて同じサイズを有するアイドルＶ２Ｖリソースのブロックの量が第１プリセットしきい値より小さくないかどうかを判定するか、又は第１ユーザ装置と変調及び符号化方法により送信されるデータの量に従って計算される必要なリソースブロックの量が第１リソースプール内のアイドルＶ２Ｖリソースのブロックの量より大きくないかどうかを判定するために、アイドルリソーステーブルを照会し、第１リソースプールにおいて同じサイズを有するアイドルＶ２Ｖリソースのブロックの量が第１プリセットしきい値より小さくないか、又は必要なリソースブロックの量が第１リソースプール内のアイドルＶ２Ｖリソースのブロックの量より大きくない場合には、第１リソースプールからＶ２Ｖリソースを選択し、Ｖ２Ｖリソースを第１ユーザ装置に割り当て、第１リソースプールにおいて同じサイズを有するアイドルＶ２Ｖリソースのブロックの量が第１プリセットしきい値より小さいか、又は必要なリソースブロックの量が第１リソースプール内のアイドルＶ２Ｖリソースのブロックの量より大きい場合には、基地局は、第１リソースプール内のＶ２Ｖリソースを占有している第２ユーザ装置が存在するかどうかを判定するために、リソース割り当てテーブルを照会する。基地局が、第２ユーザ装置が第１リソースプール内のＶ２Ｖリソースを占有していることがを判定した場合、基地局は、第１の指示メッセージを、第１リソースプール内のＶ２Ｖリソースを占有している少なくとも１つの第２ユーザ装置に送信する。第１の指示メッセージを受信した後、第２ユーザ装置は、第１の指示メッセージに従って、第１リソースプールにおいて占有されているＶ２Ｖリソースを解放し、第２リソースプールからＶ２Ｖリソースを取得するために再試行する。
【００５８】
ステップ２０２：基地局は、第２ユーザ装置により解放されたＶ２Ｖリソースから、Ｖ２Ｖリソースを第１ユーザ装置に割り当てる。
【００５９】
この実施形態において、第２ユーザ装置が、第１リソースプールにおいて占有されているＶ２Ｖリソースを解放した後、基地局は、第２ユーザ装置により解放されたＶ２Ｖリソースから、Ｖ２Ｖリソースを選択し、Ｖ２Ｖリソースを第１ユーザ装置に割り当て、第１ユーザ装置の識別情報、ユーザ装置識別子情報、及び割り当てられたＶ２Ｖリソースの位置情報をリソース割り当てテーブルに記録し、第１リソースプールにおいて第２ユーザ装置により占有されているＶ２Ｖリソースの関連情報を削除する。第１ユーザ装置は、Ｖ２Ｖデータを割り当てられたＶ２Ｖリソースに従って送信し、セキュリティ関連メッセージを別のユーザ装置にブロードキャストする。
【００６０】
必要に応じて、第１リソースプールにおいて占有されているＶ２Ｖリソースを解放した後、第２ユーザ装置は、リソース解放ステータスを搬送する第１解放メッセージを基地局にさらに送信してもよい。基地局が、第１解放メッセージにおける解放ステータスは、リソースが正常に解放されたことである、と判定する場合には、基地局は、第２ユーザ装置により解放されたＶ２Ｖリソースから、Ｖ２Ｖリソースを選択し、Ｖ２Ｖリソースを第１ユーザ装置に割り当て、これにより、第1ユーザ装置がV2Vリソースを取得する信頼性を保証する。
【００６１】
本発明のこの実施形態において提供されるＶ２Ｖベースのリソース割り当て方法によると、基地局は、第１ユーザ装置により送信されたリソース要求メッセージを受信し、リソース要求メッセージに従って、第１ユーザ装置に対応するレベルタイプを識別し、第１ユーザ装置に対応するレベルタイプが高優先度タイプであることを識別し、第１リソースプールにおいて同じサイズを有するアイドルＶ２Ｖリソースのブロックの量が、第１プリセットしきい値より小さいか、又は第１ユーザ装置と変調及び符号化方法により送信されるデータの量に従って基地局により計算される、必要なリソースブロックの量が、第１リソースプール内のアイドルＶ２Ｖリソースのブロックの量より大きいならば、第１ユーザ装置は、第１リソースプールにおいて第２ユーザ装置により占有されているＶ２Ｖリソースから、又は高優先度タイプ以外の別のタイプに対応する第２リソースプールから、Ｖ２Ｖリソースを割り当て、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい場合、Ｖ２Ｖリソースは、第１リソースプールにおいて第２ユーザ装置により占有されているＶ２Ｖリソースから、又は第２リソースプールから、第１ユーザ装置に対してスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。さらに、第２リソースプール内のアイドルＶ２Ｖリソースの量が第２プリセットしきい値より小さく、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が第１リソースプール内のアイドルＶ２Ｖリソースのブロックの量より小さい場合、基地局は、第１リソースプール内のアイドルＶ２Ｖリソースを第２ユーザ装置に割り当て得る。第１ユーザ装置が、基地局に、Ｖ２Ｖリソースを第１ユーザ装置に割り当てることを要求するとともに、第１リソースプール内のＶ２Ｖリソースが不十分である場合、第２ユーザ装置は、第１リソースプール内のＶ２Ｖリソースを解放するようにスケジューリングされ、解放されたＶ２Ｖリソースが第１ユーザ装置に割り当てられ、Ｖ２Ｖリソース割り当てがより柔軟である。
【００６２】
図３は、本発明のさらに他の実施形態によるＶ２Ｖベースのリソース割当方法の概略フローチャートである。図１に示されている実施形態に基づき、この実施形態では、高優先度タイプ以外の別のタイプに対応する第２リソースプールから第１ユーザ装置にＶ２Ｖリソースを割り当てる実施形態について詳細に説明される。図３に示されているように、この実施形態における方法は、以下のステップを含み得る。
【００６３】
ステップ３０１：第２リソースプールにおいて同じサイズを有するアイドルＶ２Ｖリソースのブロックの量が第２プリセットしきい値より小さくないか、又は第１ユーザ装置と変調及び符号化方法により送信されるデータの量に従って、基地局により計算される必要なリソースブロックの量が第２リソースプール内のアイドルＶ２Ｖリソースのブロックの量より大きくないと判定された場合には、基地局は、第２リソースプールからＶ２Ｖリソースを第１ユーザ装置に割り当てる。
【００６４】
この実施形態において、第１ユーザ装置は、リソース要求メッセージを基地局に送信し、基地局にＶ２Ｖリソースの割り当てを要求する。リソース要求メッセージを受信した後、基地局は、アイドルリソーステーブルを照会する。基地局が、第１リソースプール内のアイドルＶ２Ｖリソースのブロックの量が第１プリセットしきい値より小さいか、又は第１ユーザ装置と変調及び符号化方法により送信されるデータの量に従って計算される必要なリソースブロックの量が第１リソースプール内のアイドルＶ２Ｖリソースのブロックの量より大きく、且つ第２リソースプール内のアイドルＶ２Ｖリソースのブロックの量が第２プリセットしきい値より小さくないか、又は第１ユーザ装置と変調及び符号化方法により送信されるデータの量に従って基地局により計算される必要なリソースブロックの量が第２リソースプール内のアイドルＶ２Ｖリソースのブロックの量より大きくないことが、照会することにより分かる場合には、基地局は、第２リソースプールからＶ２Ｖリソースを選択し、Ｖ２Ｖリソースを第１ユーザ装置に割り当てることができ、第２リソースプール内のＶ２Ｖリソースの利用を改善する。
【００６５】
ステップ３０２：基地局は、第２の指示メッセージを第２ユーザ装置に送信し、第２の指示メッセージは、第２リソースプールにおいて第１ユーザ装置に割り当てられているＶ２Ｖリソースの位置情報を搬送し、第２の指示メッセージは、Ｖ２Ｖリソースの位置情報に従って、第２リソースプールにおいて第１ユーザ装置に割り当てられているＶ２Ｖリソース以外の他のＶ２Ｖリソースから、Ｖ２Ｖリソースを取得するように第２ユーザ装置に指示するために使用される。
【００６６】
この実施形態において、第２リソースプールからＶ２Ｖリソースを第１ユーザ装置に割り当てた後、基地局は、第２の指示メッセージを第２ユーザ装置に送信する。第２の指示メッセージは、第２ユーザ装置に、第１ユーザ装置に割り当てられているＶ２Ｖリソースを使用しないように指示するために使用される。すなわち、第２ユーザ装置は、第２リソースプールにおいて第１ユーザ装置に割り当てられているＶ２Ｖリソース以外の他のＶ２Ｖリソースからのみ、Ｖ２Ｖリソースを競争し、取得されたＶ２Ｖリソースに従って、Ｖ２Ｖデータを送信し、セキュリティ関連メッセージを別のユーザ装置にブロードキャストする。実際のアプリケーション処理では、基地局は、システムメッセージを修正し、リソース占有命令ページングメッセージをセル内のすべての第２ユーザ装置に送信し、第２ユーザ装置に基地局により送信された第２の指示メッセージを受信するように指示することができる。したがって、この場合において、セル内のすべての第２ユーザ装置は、基地局により、第２リソースプールから第１ユーザ装置に割り当てられているＶ２Ｖリソースを競争又は使用できない。さらに、基地局は、指示メッセージを第１ユーザ装置に送信し、セキュリティ関連メッセージを第２ユーザ装置にブロードキャストするときに、基地局により第２リソースプールから第１ユーザ装置に割り当てられたＶ２Ｖリソースの位置情報をセキュリティ関連メッセージに追加するように、第１ユーザ装置に、通知することができる。したがって、この場合において、セキュリティ関連メッセージを受信する第２ユーザ装置のみが、基地局により第２リソースプールから第１ユーザ装置に割り当てられているＶ２Ｖリソースを競争することができず、セル内でセキュリティ関連メッセージを受信していない別の第２ユーザ装置は、依然として第１ユーザ装置に割り当てられたＶ２Ｖリソースを競争し、取得されたＶ２Ｖリソースに従って、Ｖ２Ｖ通信を実行でき、これにより、Ｖ２Ｖリソースを多重化し、リソースの使用効率を改善する。
【００６７】
ステップ３０３：プリセット時間ごとに、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくない、と判定される場合には、基地局は、第１リソースプールからＶ２Ｖリソースを第１ユーザ装置に割り当てるとともに第３の指示メッセージを第１ユーザ装置に送信し、第３の指示メッセージは、第２リソースプールにおいて占有されているＶ２Ｖリソースを解放するように第１ユーザ装置に指示するために使用される。
【００６８】
この実施形態において、基地局が、第２リソースプール内のＶ２Ｖリソースを第１ユーザ装置に割り当て、第２ユーザ装置にＶ２Ｖリソースを使用しないように指示した後、基地局は、定期的にプリセット時間ごとに、アイドルリソーステーブルを照会して、第１リソースプール内のアイドルＶ２Ｖリソースのブロックの量が第１プリセットしきい値より小さくないかどうかを判定するか、又は第１ユーザ装置と変調及び符号化方法により送信されるデータの量に従って基地局により計算される必要なリソースブロックの量が、第１リソースプール内のアイドルＶ２Ｖリソースのブロックの量より大きくないかどうかを判定し、第１リソースプール内のアイドルＶ２Ｖリソースのブロックの量が第１プリセットしきい値より小さくないか、又は必要なリソースブロックの量が第１リソースプール内のアイドルＶ２Ｖリソースのブロックの量より大きくなく、且つ、アイドルＶ２Ｖリソースが第１リソースプールにおいて格納されている時間がプリセット値を超過する場合には、基地局は、第１リソースプールに照会することを通じて取得されたアイドルＶ２Ｖリソースを、第１ユーザ装置に割り当て、第３の指示メッセージを第１ユーザ装置に送信し、第３の指示メッセージは、第２リソースプールにおいて占有されているＶ２Ｖリソースを解放するように第１ユーザ装置に指示するために使用される。プリセット時間期間及びプリセット値は、実際の状況に応じて設定され、プリセット時間期間及びプリセット値の具体的な値は、この実施形態において特に限定されない。
【００６９】
必要に応じて、基地局が、第１リソースプール内のアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくないことを判定した場合、基地局は、第３の指示メッセージを第１ユーザ装置に送信し、第２リソースプールにおいて占有されているＶ２Ｖリソースを解放するように第１ユーザ装置に指示する。占有されているＶ２Ｖリソースを解放した後、第１ユーザ装置は、第２解放メッセージを基地局にさらに送信し得る。第２解放メッセージを受信し、第２解放メッセージにおいて搬送されるＶ２Ｖリソースの解放ステータスを判定することにより、Ｖ２Ｖリソースの解放ステータスが成功であることが分かった後、基地局は、第１リソースプールを照会することを通じて取得されたアイドルＶ２Ｖリソースを第１ユーザ装置に割り当て、第１ユーザ装置によるＶ２Ｖリソース取得の信頼性を確保する。
【００７０】
ステップ３０４：基地局は、第４の指示メッセージを第２ユーザ装置に送信し、第４の指示メッセージは、第１ユーザ装置により解放されたＶ２Ｖリソースの位置情報を搬送し、第４の指示メッセージは、第１ユーザ装置が第２リソースプールにおいて占有されているＶ２Ｖリソースを解放した後に、Ｖ２Ｖリソースの位置情報に従って、第２リソースプールからＶ２Ｖリソースを取得するように第２ユーザ装置に指示するために使用される。
【００７１】
この実施形態において、第１ユーザ装置が第２リソースプールにおいて占有されているＶ２Ｖリソースを正常に解放することが分かった後、基地局は、第４の指示メッセージを第２ユーザ装置に送信し得る。第４の指示メッセージは、第２ユーザ装置に、第１ユーザ装置により解放されたＶ２Ｖリソースを競争するとともに使用するように指示するために使用される。すなわち、第２ユーザ装置は、第１ユーザ装置が、第２リソースプールにおいて占有されているＶ２Ｖリソースを解放した後、第２リソースプールからＶ２Ｖリソースを取得し、取得されたＶ２Ｖリソースに従って、セキュリティ関連メッセージをブロードキャストし得る。
【００７２】
実際のアプリケーション処理では、基地局が、システムメッセージを修正する様式において第２の指示メッセージを第２ユーザ装置に送信する場合には、第１リソースプール内のアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくない場合、基地局は、依然としてシステムメッセージを修正するとともにリソース解放指示ページングメッセージを、セル内のすべての第２ユーザ装置に送信し、第２ユーザ装置に、基地局により送信された第４の指示メッセージを受信するように指示する。基地局が、指示メッセージを第１ユーザ装置に送信する場合には、第１ユーザ装置がセキュリティ関連メッセージを第２ユーザ装置にブロードキャストするとともに基地局により第２リソースプールから第１ユーザ装置に割り当てられたＶ２Ｖリソースの位置情報をセキュリティ関連メッセージに追加する場合、基地局は、第４の指示メッセージをセル内のすべての第２ユーザ装置に直接送信し得る。この場合において、第４の指示メッセージは、リソース解放指示ページングメッセージであり得る。
【００７３】
本発明のこの実施形態において提供されるＶ２Ｖベースのリソース割り当て方法によると、基地局は、第１ユーザ装置により送信されたリソース要求メッセージを受信し、リソース要求メッセージに従って、第１ユーザ装置に対応するレベルタイプを識別し、第１ユーザ装置に対応するレベルタイプが高優先度タイプであることを識別し、第１リソースプールにおいて同じサイズを有するアイドルＶ２Ｖリソースのブロックの量が、第１プリセットしきい値より小さいか、又は第１ユーザ装置と変調及び符号化方法により送信されるデータの量に従って基地局により計算される、必要なリソースブロックの量が、第１リソースプール内のアイドルＶ２Ｖリソースのブロックの量より大きい場合には、第１ユーザ装置は、第１リソースプールにおいて第２ユーザ装置により占有されているＶ２Ｖリソースから、又は高優先度タイプ以外の別のタイプに対応する第２リソースプールから、Ｖ２Ｖリソースを割り当て、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい場合、Ｖ２Ｖリソースは、第１リソースプールにおいて第２ユーザ装置により占有されているＶ２Ｖリソースから、又は第２リソースプールから、第１ユーザ装置に対してスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。さらに、基地局は、第２リソースプール内のアイドルＶ２Ｖリソースを第１ユーザ装置にさらに割り当ててもよい。第１リソースプール内のアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくない場合、基地局は、第２リソースプール内のＶ２Ｖリソースを解放するように第１ユーザ装置をスケジューリングし、これにより、第２リソースプール内のＶ２Ｖリソースの利用を改善し、占有されているＶ２Ｖリソースを解放するシグナリングオーバヘッドを可能な限り低減する。
【００７４】
図４は、本発明のさらに別の実施形態によるＶ２Ｖベースのリソース割当方法の概略フローチャートである。本発明のこの実施形態は、Ｖ２Ｖベースのリソース割り当て方法を提供する。方法は、Ｖ２Ｖベースのリソース割り当て方法を実行する任意の装置により実行され得る。装置は、ソフトウェア手段及び／又はハードウェア手段により実装され得る。この実施形態において、装置は、ユーザ装置に統合されてもよく、例えば、車両内の車載通信ユニットである。図４に示されているように、この実施形態における方法は、以下のステップを含み得る。
【００７５】
ステップ４０１：ユーザ装置は、リソース要求メッセージを基地局に送信し、リソース要求メッセージは、ユーザ装置に対応するレベルタイプを識別するように、基地局に指示するために使用される。
【００７６】
この実施形態において、ユーザ装置は、前述の実施形態における第１ユーザ装置であり得る。リソース要求を基地局に送信する前に、ユーザ装置は、基地局との接続を確立するために、最初にＲＲＣ接続確立要求メッセージを送信する必要がある。基地局とユーザ装置が接続を正常に確立した後、基地局は、ユーザ装置に識別情報を割り当てることができ、識別情報は、例えば、セル無線ネットワーク・テンポラリ識別子(Cell Radio Network Temporary Identifier, 略してC-RNTI)であってもよい。基地局が識別情報をユーザ装置に割り当てた後、ユーザ装置は、基地局がユーザ装置に対応するレベルタイプを識別できるように、識別情報に従って、リソース要求メッセージを基地局に送信する。具体的な実装プロセスでは、ユーザ装置が、ユーザ装置のレベルタイプを識別するために使用されるユーザ装置識別子情報をＲＲＣ接続確立要求メッセージに追加し、ＲＲＣ接続確立要求メッセージを基地局に送信してもよく、又はユーザ装置と基地局が接続を確立した後、ユーザ装置が、ユーザ装置識別子情報を他のＲＲＣシグナリングに追加し、ＲＲＣシグナリングを基地局に報告してもよく、又はユーザ装置が、ユーザ装置識別子情報をリソース要求メッセージに追加し、リソース要求メッセージを基地局に送信してもよい。ユーザ装置が、ユーザ装置識別子情報をリソース要求メッセージに追加し、リソース要求メッセージを基地局に送信する場合、ユーザ装置は、ＢＳＲに対応するサブヘッダを使用して報告を実行してもよい。具体的には、ＬＣＩＤは、ユーザ装置により報告されるＢＳＲにおける識別子である。ＬＣＩＤにおけるＲは、予約ビットであり、ユーザ装置識別子情報は、Ｒビットに書き込まれ、基地局に報告され得る。ユーザ装置がユーザ装置のレベルタイプを識別するために使用されるユーザ装置識別子情報を基地局に報告する方式は、この実施形態において特に限定されない。
【００７７】
ステップ４０２：ユーザ装置は、基地局により割り当てられたＶ２Ｖリソースを基地局から取得し、割り当てられたＶ２Ｖリソースは、基地局により割り当てられたＶ２Ｖリソースであり、基地局が、ユーザ装置に対応するレベルタイプが高優先度タイプであり、且つ第１リソースプールにおいて同じサイズを有するアイドルＶ２Ｖリソースのブロックの量が、第１プリセットしきい値より小さいか、又はユーザ装置と変調及び符号化方法により送信されるデータの量に従って、基地局により計算される必要なリソースブロックの量が、第１リソースプール内のアイドルＶ２Ｖリソースのブロックの量より大きいことを、第１リソースプールにおいて第２ユーザ装置により占有されているＶ２Ｖリソースから、又は高優先度タイプ以外の別のタイプに対応する第２リソースプールから判定する場合、第１リソースプールは、高優先度タイプに対応するリソースプールであり、第２ユーザ装置は、高優先度タイプ以外の別のタイプのユーザ装置である。
【００７８】
この実施形態において、高優先度タイプのユーザ装置は、例えば、緊急時に使用されるユーザ装置であり得、例えば、消防車や救急車であり、又は高優先度のセキュリティ関連メッセージを別のユーザ装置に送信する高優先度タイプ以外の別のタイプのユーザ装置であってもよい。高優先度タイプ以外の別のタイプのユーザ装置は、高優先度のセキュリティ関連メッセージを送信し、ユーザ装置は、ユーザ装置のレベルタイプ識別するために使用されるユーザ装置識別子情報を基地局に報告する必要があるだけでなく、メッセージのレベルタイプを識別するために使用されるメッセージ識別子情報を、基地局に報告する必要があることに留意すべきである。基地局がメッセージ識別子情報を受信し、メッセージが高優先度のメッセージであることを識別する場合には、基地局は、高優先度タイプ以外の別のタイプのユーザ装置を、高優先度タイプのユーザ装置として一時的に見なしてもよい。
【００７９】
さらに、基地局は、Ｖ２Ｖリソースを、高優先度タイプに対応する第１リソースプール内のＶ２Ｖリソースと、高優先度タイプ以外の別のタイプに対応する第２リソースプールのＶ２Ｖリソースに分類してもよい。高優先度タイプのユーザ装置は、第１リソースプール内のＶ２Ｖリソースを使用して、Ｖ２Ｖデータを送信する、すなわち、セキュリティ関連メッセージを別のユーザ装置に送信し、高優先度タイプ以外の別のタイプのユーザ装置は、第２リソースプール内のＶ２Ｖリソースを使用して、Ｖ２Ｖデータを送信する。
【００８０】
基地局が、ユーザ装置に対応するレベルタイプが高優先度タイプであると判定する場合、基地局は、アイドルリソーステーブルを照会することにより、第１リソースプールにおいて同じサイズを有するアイドルＶ２Ｖリソースのブロックの量が第１プリセットしきい値より小さいかどうか、又はユーザ装置と、変調及び符号化方法により送信されるデータの量に従って基地局により計算される必要なリソースブロックの量が第１リソースプール内のアイドルＶ２Ｖリソースのブロックの量より大きいかどうかを判定し、第１リソースプールにおいて同じサイズを有するアイドルＶ２Ｖリソースのブロックの量が第１プリセットしきい値より小さいか、又は必要なリソースブロックの量が第１リソースプール内のアイドルＶ２Ｖリソースのブロックの量より大きい場合には、第１リソースプールにおいて第２高優先度タイプ以外の別のタイプのユーザ装置により占有されているＶ２Ｖリソースから、又は第２リソースプールから、アイドルＶ２Ｖリソースを選択し、アイドルＶ２Ｖリソースをユーザ装置に割り当てる。第１リソースプール内のアイドルＶ２Ｖリソースブロックのサイズは、同じであっても異なっていてもよいことに留意すべきである。
【００８１】
ステップ４０３：ユーザ装置は、割り当てられたＶ２Ｖリソースに従ってＶ２Ｖデータを送信する。
【００８２】
本発明のこの実施形態において提供されるＶ２Ｖベースのリソース割り当て方法によると、ユーザ装置は、リソース要求メッセージを基地局に送信し、基地局に、ユーザ装置に対応するレベルタイプを識別するように指示し、ユーザ装置は、基地局により割り当てられたＶ２Ｖリソースを基地局から取得し、割り当てられたＶ２Ｖリソースは、基地局が、ユーザ装置に対応するレベルタイプが高優先度タイプであると判定し、第１リソースプールにおいて同じサイズを有するアイドルＶ２Ｖリソースのブロックの量が、第１プリセットしきい値より小さいか、又はユーザ装置と変調及び符号化方法により送信されるデータの量に従って基地局により計算される必要なリソースブロックの量が、第１リソースプール内のアイドルＶ２Ｖリソースのブロックの量より大きい場合に、第１リソースプールにおいて第２ユーザ装置により占有されているＶ２Ｖリソースから、又は高優先度タイプ以外の別のタイプに対応する第２リソースプールから、基地局により割り当てられたＶ２Ｖリソースであり、ユーザ装置は、割り当てられたＶ２Ｖリソースに従ってＶ２Ｖデータを送信する。第１リソースプールにおいて同じサイズを有するアイドルＶ２Ｖリソースのブロックの量が第１プリセットしきい値より小さいか、又はユーザ装置と変調及び符号化方法により送信されるデータの量に従って基地局により計算される必要なリソースブロックの量が第１リソースプール内のアイドルＶ２Ｖリソースのブロックの量より大きい場合、Ｖ２Ｖリソースは、第１リソースプールにおいて第２ユーザ装置により占有されているＶ２Ｖリソースから、又は第２リソースプールからユーザ装置にスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。
【００８３】
図５は、本発明のさらに別の実施形態によるＶ２Ｖベースのリソース割当方法の概略フローチャートである。図４に示されている実施形態に基づき、この実施形態において、ユーザ装置が基地局から、基地局により割り当てられたＶ２Ｖリソースを取得した後の実施形態が詳細に説明される。図５に示されているように、この実施形態における方法は、以下のステップを含み得る。
【００８４】
ステップ５０１：ユーザ装置は、基地局により送信された第３の指示メッセージを受信し、第３の指示メッセージは、基地局が、プリセット時間ごとに、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくない、と判定する場合に、基地局により生成されるメッセージである。
【００８５】
この実施形態において、ユーザ装置は、Ｖ２Ｖリソースを割り当てるように基地局に要求するためのリソース要求メッセージを基地局に送信する。リソース要求メッセージを受信した後、基地局は、アイドルリソーステーブルを照会する。基地局が、第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きく、且つ第２リソースプール内のアイドルＶ２Ｖリソースのブロックの量が第２プリセットしきい値より小さくないか、又は第１ユーザ装置と変調及び符号化方法により送信されるデータの量に従って基地局により計算される必要なリソースブロックの量が第２リソースプール内のアイドルＶ２Ｖリソースのブロックの量より大きくないことを照会することにより分かる場合には、基地局は、第２リソースプールからＶ２Ｖリソースを選択し、Ｖ２Ｖリソースを第１ユーザ装置に割り当てることができる。Ｖ２Ｖリソースを第２リソースプールからユーザ装置に割り当てた後、基地局は、アイドルリソーステーブルを、定期的にプリセット時間ごとに照会して、第１リソースプール内のアイドルＶ２Ｖリソースの量が第１プリセットしきい値より小さくないかどうか、又は第１ユーザ装置と変調及び符号化方法により送信されるデータの量に従って基地局により計算される必要なリソースブロックの量が、第１リソースプール内のアイドルＶ２Ｖリソースのブロックの量より大きくないかどうかを判定し、第１リソースプール内のアイドルＶ２Ｖリソースの量が第１プリセットしきい値より小さくないか、又は必要なリソースブロックの量が第１リソースプール内のアイドルＶ２Ｖリソースのブロックの量より大きくない場合には、基地局は、第３の指示メッセージをユーザ装置に送信する。具体的な実装プロセスでは、基地局は、第１リソースプールにおいて同じサイズを有するアイドルＶ２Ｖリソースのブロックの量を照会することにより、第３の指示メッセージをユーザ装置に送信するかどうかを判定し得、又はアイドルＶ２Ｖリソースのブロックの量と、第２リソースプール内のＶ２Ｖリソースを占有しているユーザ装置の量との差を照会し、差がプリセット値より大きいかどうかを判定することにより、第３の指示メッセージをユーザ装置するかどうかを判定し得る。差がプリセット値より大きい場合には、第１リソースプール内のアイドルＶ２Ｖリソースは、第２リソースプール内のＶ２Ｖリソースを占有しているすべてのユーザ装置に対し十分であることを示している。この場合において、基地局は、第３の指示メッセージをユーザ装置に送信し、第１リソースプールからＶ２Ｖリソースをユーザ装置に割り当てる。例えば、３つのユーザ装置が第２リソースプール内のＶ２Ｖリソースを現在占有しており、基地局が、第１リソースプールにおける５つのアイドルＶ２Ｖリソースがあることを照会を通じて取得する、と仮定する。したがって、第１リソースプール内のアイドルＶ２Ｖリソースの量と、第２リソースプール内のＶ２Ｖリソースを占有しているユーザ装置の量との差は２であり、差はプリセット値の１より大きい。第１リソースプール内のＶ２Ｖリソースは、第２リソースプール内のＶ２Ｖリソースを占有しているすべてのユーザ装置に対して十分であることを示している。したがって、基地局は、第３の指示メッセージをユーザ装置に送信する。
【００８６】
ステップ５０２：ユーザ装置は、第３の指示メッセージに従って、第２リソースプールにおいて占有されているＶ２Ｖリソースを解放するとともに、基地局により割り当てられたＶ２Ｖリソースを第１リソースプールから受信する。
【００８７】
この実施形態において、基地局により送信された第３の指示メッセージを受信した後、ユーザ装置は、第３の指示メッセージに従って、第２リソースプールにおいて占有されているＶ２Ｖリソースを解放するとともに、基地局により割り当てられたＶ２Ｖリソースを第１リソースプールから受信する。
【００８８】
本発明のこの実施形態において提供されるＶ２Ｖベースのリソース割り当て方法によると、ユーザ装置は、リソース要求メッセージを基地局に送信し、ユーザ装置に対応するレベルタイプを識別するように基地局に指示し、ユーザ装置は、基地局により割り当てられたＶ２Ｖリソースを基地局から取得し、割り当てられたＶ２Ｖリソースは、基地局が、ユーザ装置に対応するレベルタイプが高優先度タイプであり、且つ第１リソースプールにおいて同じサイズを有するアイドルＶ２Ｖリソースのブロックの量が、第１プリセットしきい値より小さいか、又はユーザ装置と変調及び符号化方法により送信されるデータの量に従って、基地局により計算される必要なリソースブロックの量が、第１リソースプール内のアイドルＶ２Ｖリソースのブロックの量より大きいと判定する場合に、第１リソースプールにおいて第２ユーザ装置により占有されているＶ２Ｖリソースから、又は高優先度タイプ以外の別のタイプに対応する第２リソースプールから、基地局により割り当てられたＶ２Ｖリソースであり、ユーザ装置は、割り当てられたＶ２Ｖリソースに従ってＶ２Ｖデータを送信する。第１リソースプールにおいて同じサイズを有するアイドルＶ２Ｖリソースのブロックの量が第１プリセットしきい値より小さいか、又はユーザ装置と変調及び符号化方法により送信されるデータの量に従って基地局により計算される必要なリソースブロックの量が第１リソースプール内のアイドルＶ２Ｖリソースのブロックの量より大きい場合、Ｖ２Ｖリソースは、第１リソースプールにおいて第２ユーザ装置により占有されているＶ２Ｖリソースから、又は第２リソースプールからユーザ装置にスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。さらに、基地局は、第２リソースプール内のアイドルＶ２Ｖリソースをユーザ装置にさらに割り当ててもよい。第１リソースプール内のアイドルＶ２Ｖリソースのブロックの量が第１プリセットしきい値より小さくない、又はユーザ装置と変調及び符号化方法により送信されるデータの量に従って基地局により計算される必要なリソースブロックの量が第１リソースプール内のアイドルＶ２Ｖリソースのブロックの量より大きくない場合、基地局は、第２リソースプール内のＶ２Ｖリソースを解放するようにユーザ装置をスケジューリングされ、第２リソースプール内のＶ２Ｖリソースの利用が改善され、Ｖ２Ｖリソースの割り当てがより柔軟である。
【００８９】
ユーザ装置は、基地局により送信された第３の指示メッセージを受信し、第３の指示メッセージに従って占有されているＶ２Ｖリソースを解放した後、第２解放メッセージを基地局に送信して、リソース解放ステータスを基地局に通知し得ることに留意すべきである。第２解放メッセージを受信した後、基地局は、第２解放メッセージにおいて搬送されているリソース解放ステータスに従って、ユーザ装置がリソースを正常に解放するかどうかを判定し、リソースが正常に解放される場合には、基地局は、第１リソースプールを照会することを通じて取得されたアイドルＶ２Ｖリソースをユーザ装置に割り当て、ユーザ装置によるＶ２Ｖリソース取得の信頼性を確保する。
【００９０】
図６は、本発明のさらに別の実施形態によるＶ２Ｖベースのリソース割当方法の概略フローチャートである。図６に示されているように、この実施形態における方法は、以下のステップを含み得る。
【００９１】
ステップ６０１：ユーザ装置は、高優先度タイプに対応する第３リソースプールを照会し、第３リソースプールにおいて同じサイズを有するアイドルＶ２Ｖリソースのブロックの量が第３プリセットしきい値より小さいと判定された場合には、第３リソースプールにおいて第２ユーザ装置により占有されているＶ２Ｖリソースから、又は高優先度タイプ以外の別のタイプに対応する第４リソースプールから、Ｖ２Ｖリソースを取得し、第１リソースプールは、第３リソースプールとは異なり、第２リソースプールは、第４リソースプールとは異なる。
【００９２】
この実施形態において、基地局のカバレージ外で、高優先度タイプのユーザ装置は、コンテンションの様式で、高優先度タイプに対応する第３リソースプールからＶ２Ｖリソースを取得し、高優先度タイプ以外の別のタイプのユーザ装置は、コンテンションの様式で、高優先度タイプ以外の別のタイプに対応する第４リソースプールからＶ２Ｖリソースを取得する。第３リソースプールと、第１リソースプールとの違いは、第１リソースプールが基地局により指定されることにあり、同様に第４リソースプールと、第２リソースプールとの違いは、第２リソースプールが基地局により指定されることにある。具体的には、ユーザ装置は、高優先度タイプに対応する第３リソースプール内のアイドルＶ２Ｖリソースのブロックの量を照会し、アイドルＶ２Ｖリソースのブロックの量が第３プリセットしきい値より小さいかどうかを判定する。具体的な実装プロセスでは、ユーザ装置は、アイドルＶ２Ｖリソースのブロックの量が第３プリセットしきい値より小さいかどうかを直接判定し得、又はアイドルＶ２Ｖリソースのブロックの量と、第３リソースプール内のすべてのＶ２Ｖリソースのブロックの量の比が、プリセット値より小さいかどうかを判定し得、第３リソースプール内のアイドルＶ２Ｖリソースのブロックの量が第３プリセットしきい値より小さいか、又はアイドルＶ２Ｖリソースのブロックの量と、第３リソースプール内のすべてのＶ２Ｖリソースのブロックの量の比がプリセット値より小さいことが分かる場合、すなわち、ユーザ装置が、コンテンションの様式で、第３リソースプールからＶ２Ｖリソースを取得することができない場合、ユーザ装置は、第３リソースプールにおいて第２ユーザ装置により占有されているＶ２Ｖリソースから、又は第４リソースプールから、Ｖ２Ｖリソースを取得し得る。具体的な実装プロセスでは、第３プリセットしきい値及びプリセット値は、実際の状況に応じて設定でき、これは、本発明において特に限定されない。
【００９３】
ステップ６０２：ユーザ装置は、取得されたＶ２Ｖリソースに従ってＶ２Ｖデータを送信する。
【００９４】
本発明のこの実施形態において提供されるＶ２Ｖベースのリソース割り当て方法によると、ユーザ装置は、高優先度タイプに対応する第３リソースプールを照会し、第３リソースプールにおいて同じサイズを有するアイドルＶ２Ｖリソースのブロックの量が第３プリセットしきい値より小さいことを判定する場合には、第３リソースプールにおいて第２ユーザ装置により占有されているＶ２Ｖリソースから、又は高優先度タイプ以外の別のタイプに対応する第４リソースプールから、Ｖ２Ｖリソースを取得し、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。
【００９５】
必要に応じて、ユーザ装置が、第３リソースプール内のアイドルＶ２Ｖリソースの量が第３プリセットしきい値より小さくないことを判定する場合には、ユーザ装置は、第３リソースプールからＶ２Ｖリソースを取得する。
【００９６】
図７は、本発明のさらに別の実施形態によるＶ２Ｖベースのリソース割当方法の概略フローチャートである。図６に示されている実施形態に基づき、この実施形態において、ユーザ装置が、第３リソースプールにおいて第２ユーザ装置により占有されているＶ２ＶリソースからＶ２Ｖリソースを取得する実施形態が詳細に説明される。図７に示されているように、この実施形態における方法は、以下のステップを含み得る。
【００９７】
ステップ７０１：第３リソースプールにおいて同じサイズを有するアイドルＶ２Ｖリソースのブロックの量が、第３プリセットしきい値より小さく、かつユーザ装置が、第３リソースプール内のＶ２Ｖリソースは、すでに第２ユーザ装置により占有されていると判定する場合には、第５の指示メッセージを第２ユーザ装置に送信し、第５の指示メッセージは、第３リソースプールにおいて第２ユーザ装置により占有されているＶ２Ｖリソースの位置情報を搬送し、第５の指示メッセージは、第３リソースプールにおいて占有されているＶ２Ｖリソースを解放するように第２ユーザ装置に指示するために使用される。
【００９８】
この実施形態において、第２ユーザ装置が第４リソースプールを照会し、第４リソースプール内のアイドルＶ２Ｖリソースのブロックの量が第４プリセットしきい値より小さいことが分かる場合、第２ユーザ装置は、第３リソースプール内のアイドルＶ２Ｖリソースのブロックの量を照会し得、第３リソースプールにおいて同じサイズを有するアイドルＶ２Ｖリソースのブロックの量が第３プリセットしきい値より小さくない場合、第２ユーザ装置は、第３リソースプールにおいてＶ２Ｖリソースを競争し得る。
【００９９】
この場合において、ユーザ装置が到着(arrive)し、第３リソースプール内のＶ２Ｖリソースを競争する場合、ユーザ装置は、第３リソースプール内のアイドルＶ２Ｖリソースのブロックの量を照会し、第３リソースプールにおいて同じサイズを有するアイドルＶ２Ｖリソースのブロックの量が、第３プリセットしきい値より小さいかどうかを判定する。具体的な実施様式において、ユーザ装置が、同じサイズを有するアイドルＶ２Ｖリソースのブロックの量が第１プリセットしきい値より小さいかどうかを直接判定でき、又は同じサイズを有するアイドルＶ２Ｖリソースのブロックの量と、第３リソースプール内のすべてのＶ２Ｖリソースのブロックの量との比がプリセット値より小さいかどうかを判定し得る。アイドルＶ２Ｖリソースのブロックの量が第３プリセットしきい値以上であることが分かる場合、ユーザ装置は、第３リソースプール内のＶ２Ｖリソースを競争し、アイドルＶ２Ｖリソースの量が第３プリセットしきい値より小さいとともに、第３リソースプール内のＶ２Ｖリソースを占有している第２ユーザ装置が存在することが分かる場合、ユーザ装置は、第５の指示メッセージを、第３リソースプールにおいてＶ２Ｖリソースを占有している少なくとも１つの第２ユーザ装置に送信する。第５の指示メッセージを受信した後、第２ユーザ装置は、第３リソースプールにおいて占有されているＶ２Ｖリソースを解放し、第４リソースプール内のＶ２Ｖリソースに対し再競争(re-contend)する。第３プリセットしきい値及び第４プリセットしきい値は、実際のアプリケーションに従って設定されてよく、第３プリセットしきい値及び第４プリセットしきい値の具体的な値は、本発明において特に限定されない。例えば、第３リソースプールに１０のＶ２Ｖリソースがあると仮定すると、第３リソースプール内のアイドルＶ２Ｖリソースのブロックの量が３以上である場合、第２ユーザ装置は、第３リソースプール内のＶ２Ｖリソースを占有できる。ユーザ装置が、第３リソースプール内のアイドルＶ２Ｖリソースのブロックの量が３未満であることを照会を通じて分かる場合、第３リソースプールにおいてＶ２Ｖリソースを占有している第２ユーザ装置がある場合には、第２ユーザ装置は、占有しているＶ２Ｖリソースを解放する必要がある。第２ユーザ装置が第４リソースプール内のＶ２Ｖリソースを競争を通じて取得できず、第３リソースプール内のアイドルＶ２Ｖリソースの量が４であることをリスニングを通じて見つけだす場合、第２ユーザ装置は、第３リソースプールにおける１つのＶ２Ｖリソースを取得し、Ｖ２Ｖデータを送信し得る。この場合において、ユーザ装置が到着し、第３リソースプール内のリソースを競争する必要がある場合、ユーザ装置がアイドルＶ２Ｖリソースのブロックの量をリッスンした後、ユーザ装置は、アイドルＶ２Ｖリソースのブロックの量が３であることが分かり、１つのＶ２Ｖリソースを占有した後、ユーザ装置は、第３リソースプール内のアイドルＶ２Ｖリソースのブロックの量が２であり、第３プリセットしきい値より小さいことを見つけ出し、第３リソースプール内のＶ２Ｖリソースを占有している第２ユーザ装置が存在することを判定する。したがって、セキュリティ関連���ッセージを別のユーザ装置にブロードキャストする場合、ユーザ装置は、第３リソースプールにおいてＶ２Ｖリソースを占有する少なくとも１つの第２ユーザ装置に、Ｖ２Ｖリソースを解放するように指示する。
【０１００】
ステップ７０２：ユーザ装置は、第２ユーザ装置が第３リソースプールにおいて占有されているＶ２Ｖリソースを解放した後、第３リソースプールからＶ２Ｖリソースを取得する。
【０１０１】
この実施形態において、第２ユーザ装置が第３リソースプールにおいて占有されているＶ２Ｖリソース解放した後、ユーザ装置は、第２ユーザ装置が占有されているＶ２Ｖリソースを解放した後、第３リソースプールからＶ２Ｖリソースを取得し、Ｖ２Ｖデータを送信する。
【０１０２】
本発明のこの実施形態において提供されるＶ２Ｖベースのリソース割り当て方法によると、第３リソースプール内のＶ２Ｖリソースのブロックの量が第３プリセットしきい値より小さい場合、第３リソースプールにおいてＶ２Ｖリソースを占有する第２ユーザ装置が存在する場合には、Ｖ２Ｖリソースは、第３リソースプールにおいて第２ユーザ装置により占有されているＶ２Ｖリソースから取得され、これにより、高優先度タイプのユーザ装置のサービス品質が保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置がＶ２Ｖリソースを優先的に取得し、これにより、高優先度タイプのユーザ装置のメッセージが時間内に送信されることができることを保証し、高優先度タイプのユーザ装置のサービス品質をより良好に保証することができる。さらに、リソースの割り当てがより柔軟である。
【０１０３】
必要に応じて、第２ユーザ装置が第３リソースプールにおいて占有されているＶ２Ｖリソースを解放した後、第２ユーザ装置は、第１解放メッセージをユーザ装置にさらに送信してもよい。ユーザ装置は、第１解放メッセージにおいて搬送されるリソース解放ステータスに従って、第２ユーザ装置がＶ２Ｖリソースを正常に解放したかどうかを判定する。リソースが正常に解放される場合には、ユーザ装置は、第２ユーザ装置がＶ２Ｖリソースを解放した後、第３リソースプールからＶ２Ｖリソースを取得し、これにより、ユーザ装置がＶ２Ｖリソースを取得する信頼性を確保する。
【０１０４】
図８は、本発明のさらに別の実施形態によるＶ２Ｖベースのリソース割当方法の概略フローチャートである。図６に示されている実施形態に基づき、この実施形態において、ユーザ装置が、第４リソースプールからＶ２Ｖリソースを取得する実施形態が詳細に説明される。図８に示されているように、この実施形態における方法は、以下のステップを含み得る。
【０１０５】
ステップ８０１：第３リソースプールにおいて同じサイズを有するアイドルＶ２Ｖリソースのブロックの量が、第３プリセットしきい値より小さく、ユーザ装置が、第４リソースプールにおいて同じサイズを有するアイドルＶ２Ｖリソースのブロックの量が、第４プリセットしきい値より小さい、と判定する場合には、第４リソースプールからＶ２Ｖリソースを取得する。
【０１０６】
この実施形態において、ユーザ装置が、第３リソースプールにおいて同じサイズを有するアイドルＶ２Ｖリソースのブロックの量を、照会を通じて取得した後、ユーザ装置が、アイドルＶ２Ｖリソースのブロックの量が第３プリセットしきい値より小さく、第４リソースプール内のアイドルＶ２Ｖリソースのブロックの量が第４プリセットしきい値より小さくないことが分かる場合には、ユーザ装置は、コンテンションの様式で、第４リソースプールからＶ２Ｖリソースを取得する。第３プリセットしきい値及び第４プリセットしきい値は、実際のアプリケーションに従って設定されてよく、第３プリセットしきい値及び第４プリセットしきい値の具体的な値は本発明において特に限定されない。例えば、第３プリセットしきい値が３に設定され、第４プリセットしきい値が２に設定される場合には、第３リソースプールにおいて１０のＶ２Ｖリソースが存在し、第３リソースプールにおいて、第２ユーザ装置によるＶ２Ｖリソースの占有がないと仮定する。この場合において、新たな高優先度タイプのユーザ装置が到着する場合、第３リソースプール内のアイドルＶ２Ｖリソースの量が１であり第３プリセットしきい値の３未満であることがリスニングを通じて取得される場合には、ユーザ装置は、第３リソースプール内のＶ２Ｖリソースが不十分であるとみなし、新たなユーザ装置はＶ２Ｖリソースを取得することができない危険性がある。ユーザ装置が、第４リソースプール内のアイドルＶ２Ｖリソースの量が４であり第４プリセットしきい値の２より大きいことをリスニングを通じて見つけ出す場合には、ユーザ装置は、第４リソースプールからＶ２Ｖリソースを取得し、セキュリティ関連メッセージを別のユーザ装置に送信するために、Ｖ２Ｖデータを送信する。
【０１０７】
ステップ８０２：ユーザ装置は、第６の指示メッセージを第２ユーザ装置に送信し、第６の指示メッセージは、ユーザ装置により第４リソースプールから取得されたＶ２Ｖリソースの位置情報と時間情報を搬送し、第６の指示メッセージは、第４リソースプールにおいてユーザ装置により取得されたＶ２Ｖリソース以外の他のＶ２Ｖリソースから、プリセット時間期間内に、Ｖ２Ｖリソースを取得するように第２ユーザ装置に指示するために使用される。
【０１０８】
この実施形態において、第３リソースプールにおいて同じサイズを有するアイドルＶ２Ｖリソースのブロックの量が、第３プリセットしきい値より小さい場合、且つユーザ装置が第４リソースプールからＶ２Ｖリソースを取得した後、ユーザ装置は、第６の指示メッセージを第２ユーザ装置に送信し、第２ユーザ装置が、第４リソースプールにおいてユーザ装置により占有されているＶ２Ｖリソースをプリセット時間期間内に競争できないことを第２ユーザ装置に通知する。すなわち、第２ユーザ装置は、第４リソースプールにおいてユーザ装置により取得されているＶ２Ｖリソース以外の他のＶ２Ｖリソースからのみ要求されるＶ２Ｖリソースをプリセット時間期間内に競争できる。
【０１０９】
ステップ８０３：ユーザ装置は、プリセット時間期間後に、第４リソースプールにおいて取得されたＶ２Ｖリソースを解放する。
【０１１０】
この実施形態において、ユーザ装置が第４リソースプールからＶ２Ｖリソースを取得した後、ユーザ装置は、プリセット時間期間内に、Ｖ２Ｖリソースに従ってＶ２Ｖデータを送信し、ユーザ装置は、プリセット時間期間後、第４リソースプールにおいて占有されているＶ２Ｖリソースを解放するので、ユーザ装置が第４リソースプールにおいて占有されているＶ２Ｖリソースを解放した後、第２ユーザ装置が、第４リソースプール内のＶ２Ｖリソースを競争できる。
【０１１１】
必要に応じて、ユーザ装置が第４リソースプールにおいて占有されているＶ２Ｖリソースをプリセット時間期間後に解放した後、ユーザ装置は、第２解放メッセージを第２ユーザ装置にさらに送信してもよい。第２ユーザ装置は、受信した第２解放メッセージにおいて搬送されるリソース解放ステータスに従って、ユーザ装置がリソースを正常に解放したかどうかを判定し、ユーザ装置がリソースを正常に解放する場合には、第２ユーザ装置は、ユーザ装置が以前占有していたＶ２Ｖリソースを使用し得る。すなわち、第２ユーザ装置は、ユーザ装置が第４リソースプールにおいて占有されているＶ２Ｖリソースを解放した後、第４リソースプールからＶ２Ｖリソースを取得し得る。
【０１１２】
ステップ８０４：ユーザ装置は、第３リソースプールを照会して、第３リソースプールにおいて同じサイズを有するアイドルＶ２Ｖリソースのブロックの量が、第３プリセットしきい値より小さいかどうかを判定し、第３リソースプールにおいて同じサイズを有するアイドルＶ２Ｖリソースのブロックの量が、第３プリセットしきい値より小さい場合には、ステップ８０５を実行し、第３リソースプールにおいて同じサイズを有するアイドルＶ２Ｖリソースのブロックの量が第３プリセットしきい値より小さい場合には、ステップ８０６を実行する。
【０１１３】
ステップ８０５：第４リソースプールからＶ２Ｖリソースを取得する。
【０１１４】
この実施形態において、ユーザ装置が、プリセット時間期間後に、第４リソースプールにおいて占有されているＶ２Ｖリソースを解放した後、ユーザ装置が、第３リソースプール内のアイドルＶ２Ｖリソースのブロックの量が第３プリセットしきい値より依然として小さいことが照会を通じて分かる場合には、ユーザ装置は、第４リソースプールからＶ２Ｖリソースの競争を継続する。
【０１１５】
ステップ８０６：第３リソースプールからＶ２Ｖリソースを取得する。
【０１１６】
この実施形態において、ユーザ装置が、第３リソースプール内のアイドルＶ２Ｖリソースのブロックの量が第３プリセットしきい値より小さくないことが照会を通じて分かる場合には、ユーザ装置は、第４リソースプール内のＶ２Ｖリソースをもはや占有していないが、第３リソースプールからＶ２Ｖリソースを取得する。
【０１１７】
本発明のこの実施形態において提供されるＶ２Ｖベースのリソース割り当て方法によると、第３リソースプール内のアイドルＶ２Ｖリソースのブロックの量が第３プリセットしきい値より小さく、且つ第４リソースプール内のアイドルＶ２Ｖリソースのブロックの量が第４プリセットしきい値より小さくない場合、ユーザ装置は、第４リソースプールからＶ２Ｖリソースを取得し得、これにより、高優先度タイプのユーザ装置のサービス品質が保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置がＶ２Ｖリソースを優先的に取得し、これにより、高優先度タイプのユーザ装置のメッセージが時間内に送信されることができることを保証し、高優先度タイプのユーザ装置のサービス品質をより良好に保証することができる。さらに、リソースの割り当てがより柔軟である。
【０１１８】
図９は、本発明のさらに別の実施形態によるＶ２Ｖベースのリソース割当方法の概略フローチャートである。本発明のこの実施形態は、Ｖ２Ｖベースのリソース割り当て方法を提供する。方法は、Ｖ２Ｖベースのリソース割り当て方法を実行する任意の装置により実行され得る。装置は、ソフトウェア手段及び／又はハードウェア手段により実装され得る。この実施形態において、装置は、ユーザ装置に統合されてもよく、例えば、車両内の車載通信ユニットである。図９に示されているように、この実施形態における方法は、以下のステップを含み得る。
【０１１９】
ステップ９０１：ユーザ装置は、基地局により送信された第１の指示メッセージを受信し、第１の指示メッセージは、基地局が第１リソースプール内のＶ２Ｖリソースがすでにユーザ装置により占有されていることを判定する場合に、基地局により生成されるメッセージであり、第１リソースプールは、高優先度タイプに対応するリソースプールである。
【０１２０】
この実施形態において、ユーザ装置は、前述の実施形態における第２ユーザ装置であり得る。すなわち、高優先度タイプ以外の別のタイプのユーザ装置である。例えば、高優先度タイプのユーザ装置は、緊急時に使用されるユーザ装置であってよく、例えば、消防車や救急車であり、又は高優先度のセキュリティ関連メッセージを別のユーザ装置に送信する高優先度タイプ以外の別のタイプのユーザ装置であってもよい。高優先度タイプ以外の別のタイプのユーザ装置が高優先度のセキュリティ関連メッセージを送信する場合、ユーザ装置は、ユーザ装置のレベルタイプ識別するために使用されるユーザ装置識別子情報を基地局に報告する必要があるだけでなく、メッセージのレベルタイプを識別するために使用されるメッセージ識別子情報を基地局に報告する必要があることに留意すべきである。基地局がメッセージ識別子情報を受信し、メッセージが高優先度のメッセージであることを識別する場合には、基地局は、高優先度タイプ以外の別のタイプのユーザ装置を、高優先度タイプのユーザ装置として一時的に見なしてもよい。
【０１２１】
さらに、基地局のカバレージ下で、基地局は、Ｖ２Ｖリソースを、高優先度タイプに対応する第１リソースプール内のＶ２Ｖリソースと、高優先度タイプに対応する以外の別のタイプに対応する第２リソースプール内のＶ２Ｖリソースに分類し得る。高優先度タイプのユーザ装置は、第１リソースプール内のＶ２Ｖリソースを使用して、Ｖ２Ｖデータを送信する、すなわち、セキュリティ関連メッセージを別のユーザ装置に送信し、高優先度タイプ以外の別のタイプのユーザ装置は、第２リソースプール内のＶ２Ｖリソースを使用して、Ｖ２Ｖデータを送信する。第２リソースプールにおいて同じサイズを有するアイドルＶ２Ｖリソースのブロックの量が第２プリセットしきい値より小さい場合、ユーザ装置は、第１リソースプール内のＶ２Ｖリソースを割り当てるように、基地局に要求する。具体的には、ユーザ装置は、リソース要求メッセージを基地局に送信し、リソース要求メッセージを受信した後、基地局は、リソース要求メッセージに従って、ユーザ装置のレベルタイプを識別する。ユーザ装置が高優先度タイプ以外の別のタイプのユーザ装置であることを知っている場合には、基地局は、アイドルリソーステーブルを照会することにより、第１リソースプールにおける同じサイズを有するアイドルＶ２Ｖリソースのブロックの量が第１プリセットしきい値より小さいかどうかを判定し、又はアイドルリソーステーブルを照会することにより、第１ユーザ装置と変調及び符号化方法により送信されるデータの量に従って計算される必要なリソースブロックの量が第１リソースプール内のアイドルＶ２Ｖリソースのブロックの量より大きいかどうかを判定する。第１リソースプールにおいて同じサイズを有するアイドルＶ２Ｖリソースのブロックの量が第１プリセットしきい値より小さいか、又は必要なリソースブロックの計算される量が第１リソースプール内のアイドルＶ２Ｖリソースのブロックの量より大きい場合には、基地局は、リソース割り当て拒否メッセージをユーザ装置に送信する。リソース割り当て拒否メッセージを受信した後、ユーザ装置は、第２リソースプール内のＶ２Ｖリソースの競争を再試行するが、第２リソースプール内のＶ２Ｖリソースが不十分である場合に、ユーザ装置が頻繁にリソース要求メッセージを基地局に送信することからリソースの無駄な消費が生じる、ということを回避するために、その後プリセット時間期間内は、ユーザ装置がリソース要求メッセージを基地局に送信できない。プリセット時間期間は、実際の状況に応じて設定することができ、本実施形態では特に限定されない。基地局が、第１リソースプールにおいて同じサイズを有するアイドルＶ２Ｖリソースのブロックの量が第１プリセットしきい値より小さくないか、又は必要なリソースブロックの計算される量が第１リソースプール内のアイドルＶ２Ｖリソースのブロックの量より小さいことを照会することにより分かる場合には、基地局は、アイドルＶ２ＶリソースからＶ２Ｖリソースを選択し、Ｖ２Ｖリソースをユーザ装置に割り当て、ユーザ装置の識別情報、ユーザ装置識別子情報、及び割り当てられた第１リソースプール内のＶ２Ｖリソースの位置情報を記録し、アイドルリソーステーブルにおけるＶ２Ｖリソースの関連する記録を削除する。第１プリセットしきい値及び第２プリセットしきい値は、実際のアプリケーションに従って設定されてよく、第１プリセットしきい値及び第２プリセットしきい値の具体的な値は、本発明において特に限定されない。
【０１２２】
この場合において、リソース要求メッセージを基地局に送信する第１ユーザ装置が存在し、基地局が第１ユーザ装置に対応するレベルタイプが高優先度タイプであることを識別する場合には、基地局は、アイドルリソーステーブルを照会して、第１リソースプールにおいて同じサイズを有するアイドルＶ２Ｖリソースのブロックの量が第１プリセットしきい値より小さくないかどうかを判定するか、又は第１ユーザ装置と変調及び符号化方法により送信されるデータの量に従って計算される必要なリソースブロックの量が第１リソースプール内のアイドルＶ２Ｖリソースのブロックの量より大きくないかどうかを判定し、第１リソースプールにおいて同じサイズを有するアイドルＶ２Ｖリソースのブロックの量が第１プリセットしきい値より小さくないか、又は必要なリソースブロックの量が第１リソースプール内のアイドルＶ２Ｖリソースのブロックの量より大きくない場合には、基地局は、第１リソースプールからＶ２Ｖリソースを選択し、Ｖ２Ｖリソースを第１ユーザ装置に割り当て、第１リソースプールにおいて同じサイズを有するアイドルＶ２Ｖリソースのブロックの量が第１プリセットしきい値より小さいか、又は必要なリソースブロックの量が第１リソースプール内のアイドルＶ２Ｖリソースのブロックの量より大きい場合には、基地局は、リソース割り当てテーブルを照会して、第１リソースプール内のＶ２Ｖリソースを占有しているユーザ装置が存在するかどうかを判定し、基地局が、第１リソースプール内のＶ２Ｖリソースを占有しているユーザ装置が存在することを判定する場合、基地局は、第１の指示メッセージを第１リソースプール内のＶ２Ｖリソースを占有している少なくとも１つのユーザ装置に送信する。
【０１２３】
ステップ９０２：ユーザ装置は、第１の指示メッセージに従って、第１リソースプールにおいて占有されているＶ２Ｖリソースを解放する。
【０１２４】
この実施形態において、基地局により送信された第１の指示メッセージを受信した後、ユーザ装置は、第１の指示メッセージに従って、第１リソースプールにおいて占有されているＶ２Ｖリソースを解放する。基地局は、ユーザ装置により解放されたＶ２ＶリソースからＶ２Ｖリソースを選択し、Ｖ２Ｖリソースを第１ユーザ装置に割り当てる。第１ユーザ装置は、Ｖ２Ｖデータを割り当てられたＶ２Ｖリソースに従って送信し、セキュリティ関連メッセージを別のユーザ装置にブロードキャストする。
【０１２５】
本発明のこの実施形態において提供されるＶ２Ｖベースのリソース割り当て方法によると、ユーザ装置は、基地局により送信された第１の指示メッセージを受信し、第１の指示メッセージは、基地局が第１リソースプール内のＶ２Ｖリソースがすでにユーザ装置により占有されていることを判定する場合に、基地局により生成されるメッセージであり、ユーザ装置は、第１の指示メッセージに従って、第１リソースプールにおいて占有されているＶ２Ｖリソースを解放する。第２リソースプール内のＶ２Ｖリソースが不十分である場合は、ユーザ装置が、第１リソースプール内のＶ２Ｖリソースを占有し得るため、第１ユーザ装置がリソースの割り当てを基地局に要求する場合には、基地局は、第１リソースプールにおいて占有されているＶ２Ｖリソースを解放するようにユーザ装置をスケジューリングし、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、第１リソースプール内のＶ２Ｖリソースが不十分である場合は、Ｖ２Ｖリソースは、高優先度タイプのユーザ装置に対し優先的にスケジューリングされ、これにより、高優先度タイプのユーザ装置のメッセージが時間内に送信されることができ、高優先度タイプのユーザ装置のサービス品質をより保証することができる。
【０１２６】
さらに、受信した第１の指示メッセージに従って、第１リソースプールにおいて占有されているＶ２Ｖリソースを解放した後、ユーザ装置は、リソース解放ステータスを搬送している第１解放メッセージを基地局にさらに送信してもよい。基地局が、第１解放メッセージにおける解放ステータスが、リソースが正常に解放される、ことであることを判定する場合、基地局は、ユーザ装置により解放されたＶ２ＶリソースからＶ２Ｖリソースを選択し、選択されたＶ２Ｖリソースを第１ユーザ装置に割り当てる。
【０１２７】
必要に応じて、ユーザ装置は、基地局により送信された第２の指示メッセージを受信する。第２の指示メッセージは、基地局が、第２リソースプールにおいて同じサイズを有するアイドルＶ２Ｖリソースのブロックの量が第２プリセットしきい値より小さくないか、又は第１ユーザ装置と変調及び符号化方法により送信されるデータの量に従って、基地局により計算される必要なリソースブロックの量が第２リソースプール内のアイドルＶ２Ｖリソースのブロックの量より大きくないと判定する場合に、基地局により生成されるメッセージであり、第２の指示メッセージは、基地局により第２リソースプールにおける第１ユーザ装置に割り当てられたＶ２Ｖリソースの位置情報を搬送する。ユーザ装置は、第２の指示メッセージにおけるＶ２Ｖリソースの位置情報に従って、第２リソースプールにおいて第１ユーザ装置により占有されているＶ２Ｖリソース以外の他のＶ２ＶリソースからＶ２Ｖリソースを取得する。
【０１２８】
具体的には、基地局が、アイドルリソーステーブルを照会し、第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい、且つ第２リソースプールにおいて同じサイズを有するアイドルＶ２Ｖリソースのブロックの量が第２プリセットしきい値より小さくないか、又は第１ユーザ装置と変調及び符号化方法により送信されるデータの量に従って基地局により計算される必要なリソースブロックの量が第２リソースプール内のアイドルＶ２Ｖリソースのブロックの量より大きくないことが分かる場合には、基地局は、第２リソースプールからアイドルＶ２Ｖリソースを選択し、アイドルＶ２Ｖリソースを第１ユーザ装置に割り当て、第２の指示メッセージをユーザ装置に送信して、第１ユーザ装置に割り当てられたＶ２Ｖリソースを使用しないようにユーザ装置に通知し、第２リソースプールにおいて第１ユーザ装置により占有されているＶ２Ｖリソース以外の他のＶ２ＶリソースからＶ２Ｖリソースを取得して、Ｖ２Ｖデータを送信する。
【０１２９】
必要に応じて、ユーザ装置は、基地局により送信された第４の指示メッセージを受信する。第４の指示メッセージは、基地局が、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が、第１リソースプール内のアイドルＶ２Ｖリソースのブロックの量より大きくないことを判定する場合に、基地局により生成されるメッセージであり、第４の指示メッセージは、第１ユーザ装置により解放されたＶ２Ｖリソースの位置情報を搬送する。ユーザ装置は、第１ユーザ装置が、第２リソースプールにおいて占有されているＶ２Ｖリソースを解放した後、第４の指示メッセージにおけるＶ２Ｖリソースの位置情報に従って、第２リソースプールからＶ２Ｖリソースを取得する。
【０１３０】
具体的には、第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい、且つ第２リソースプールにおいて同じサイズを有するアイドルＶ２Ｖリソースのブロックの量が第２プリセットしきい値より小さくないか、又は第１ユーザ装置と変調及び符号化方法により送信されるデータの量に従って基地局により計算される必要なリソースブロックの量が第２リソースプール内のアイドルＶ２Ｖリソースのブロックの量より大きくない場合、基地局は、第２リソースプールからＶ２Ｖリソースを第１ユーザ装置に割り当て、周期的に第１リソースプールを照会して、第１リソースプール内のアイドルＶ２Ｖリソースのブロックの量が第１プリセットしきい値より小さくないかどうかを判定するか、又は第１ユーザ装置と変調及び符号化方法により送信されるデータの量に従って計算される必要なリソースブロックの量が第１リソースプール内のアイドルＶ２Ｖリソースのブロックの量より大きくないかどうかを判定し、第１リソースプール内のアイドルＶ２Ｖリソースのブロックの量が第１プリセットしきい値より小さくないか、又は必要なリソースブロックの量が第１リソースプール内のアイドルＶ２Ｖリソースのブロックの量より大きくない場合には、基地局は、第３の指示メッセージを第１ユーザ装置に送信し、第１リソースプールからＶ２Ｖリソースを第１ユーザ装置に割り当てる。第３の指示メッセージを受信した後、第１ユーザ装置は、第３の指示メッセージに従って、第２リソースプールにおいて占有されているＶ２Ｖリソースを解放する。さらに、基地局が、第１リソースプール内のアイドルＶ２Ｖリソースのブロックの量が第１プリセットしきい値より小さくないことを判定した後、基地局は、第４の指示メッセージをユーザ装置に送信して、ユーザ装置が第１ユーザ装置により解放されたＶ２Ｖリソースを競争できることをユーザ装置に通知する。すなわち、ユーザ装置は、第１ユーザ装置が、第２リソースプールにおいて占有されているＶ２Ｖリソースを解放した後、第２リソースプールからＶ２Ｖリソースを取得し得、取得されたＶ２Ｖリソースに従って、Ｖ２Ｖデータを送信し、セキュリティ関連メッセージを別のユーザ装置にブロードキャストする。
【０１３１】
図１０は、本発明のさらに別の実施形態によるＶ２Ｖベースのリソース割当方法の概略フローチャートである。図１０に示されているように、この実施形態における方法は、以下のステップを含み得る。
【０１３２】
ステップ１００１：ユーザ装置は、第１ユーザ装置により送信された第５の指示メッセージを受信し、第５の指示メッセージは、第１ユーザ装置が、第３リソースプール内のＶ２Ｖリソースがすでにユーザ装置により占有されていると判定する場合に、第１ユーザ装置によりユーザ装置に送信されたメッセージであり、第５の指示メッセージは、第３リソースプールにおいてユーザ装置により占有されているＶ２Ｖリソースの位置情報を搬送する。
【０１３３】
この実施形態において、ユーザ装置が第４リソースプールを照会し、第４リソースプールにおいて同じサイズを有するアイドルＶ２Ｖリソースのブロックの量が第４プリセットしきい値より小さいことが分かる場合、ユーザ装置は、第３リソースプール内のアイドルＶ２Ｖリソースのブロックの量を照会し得、第３リソースプール内のアイドルＶ２Ｖリソースのブロックの量が第３プリセットしきい値より小さくない場合、ユーザ装置は、第３リソースプール内のＶ２Ｖリソースを競争できる。
【０１３４】
この場合において、第１ユーザ装置が到着し、第３リソースプール内のＶ２Ｖリソースを競争する場合、第１ユーザ装置は、第３リソースプール内のアイドルＶ２Ｖリソースのブロックの量を照会して、第３リソースプールにおいて同じサイズを有するアイドルＶ２Ｖリソースのブロックの量が、第３プリセットしきい値より小さいかどうかを判定する。具体的な実施様式において、ユーザ装置は、アイドルＶ２Ｖリソースのブロックの量が第３プリセットしきい値より小さいかどうかを直接判定してもよく、又はアイドルＶ２Ｖリソースのブロックの量と、第３リソースプール内のすべてのＶ２Ｖリソースのブロックの量との比がプリセット値より小さいかどうかを判定してもよい。アイドルＶ２Ｖリソースのブロックの量が第３プリセットしきい値以上であることが分かる場合、ユーザ装置は、第３リソースプール内のＶ２Ｖリソースを競争し、アイドルＶ２Ｖリソースの量が第３プリセットしきい値より小さく、且つ第３リソースプール内のＶ２Ｖリソースを占有しているユーザ装置が存在することが分かる場合、第１ユーザ装置は、第５の指示メッセージを第３リソースプール内のＶ２Ｖリソースを占有している少なくとも１つのユーザ装置に送信する。第３プリセットしきい値及び第４プリセットしきい値は、実際のアプリケーションに従って設定されてよく第３プリセットしきい値及び第４プリセットしきい値の具体的な値は、本発明において特に限定されない。
【０１３５】
ステップ１００２：ユーザ装置は、第５の指示メッセージにおけるＶ２Ｖリソースの位置情報に従って、第３リソースプールにおいて占有されているＶ２Ｖリソースを解放する。
【０１３６】
この実施形態において、第１ユーザ装置により送信された第５の指示メッセージを受信した後、ユーザ装置は、第５の指示メッセージにおけるＶ２Ｖリソースの位置情報に従って、第３リソースプールにおいて占有されているＶ２Ｖリソースを解放し、第４リソースプール内のＶ２Ｖリソースに対して再競争(re-contend)する。
【０１３７】
本発明のこの実施形態において提供されるＶ２Ｖベースのリソース割り当て方法によると、第３リソースプール内のＶ２Ｖリソースのブロックの量が第３プリセットしきい値より小さく、且つ第３リソースプール内のＶ２Ｖリソースを占有しているユーザ装置が存在する場合、第１ユーザ装置は、第３リソースプールにおいて占有されているＶ２Ｖリソースを解放するようにユーザ装置に指示し、ユーザ装置により解放されたＶ２ＶリソースからＶ２Ｖリソースを取得し、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、第３リソースプール内のＶ２Ｖリソースが不十分である場合には、高優先度タイプのユーザ装置は、Ｖ２Ｖリソースを優先的に取得し、これにより、項優先度のユーザ装置のメッセージが時間内に送信できることを確保し、高優先度のユーザ装置のサービス品質をより良く確保できる。
【０１３８】
図１１は、本発明のさらに別の実施形態によるＶ２Ｖベースのリソース割当方法の概略フローチャートである。図１０に示されている実施形態に基づき、この実施形態において、基地局がスケジューリングを実施しない場合に、ユーザ装置がＶ２Ｖリソースをコンテンションの様式で取得する実施形態について詳細に説明する。図１０に示されているように、この実施形態における方法は、以下のステップを含み得る。
【０１３９】
ステップ１１０１：ユーザ装置は、第１ユーザ装置により送信された第６の指示メッセージを受信し、第６の指示メッセージは、第１ユーザ装置が、第４リソースプールにおいて同じサイズを有するアイドルＶ２Ｖリソースのブロックの量が第４プリセットしきい値より小さくないと判定する場合に、第１ユーザ装置によりユーザ装置に送信されるメッセージであり、第６の指示メッセージは、第４リソースプールから第１ユーザ装置により取得されたＶ２Ｖリソースの位置情報と時間情報を搬送する。
【０１４０】
この実施形態において、第１ユーザ装置が、第３リソースプールにおいて同じサイズを有するアイドルＶ２Ｖリソースのブロックの量を照会を通じて取得した後、第１ユーザ装置が、アイドルＶ２Ｖリソースのブロックの量が第３プリセットしきい値より小さい、且つ第４リソースプール内のアイドルＶ２Ｖリソースのブロックの量が第４プリセットしきい値より小さくないことが分かる場合には、第１ユーザ装置は、第４リソースプールからＶ２Ｖリソースを取得し、第６の指示メッセージをユーザ装置に送信し得る。
【０１４１】
ステップ１１０２：ユーザ装置は、第６の指示メッセージ内のＶ２Ｖリソースの位置情報と時間情報とに従って、プリセット時間期間内に、第４リソースプールにおいて第１ユーザ装置により取得されたＶ２Ｖリソース以外の他のＶ２ＶリソースからＶ２Ｖリソースを取得する。
【０１４２】
この実施形態において、第１ユーザ装置により送信された第６の指示メッセージを受信した後、ユーザ装置は、プリセット時間期間内に、第６の指示メッセージにおいて搬送されるＶ２Ｖリソースの位置情報及び時間情報に従って、第４リソースプールにおいて第１ユーザ装置により占有されているＶ２Ｖリソースを競争できない。すなわち、 ユーザ装置は、第４リソースプールにおいて第１ユーザ装置により取得されているＶ２Ｖリソース以外の別のＶ２Ｖリソース内でのみ、プリセット時間期間内に、要求されるＶ２Ｖリソースを競争できる。
【０１４３】
必要に応じて、プリセット時間期間後、第１ユーザ装置は、第４リソースプールにおいて占有されているＶ２Ｖリソースを解放し、リソース解放メッセージをユーザ装置にさらに送信してもよい。ユーザ装置は、リソース解放メッセージにおけるリソース解放ステータスに従って、第１ユーザ装置がリソースを正常に解放するかどうかを判定し、第１ユーザ装置がリソースを正常に解放する場合には、ユーザ装置は、第１ユーザ装置が第４リソースプールにおいて占有されているＶ２Ｖリソースを解放した後、第４リソースプールからＶ２Ｖリソースを取得する。
【０１４４】
本発明のこの実施形態において提供されるＶ２Ｖベースのリソース割り当て方法によると、第３リソースプール内のＶ２Ｖリソースのブロックの量が第３プリセットしきい値より小さい、且つ第４リソースプール内のアイドルＶ２Ｖリソースのブロックの量が第４プリセットしきい値より小さくない場合、ユーザ装置は、第４リソースプールからＶ２Ｖリソースを取得し得、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、第３リソースプール内のＶ２Ｖリソースが不十分な場合、高優先度タイプのユーザ装置は、Ｖ２Ｖリソースを優先的に取得し、これにより、高優先度タイプのユーザ装置のメッセージが時間内に送信されることができ、高優先度のユーザ装置のサービス品質をより良く確保できる。さらに、リソース割り当てがより柔軟である。
【０１４５】
図１２は、本発明の実施形態によるＶ２Ｖベースのリソース割当装置の概略構成図である。図１２に示されているように、本発明のこの実施形態において提供されるＶ２Ｖベースのリソース割り当て装置は、トランシーバモジュール１１、識別モジュール１２、及び割り当てモジュール１３を含む。
【０１４６】
トランシーバモジュール１１は、第１ユーザ装置により送信されたリソース要求メッセージを受信するように構成され、識別モジュール１２は、トランシーバモジュール１１により送信されたリソース要求メッセージに従って、第１ユーザ装置に対応するレベルタイプを識別するように構成され、割り当てモジュール１３は、識別モジュール１２が、第１ユーザ装置に対応するレベルタイプは高優先度タイプであることを識別し、且つ第１リソースプールにおいて同じサイズを有するアイドルＶ２Ｖリソースのブロックの量が、第１プリセットしきい値より小さいか、又は、識別モジュール１２が、第１ユーザ装置と変調及び符号化方法により送信されるデータの量に従って計算される必要なリソースブロックの量が第１リソースプール内のアイドルＶ２Ｖリソースのブロックの量より大きい場合には、第１リソースプールにおいて第２ユーザ装置により占有されているＶ２Ｖリソースから、又は高優先度タイプ以外の別のタイプに対応する第２リソースプールから、Ｖ２Ｖリソースを第１ユーザ装置に割り当てるように構成され、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。
【０１４７】
本発明のこの実施形態において提供されるＶ２Ｖベースのリソース割り当て装置において、装置は、第１ユーザ装置により送信されたリソース要求メッセージを受信し、リソース要求メッセージに従って、第１ユーザ装置に対応するレベルタイプを識別し、第１ユーザ装置に対応するレベルタイプが高優先度タイプであることを識別し、且つ第１リソースプールにおいて同じサイズを有するアイドルＶ２Ｖリソースのブロックの量が、第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい場合には、第１ユーザ装置は、第１リソースプールにおいて第２ユーザ装置により占有されているＶ２Ｖリソースから、又は高優先度タイプ以外の別のタイプに対応する第２リソースプールから、Ｖ２Ｖリソースを割り当て、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。第１リソースプールにおいて同じサイズを有するアイドルＶ２Ｖリソースのブロックの量が第１プリセットしきい値より小さいか、又は第１ユーザ装置と変調及び符号化方法により送信されるデータの量に従って基地局により計算される必要なリソースブロックの量が第１リソースプール内のアイドルＶ２Ｖリソースのブロックの量より大きい場合、Ｖ２Ｖリソースは、第１リソースプールにおいて第２ユーザ装置により占有されているＶ２Ｖリソースから、又は第２リソースプールから、第１ユーザ装置に対してスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不十分な場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。
【０１４８】
図１３は、本発明の他の実施例によるＶ２Ｖベースのリソース割当装置の概略構成図である。図１３に示されているように、図１２に示されている実施形態に基づき、この実施形態において、割り当てモジュール１３は、判定ユニット１３１、送信ユニット１３２、及び割り当てユニット１３３をさらに含む。
【０１４９】
判定ユニット１３１は、第１リソースプール内のＶ２Ｖリソースが第２ユーザ装置により占有されているかどうかを判定するように構成され、送信ユニット１３２は、判定ユニット１３１が第１リソースプール内のＶ２Ｖリソースがすでに第２ユーザ装置により占有されていることを判定する場合、第１の指示メッセージを第２ユーザ装置に送信するように構成され、第１の指示メッセージは、第２ユーザ装置に、第１リソースプールにおいて占有されているＶ２Ｖリソースを解放するように指示するために使用され、割り当てユニット１３３は、送信ユニット１３２が第１の指示メッセージを送信した後、第２ユーザ装置により解放されたＶ２Ｖリソースから、Ｖ２Ｖリソースを、第１ユーザ装置に割り当てるように構成されている。
【０１５０】
この実施形態におけるＶ２Ｖベースのリソース割り当て装置は、本発明の図２に示されている実施形態において提供されるＶ２Ｖベースのリソース割り当て方法の技術的解法を実行するように構成され得る。実施原理及び技術的効果は同様であり、詳細はここでは再度説明しない。
【０１５１】
図１４は、本発明のさらに他の実施形態によるＶ２Ｖベースのリソース割当装置の概略構成図である。図１４に示されているように、図１２に示されている実施形態に基づき、この実施形態において、割り当てモジュール１３は、判定ユニット１３４と割り当てユニット１３５をさらに含む。
【０１５２】
判定ユニット１３４は、第２リソースプールにおいて同じサイズを有するアイドルＶ２Ｖリソースのブロックの量が第２プリセットしきい値より小さいかどうかを判定するか、又は第１ユーザ装置と変調及び符号化方法により送信されるデータの量に従って計算される必要なリソースブロックの量が第２リソースプール内のアイドルＶ２Ｖリソースのブロックの量より大きくないかどうかを判定するように構成され、割り当てユニット１３５は、判定ユニット１３４が第２リソースプールにおいて同じサイズを有するアイドルＶ２Ｖリソースのブロックの量が第２プリセットしきい値より小さくないことを判定する場合、又は判定ユニット１３４が第１ユーザ装置と変調及び符号化方法により送信されるデータの量に従って計算される必要なリソースブロックの量が第２リソースプール内のアイドルＶ２Ｖリソースのブロックの量より小さいことを判定する場合、第２リソースプールからＶ２Ｖリソースを第１ユーザ装置に割り当てるように構成されている。
【０１５３】
この実施形態におけるＶ２Ｖベースのリソース割り当て装置は、本発明の図３に示されている実施形態において提供されるＶ２Ｖベースのリソース割り当て方法の技術的解法を実行するように構成され得る。実施原理及び技術的効果は同様であり、詳細はここでは再度説明しない。
【０１５４】
必要に応じて、トランシーバモジュール１１は、第２の指示メッセージを第２ユーザ装置に送信するようにさらに構成されており、第２の指示メッセージは、第２リソースプールにおいて第１ユーザ装置に割り当てられているＶ２Ｖリソースの位置情報を搬送し、第２の指示メッセージは、Ｖ２Ｖリソースの位置情報に従って、第２リソースプールにおいて第１ユーザ装置に割り当てられているＶ２Ｖリソース以外の他のＶ２Ｖリソースから、Ｖ２Ｖリソースを取得するように、第２ユーザ装置に指示するために使用される。
【０１５５】
必要に応じて、装置は、判定モジュール１４をさらに含み、
判定モジュール１４は、プリセット時間ごとに、第１リソースプールにおいて同じサイズを有するアイドルＶ２Ｖリソースのブロックの量が第１プリセットしきい値より小さくないかどうかを判定し、又はプリセット時間ごとに、第１ユーザ装置と変調及び符号化方法により送信されるデータの量に従って計算される必要なリソースブロックの量が第１リソースプール内のアイドルＶ２Ｖリソースのブロックの量より小さいかどうかを判定するように構成され、割り当てモジュール１３は、判定モジュール１４が、第１リソースプールにおいて同じサイズを有するアイドルＶ２Ｖリソースのブロックの量が第１プリセットしきい値より小さくないことを判定する場合、又は判定モジュール１４が、第１ユーザ装置と変調及び符号化方法により送信されるデータの量に従って計算される必要なリソースブロックの量が第１リソースプール内のアイドルＶ２Ｖリソースのブロックの量より小さいことを判定する場合に、第１リソースプールからＶ２Ｖリソースを第１ユーザ装置に割り当てるようにさらに構成され、トランシーバモジュール１１は、判定モジュール１４が、第１リソースプールにおいて同じサイズを有するアイドルＶ２Ｖリソースのブロックの量が第１プリセットしきい値より小さくないことを判定する場合、又は判定モジュール１４が、第１ユーザ装置と変調及び符号化方法により送信されるデータの量に従って計算される必要なリソースブロックの量が第１リソースプール内のアイドルＶ２Ｖリソースのブロックの量より小さいことを判定する場合に、第３の指示メッセージを第１ユーザ装置に送信するようにさらに構成され、第３の指示メッセージは、第２リソースプールにおいて占有されているＶ２Ｖリソースを解放するように第１ユーザ装置に指示するために使用される。
【０１５６】
必要に応じて、トランシーバモジュール１１は、第４の指示メッセージを第２ユーザ装置に送信するようにさらに構成されており、第４の指示メッセージは、第１ユーザ装置により解放されたＶ２Ｖリソースの位置情報を搬送し、第４の指示メッセージは、第１ユーザ装置が第２リソースプールにおいて占有されているＶ２Ｖリソースを解放した後に、Ｖ２Ｖリソースの位置情報に従って、第２リソースプールからＶ２Ｖリソースを取得するように第２ユーザ装置に指示するために使用される。
【０１５７】
この実施形態におけるＶ２Ｖベースのリソース割り当て装置は、本発明の図３に示されている実施形態において提供されるＶ２Ｖベースのリソース割り当て方法の技術的解法を実行するように構成され得る。実施原理及び技術的効果は同様であり、詳細はここでは再度説明しない。
【０１５８】
図１５は、本発明のさらに別の実施形態によるＶ２Ｖベースのリソース割当装置の概略構成図である。図１５に示されているように、本発明のこの実施形態において提供されるＶ２Ｖベースのリソース割り当て装置は、トランシーバモジュール２１と取得モジュール２２を含む。
【０１５９】
トランシーバモジュール２１は、リソース要求メッセージを基地局に送信するように構成されており、リソース要求メッセージは、ユーザ装置に対応するレベルタイプを識別するように、基地局に指示するために使用され、取得モジュール２２は、トランシーバモジュール２１がリソース要求メッセージを基地局に送信した後、基地局から、基地局により割り当てられたＶ２Ｖリソースを取得するように構成され、割り当てられたＶ２Ｖリソースは、ユーザ装置に対応するレベルタイプが高優先度タイプであると判定し、且つ第１リソースプールにおいて同じサイズを有するアイドルＶ２Ｖリソースのブロックの量が、第１プリセットしきい値より小さいか、又はユーザ装置と変調及び符号化方法により送信されるデータの量に従って、基地局により計算される必要なリソースブロックの量が、第１リソースプール内のアイドルＶ２Ｖリソースのブロックの量より大きい場合、第１リソースプールにおいて第２ユーザ装置により占有されているＶ２Ｖリソースから、又は高優先度タイプ以外の別のタイプに対応する第２リソースプールから、基地局により割り当てられるＶ２Ｖリソースであり、第１リソースプールは、高優先度タイプに対応するリソースプールであり、第２ユーザ装置は、高優先度タイプ以外の別のタイプのユーザ装置であり、トランシーバモジュール２１は、取得モジュール２２により取得されたＶ２Ｖリソースに従って、Ｖ２Ｖデータを送信するようにさらに構成されている。
【０１６０】
本発明のこの実施形態において提供されるＶ２Ｖベースのリソース割り当て装置において、ユーザ装置は、リソース要求メッセージを基地局に送信して、ユーザ装置に対応するレベルタイプを識別するように基地局に指示し、ユーザ装置は、基地局により割り当てられたＶ２Ｖリソースを基地局から取得し、割り当てられたＶ２Ｖリソースは、基地局が、ユーザ装置に対応するレベルタイプが高優先度タイプであると判定し、且つ第１リソースプールにおいて同じサイズを有するアイドルＶ２Ｖリソースのブロックの量が、第１プリセットしきい値より小さいか、又はユーザ装置と変調及び符号化方法により送信されるデータの量に従って、基地局により計算される必要なリソースブロックの量が、第１リソースプール内のアイドルＶ２Ｖリソースのブロックの量より大きい場合に、第１リソースプールにおいて第２ユーザ装置により占有されているＶ２Ｖリソースから、又は高優先度タイプ以外の別のタイプに対応する第２リソースプールから、基地局により割り当てられたＶ２Ｖリソースであり、ユーザ装置は、割り当てられたＶ２Ｖリソースに従ってＶ２Ｖデータを送信する。第１リソースプールにおいて同じサイズを有するアイドルＶ２Ｖリソースのブロックの量が第１プリセットしきい値より小さいか、又はユーザ装置と変調及び符号化方法により送信されるデータの量に従って基地局により計算される必要なリソースブロックの量が第１リソースプール内のアイドルＶ２Ｖリソースのブロックの量より大きい場合は、Ｖ２Ｖリソースは、第１リソースプールにおいて第２ユーザ装置により占有されているＶ２Ｖリソースから、又は第２リソースプールからユーザ装置にスケジューリングされ、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、Ｖ２Ｖリソースが不足している場合には、高優先度タイプのユーザ装置が優先的にＶ２Ｖリソースを取得し得、これにより、高優先度タイプのユーザ装置のメッセージが時間内に送信されることができ、高優先度のユーザ装置のサービス品質をより良く確保できる。
【０１６１】
図１６は、本発明のさらに別の実施形態によるＶ２Ｖベースのリソース割当装置の概略構成図である。図１６に示されているように、図１５に示されている実施形態に基づき、この実施形態において、割り当てモジュール１３は、処理モジュール２３をさらに含む。
【０１６２】
トランシーバモジュール２１は、基地局により送信された第３の指示メッセージを受信するようにさらに構成され、第３の指示メッセージは、基地局が、プリセット時間ごとに、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が第１リソースプール内のアイドルＶ２Ｖリソースのブロックの量より小さいことを判定する場合に、基地局により生成されるメッセージであり、処理モジュール２３は、トランシーバモジュール２１により受信された第３の指示メッセージに従って、第２リソースプールにおいて占有されているＶ２Ｖリソースを解放するように構成されており、トランシーバモジュール２１は、基地局により割り当てられたＶ２Ｖリソースを第１リソースプールから受信するようにさらに構成されている。
【０１６３】
この実施形態におけるＶ２Ｖベースのリソース割り当て装置は、本発明の図５に示されている実施形態において提供されるＶ２Ｖベースのリソース割り当て方法の技術的解法を実行するように構成され得る。実施原理及び技術的効果は同様であり、詳細はここでは再度説明しない。
【０１６４】
図１７は、本発明のさらに別の実施形態によるＶ２Ｖベースのリソース割当装置の概略構成図である。図１７に示されているように、本発明のこの実施形態において提供されるＶ２Ｖベースのリソース割り当て装置は、トランシーバモジュール３１と、処理モジュール３２と、を含む。
【０１６５】
トランシーバモジュール３１は、基地局により送信された第１の指示メッセージを受信するように構成され、第１の指示メッセージは、基地局が第１リソースプール内のＶ２Ｖリソースがすでにユーザ装置により占有されていることを判定する場合に、基地局により生成されるメッセージであり、第１リソースプールは、高優先度タイプに対応するリソースプールであり、処理モジュール３２は、トランシーバモジュール３１により受信された第１の指示メッセージに従って、第１リソースプールにおいて占有されているＶ２Ｖリソースを解放するように構成されている。
【０１６６】
本発明のこの実施形態において提供されるＶ２Ｖベースのリソース割り当て装置において、ユーザ装置は、基地局により送信された第１の指示メッセージを受信し、第１の指示メッセージは、基地局が第１リソースプール内のＶ２Ｖリソースがすでにユーザ装置により占有されていることを判定する場合に、基地局により生成されるメッセージであり、ユーザ装置は、第１の指示メッセージに従って、第１リソースプールにおいて占有されているＶ２Ｖリソースを解放する。第２リソースプール内のＶ２Ｖリソースが不十分である場合、ユーザ装置が、第１リソースプール内のＶ２Ｖリソースを占有し得るため、第１ユーザ装置がリソースの割り当てを要求する場合には、基地局は、第１リソースプールにおいて占有されているＶ２Ｖリソースを解放するようにユーザ装置をスケジューリングし、これにより、高優先度タイプのユーザ装置のサービス品質を保証できないという技術的問題を解決し、Ｖ２Ｖリソースが不足している場合に、高優先度タイプのユーザ装置がＶ２Ｖリソースを取得できないという従来技術における問題を回避することが可能となる。したがって、第１リソースプール内のＶ２Ｖリソースが不十分である場合には、Ｖ２Ｖリソースが高優先度タイプのユーザ装置に対し優先的にスケジューリングされ、これにより、高優先度タイプのユーザ装置のメッセージが時間内に送信されることができ、高優先度タイプのユーザ装置のサービス品質をより確保できる。
【０１６７】
図１８は、本発明のさらに別の実施形態によるＶ２Ｖベースのリソース割当装置の概略構成図である。図１８に示されているように、図１７に示されている実施形態に基づき、この実施形態において、装置は、取得ユニット３３をさらに含む。
【０１６８】
トランシーバモジュール３１は、基地局により送信された第２の指示メッセージを受信するようにさらに構成され、第２の指示メッセージは、基地局が、第２リソースプールにおいて同じサイズを有するアイドルＶ２Ｖリソースのブロックの量が第２プリセットしきい値より小さくないか、又は第１ユーザ装置と変調及び符号化方法により送信されるデータの量に従って基地局により計算される必要なリソースブロックの量が第２リソースプール内のアイドルＶ２Ｖリソースのブロックの量より小さいことを判定する場合に、基地局により生成されるメッセージであり、第２の指示メッセージは、基地局により第２リソースプールにおける第１ユーザ装置に割り当てられたＶ２Ｖリソースの位置情報を搬送し、第２リソースプールは、高優先度タイプ以外の別のタイプに対応するリソースプールであり、第１ユーザ装置は、高優先度タイプのユーザ装置であり、取得モジュール３３は、トランシーバモジュール３１により受信された第２の指示メッセージにおけるＶ２Ｖリソースの位置情報に従って、第２リソースプールにおいて第１ユーザ装置により占有されているＶ２Ｖリソース以外の他のＶ２Ｖリソースから、Ｖ２Ｖリソースを取得するように構成されている。
【０１６９】
この実施形態におけるＶ２Ｖベースのリソース割り当て装置は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１７０】
図１９は、本発明のさらに別の実施形態によるＶ２Ｖベースのリソース割当装置の概略構成図である。図１９に示されているように、図１７に示されている実施形態に基づき、この実施形態において、装置は、取得ユニット３４をさらに含む。
【０１７１】
トランシーバモジュール３１は、基地局により送信された第４の指示メッセージを受信するようにさらに構成されており、第４の指示メッセージは、基地局が、第１リソースプールにおいて同じサイズを有するアイドルＶ２Ｖリソースのブロックの量が、第１プリセットしきい値より小さくないか、又は第１ユーザ装置と変調及び符号化方法により送信されるデータの量に従って基地局により計算される必要なリソースブロックの量が第１リソースプール内のアイドルＶ２Ｖリソースのブロックの量より小さいことを判定する場合に、基地局により生成されるメッセージであり、第４の指示メッセージは、第１ユーザ装置により解放されたＶ２Ｖリソースの位置情報を搬送し、取得モジュール３４は、トランシーバモジュール３１により受信された第４の指示メッセージにおけるＶ２Ｖリソースの位置情報に従って、第１ユーザ装置が、第２リソースプールにおいて占有されているＶ２Ｖリソースを解放した後、第２リソースプールからＶ２Ｖリソースを取得するように構成されている。
【０１７２】
この実施形態におけるＶ２Ｖベースのリソース割り当て装置は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１７３】
図２０は、本発明の実施形態による基地局の構造概略図である。図２０に示されているように、本発明において提供される基地局は、受信器４１と、プロセッサ４２と、を含む。
【０１７４】
受信器４１は、第１ユーザ装置により送信されたリソース要求メッセージを受信するように構成され、プロセッサ４２は、受信器４１により受信されたリソース要求メッセージに従って、第１ユーザ装置に対応するレベルタイプを識別するように構成され、プロセッサ４２は、第１ユーザ装置に対応するレベルタイプが高優先度タイプであると識別し、且つ第１リソースプールにおいて同じサイズを有するアイドルＶ２Ｖリソースのブロックの量が、第１プリセットしきい値より小さい場合、又は第１ユーザ装置と変調及び符号化方法により送信されるデータの量に従って計算される必要なリソースブロックの量が第１リソースプール内のアイドルＶ２Ｖリソースのブロックの量より大きいことが識別される場合に、第１リソースプールにおいて第２ユーザ装置により占有されているＶ２Ｖリソースから、又は高優先度タイプ以外の別のタイプに対応する第２リソースプールから、Ｖ２Ｖリソースを第１ユーザ装置に割り当てるようにさらに構成され、Ｖ２Ｖリソースは、第１ユーザ装置によりＶ２Ｖデータを送信するために使用され、第１リソースプールは、高優先度タイプに対応するリソースプールであり、第２ユーザ装置は、高優先度タイプ以外の別のタイプのユーザ装置である。
【０１７５】
この実施形態における基地局は、本発明の図１に示されている実施形態において提供されるＶ２Ｖベースのリソース割り当て方法の技術的解法を実行するように構成され得る。実施原理及び技術的効果は同様であり、詳細はここでは再度説明しない。
【０１７６】
図２１は、本発明の他の実施形態による基地局の構造概略図である。図２１に示されているように、図２０に示されている実施形態に基づき、この実施形態において、基地局は、送信器４３をさらに含む。
【０１７７】
プロセッサ４２は、第１リソースプール内のＶ２Ｖリソースが第２ユーザ装置により占有されているかどうかを判定するように構成され、送信器４３は、プロセッサ４２が、第１リソースプール内のＶ２Ｖリソースがすでに第２ユーザ装置により占有されていることを判定する場合に、第１の指示メッセージを第２ユーザ装置に送信するように構成され、第１の指示メッセージは、第２ユーザ装置に、第１リソースプールにおいて占有されているＶ２Ｖリソースを解放するように指示するために使用され、プロセッサ４２は、送信器４３が第１の指示メッセージを送信した後、第２ユーザ装置により解放されたＶ２Ｖリソースから、Ｖ２Ｖリソースを、第１ユーザ装置に割り当てるようにさらに構成されている。
【０１７８】
必要に応じて、プロセッサ４２は、第２リソースプールにおいて同じサイズを有するアイドルＶ２Ｖリソースのブロックの量が第２プリセットしきい値より小さくないことが判定される場合、又は第１ユーザ装置と変調及び符号化方法により送信されるデータの量に従って計算される必要なリソースブロックの量が第２リソースプール内のアイドルＶ２Ｖリソースのブロックの量より小さいことが判定される場合に、第２リソースプールからＶ２Ｖリソースを第１ユーザ装置に割り当てるようにさらに構成される。
【０１７９】
必要に応じて、送信器４３は、第２の指示メッセージを第２ユーザ装置に送信するようにさらに構成され、第２の指示メッセージは、第２リソースプールにおいて第１ユーザ装置に割り当てられているＶ２Ｖリソースの位置情報を搬送し、第２の指示メッセージは、Ｖ２Ｖリソースの位置情報に従って、第２リソースプールにおいて第１ユーザ装置に割り当てられているＶ２Ｖリソース以外の他のＶ２Ｖリソースから、Ｖ２Ｖリソースを取得するように第２ユーザ装置に指示するために使用される。
【０１８０】
必要に応じて、プロセッサ４２は、プリセット時間ごとに、第１リソースプールにおいて同じサイズを有するアイドルＶ２Ｖリソースのブロックの量が第１プリセットしきい値より小さくないことが判定される場合、又はプリセット時間ごとに、第１ユーザ装置と変調及び符号化方法により送信されるデータの量に従って計算される必要なリソースブロックの量が第１リソースプール内のアイドルＶ２Ｖリソースのブロックの量より小さいことが判定される場合に、第１リソースプールからＶ２Ｖリソースを第１ユーザ装置に割り当てるようにさらに構成され、
送信器４３は、プロセッサ４２が、第１リソースプールにおいて同じサイズを有するアイドルＶ２Ｖリソースのブロックの量が第１プリセットしきい値より小さくないと判定する場合、又はプロセッサ４２が、第１ユーザ装置と変調及び符号化方法により送信されるデータの量に従って計算される必要なリソースブロックの量が第１リソースプール内のアイドルＶ２Ｖリソースのブロックの量より小さいことと判定する場合に、第３の指示メッセージを第１ユーザ装置に送信するようにさらに構成され、第３の指示メッセージは、第２リソースプールにおいて占有されているＶ２Ｖリソースを解放するように第１ユーザ装置に指示するために使用される。
【０１８１】
必要に応じて、送信器４３は、第４の指示メッセージを第２ユーザ装置に送信するようにさらに構成され、第４の指示メッセージは、第１ユーザ装置により解放されたＶ２Ｖリソースの位置情報を搬送し、第４の指示メッセージは、第１ユーザ装置が第２リソースプールにおいて占有されているＶ２Ｖリソースを解放した後に、Ｖ２Ｖリソースの位置情報に従って、第２リソースプールからＶ２Ｖリソースを取得するように第２ユーザ装置に指示するために使用される。
【０１８２】
この実施形態における基地局は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１８３】
図２２は、本発明の実施形態によるユーザ装置の構造概略図である。図２２に示されているように、本発明のユーザ装置は、送信器５１と受信器５２を含む。
【０１８４】
送信器５１は、リソース要求メッセージを基地局に送信するように構成されており、リソース要求メッセージは、ユーザ装置に対応するレベルタイプを識別するように、基地局に指示するために使用され、受信器５２は、送信器５１がリソース要求メッセージを送信した後、基地局から、基地局により割り当てられたＶ２Ｖリソースを取得するように構成されており、割り当てられたＶ２Ｖリソースは、基地局が、ユーザ装置に対応するレベルタイプが高優先度タイプであり、且つ第１リソースプールにおいて同じサイズを有するアイドルＶ２Ｖリソースのブロックの量が、第１プリセットしきい値より小さいか、又はユーザ装置と変調及び符号化方法により送信されるデータの量に従って、基地局により計算される必要なリソースブロックの量が、第１リソースプール内のアイドルＶ２Ｖリソースのブロックの量より大きいことを判定する場合に、第１リソースプールにおいて第２ユーザ装置により占有されているＶ２Ｖリソースから、又は高優先度タイプ以外の別のタイプに対応する第２リソースプールから、基地局により割り当てられるＶ２Ｖリソースであり、第１リソースプールは、高優先度タイプに対応するリソースプールであり、第２ユーザ装置は、高優先度タイプ以外の別のタイプのユーザ装置であり、送信器５１は、受信器５２により受信されたＶ２Ｖリソースに従ってＶ２Ｖデータを送信するようにさらに構成されている。
【０１８５】
この実施形態におけるユーザ装置は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１８６】
図２３は、本発明の他の実施形態によるユーザ装置の構造概略図である。図２３に示されているように、図２２に示されている実施形態に基づき、この実施形態において、ユーザ装置は、プロセッサ５３をさらに含む。
【０１８７】
受信器５２は、基地局により送信された第３の指示メッセージを受信するようにさらに構成され、第３の指示メッセージは、基地局が、プリセット時間ごとに、第１リソースプールにおいて同じサイズを有するアイドルＶ２Ｖリソースのブロックの量が第１プリセットしきい値より小さくないか、又は第１ユーザ装置と変調及び符号化方法により送信されるデータの量に従って基地局により計算される必要なリソースブロックの量が第１リソースプール内のアイドルＶ２Ｖリソースのブロックの量より小さいことを判定する場合に、基地局により生成されるメッセージであり、プロセッサ５３は、受信器５２により受信された第３の指示メッセージに従って第２リソースプールにおいて占有されているＶ２Ｖリソースを解放するように構成されており、受信器５２は、基地局により割り当てられたＶ２Ｖリソースを第１リソースプールから受信するようにさらに構成されている。
【０１８８】
この実施形態におけるユーザ装置は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１８９】
図２４は、本発明の実施形態によるユーザ装置の構造概略図である。図２４に示されているように、本発明において提供されるユーザ装置は、受信器６１とプロセッサ６２を含む。
【０１９０】
受信器６１は、基地局により送信された第１の指示メッセージを受信するように構成されており、第１の指示メッセージは、基地局が第１リソースプール内のＶ２Ｖリソースがすでにユーザ装置により占有されていることを判定する場合に、基地局により生成されるメッセージであり、第１リソースプールは、高優先度タイプに対応するリソースプールであり、プロセッサ６２は、受信器６１により受信された第１の指示メッセージに従って、第１リソースプールにおいて占有されているＶ２Ｖリソースを解放するように構成されている。
【０１９１】
この実施形態において提供されるユーザ装置は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１９２】
必要に応じて、受信器６１は、基地局により送信された第２の指示メッセージを受信するようにさらに構成され、第２の指示メッセージは、基地局が、第２リソースプールにおいて同じサイズを有するアイドルＶ２Ｖリソースのブロックの量が第２プリセットしきい値より小さくないか、又は第１ユーザ装置と変調及び符号化方法により送信されるデータの量に従って基地局により計算される必要なリソースブロックの量が第２リソースプール内のアイドルＶ２Ｖリソースのブロックの量より小さいことを判定する場合に、基地局により生成されるメッセージであり、第２の指示メッセージは、基地局により第２リソースプールにおける第１ユーザ装置に割り当てられたＶ２Ｖリソースの位置情報を搬送し、第２リソースプールは、高優先度タイプ以外の別のタイプに対応するリソースプールであり、第１ユーザ装置は、高優先度タイプのユーザ装置であり、
プロセッサ６２は、受信器６１により受信された第２の指示メッセージにおけるＶ２Ｖリソースの位置情報に従って、第２リソースプールにおいて第１ユーザ装置により占有されているＶ２Ｖリソース以外の他のＶ２Ｖリソースから、Ｖ２Ｖリソースを取得するようにさらに構成されている。
【０１９３】
必要に応じて、受信器６１は、基地局により送信された第４の指示メッセージを受信するようにさらに構成され、第４の指示メッセージは、基地局が、第１リソースプールにおいて同じサイズを有するアイドルＶ２Ｖリソースのブロックの量が、第１プリセットしきい値より小さくないか、又は第１ユーザ装置と変調及び符号化方法により送信されるデータの量に従って基地局により計算される必要なリソースブロックの量が第１リソースプール内のアイドルＶ２Ｖリソースのブロックの量より小さいことを判定する場合に、基地局により生成されるメッセージであり、第４の指示メッセージは、第１ユーザ装置により解放されたＶ２Ｖリソースの位置情報を搬送し、
プロセッサ６２は、第１ユーザ装置が、第２リソースプールにおいて占有されているＶ２Ｖリソースを解放した後、受信器６１により受信された第４の指示メッセージにおけるＶ２Ｖリソースの位置情報に従って、第２リソースプールからＶ２Ｖリソースを取得するようにさらに構成されている。
【０１９４】
この実施形態において提供されるユーザ装置は、本発明の任意の実施形態において提供されるＶ２Ｖベースのリソース割り当て方法の技術的解法を実行するように構成され得る。実施原理及び技術的効果は同様であり、詳細はここでは再度説明しない。
【０１９５】
便利で簡単な説明のために、上記の機能モジュールの分割は例示のための例として使用されていることは、当業者であれば、明確に理解し得る。実際のアプリケーションでは、上記機能は、異なる機能モジュールに割り当てられることができ、また、必要性に従って実装されてもよく、すなわち、装置の内部構造は、異なる機能モジュールに分割され、前述したすべての又はいくつかの機能が実装される。先述のシステム、装置、ユニットの詳細な作業処理のための先述の方法の実施形態において対応する処理に関しては参照することができ、詳細はここでは再び説明しない。
【０１９６】
この明細書において提供されるいくつかの実施形態において、開示されたシステム、装置、及び方法は、他の様式において実装され得ることは理解し得る。例えば、説明された装置の実施形態は、単なる一例にすぎない。例えば、モジュール又はユニット区分は、単なる論理的な機能区分であり、実際の実装において別の区分であってもよい。例えば、複数のユニットまたは構成要素を組み合わせて、又は別のシステムに統合してもよく、又は一部の機能は、無視して、又は実行しなくてもよい。さらに、表示された、又は議論された相互結合若しくは直接結合、又は通信接続は、いくつかのインターフェースを使用して実装され得る。装置又はユニット間の間接結合又は通信接続は、電子的、機械的、又は他の形式において実装されてもよい。
【０１９７】
別個の部品として説明されたユニットは、物理的に分離していてもいなくてもよく、ユニットとして表示された部品は物理的ユニットであってもなくてもよく、１カ所に配置されても、又はネットワークユニット上に分散されてもよい。ユニットの一部又は全部は、実施形態のソリューションの目的を達成するために実際の必要に応じて選択されてよい。
【０１９８】
さらに、本発明の実施形態における機能ユニットは、１つの処理ユニットに統合されてもよいし、又は各ユニットが物理的に単独で存在してもよいし、又は２つ以上のユニットが１つのユニットに統合されてもよい。統合されたユニットは、ハードウェアの形式で実装されてもよく、又はソフトウェア機能ユニットの形式において実装されてもよい。
【０１９９】
統合されたユニットがソフトウェア機能ユニットの形式において実装されるとともに独立した製品として販売又は使用される場合には、統合ユニットは、コンピュータ可読記憶媒体に格納され得る。そのような理解に基づいて、本質的に本発明の技術的ソリューション、又は従来技術に寄与する部分、又は技術的ソリューションの全部又は一部は、ソフトウェア製品の形式において実装され得る。ソフトウェア製品は、記憶媒体に格納され、コンピュータデバイス（パーソナルコンピュータ、サーバ、又はネットワークデバイスであり得る）又はプロセッサ(processor)に本発明の実施形態において説明された方法のステップの全部又は一部を実行するように指示するためのいくつかの命令を含む。前述の記憶媒体は、ＵＳＢフラッシュドライブ、リムーバブルハードディスク、読み取り専用メモリ（ROM, Read-Only Memory）、ランダムアクセスメモリ（RAM, Random Access Memory）、磁気ディスク、又は光ディスクなどのプログラムコードを格納可能な任意の媒体を含む。
【０２００】
前述の実施形態は、単に、本発明の技術的解決策を説明するためのものであって、本発明を限定するためのものではない。本発明が、前述の実施形態を参照して詳細に説明されたが、当業者は、本発明の実施形態の技術的解決策の精神と範囲から逸脱せずに、彼らが前述の実施形態において説明された技術的解決策に対する変更を行い、あるいは、技術的解決策のいくつかの技術的特徴等に対する同等の置換を行うことができることを理解するに違いない。
【符号の説明】
【０２０１】
１１    トランシーバモジュール
１２    識別モジュール
１３    割り当てモジュール
１４    判定モジュール
２１    トランシーバモジュール
２２    取得モジュール
２３    処理モジュール
３１    トランシーバモジュール
３２    処理モジュール
３３    取得ユニット
３３    取得モジュール
３４    取得ユニット
３４    取得モジュール
４１    受信器
４２    プロセッサ
４３    送信器
５１    送信器
５２    受信器
５３    プロセッサ
６１    受信器
６２    プロセッサ
１３１  判定ユニット
１３２  送信ユニット
１３３  割り当てユニット
１３４  判定ユニット
１３５  割り当てユニット
【図１】
0006636045.tif 000002
【図２】
0006636045.tif 000003
【図３】
0006636045.tif 000004
【図４】
0006636045.tif 000005
【図５】
0006636045.tif 000006
【図６】
0006636045.tif 000007
【図７】
0006636045.tif 000008
【図８】
0006636045.tif 000009
【図９】
0006636045.tif 000010
【図１０】
0006636045.tif 000011
【図１１】
0006636045.tif 000012
【図１２】
0006636045.tif 000013
【図１３】
0006636045.tif 000014
【図１４】
0006636045.tif 000015
【図１５】
0006636045.tif 000016
【図１６】
0006636045.tif 000017
【図１７】
0006636045.tif 000018
【図１８】
0006636045.tif 000019
【図１９】
0006636045.tif 000020
【図２０】
0006636045.tif 000021
【図２１】
0006636045.tif 000022
【図２２】
0006636045.tif 000023
【図２３】
0006636045.tif 000024
【図２４】
0006636045.tif 000025